(57)【要約】本願は、アップリンク信号の送信方法及び端末機器を公開しており、端末機器がネットワーク機器によって送信されたアップリンク認証情報を受信し、該アップリンク認証情報は、該端末機器が第１のサブタイムスロットで第１のアップリンクチャネルを送信し、および、第２のサブタイムスロットで第２のアップリンクチャネルを送信するように指示するためのものであり、該第１のアップリンクチャネルが第１のアップリンクデータを含み且つ基準信号を含まず、該第２のアップリンクチャネルが第１の基準信号を含み、該第１のサブタイムスロットと該第２のサブタイムスロットが第１のキャリアで隣接するサブタイムスロットであり、該第１のサブタイムスロットが該第２のサブタイムスロットの前に位置し、該第１の基準信号が該第１のアップリンクデータを復調するためのものであることと、該端末機器がアップリンクチャネルの優先度に基づき、該第１のサブタイムスロットで該第１のアップリンクチャネルを送信するかどうかを決定することと、を含む。これにより同じ時間内に、異なるアップリンクチャネルを送信するための総送信電力が端末機器の最大送信電力を上回るとき、アップリンクチャネルを有効的に伝送することは実現できる。【選択図】図３
2021529443.tif 000002
【特許請求の範囲】
【請求項１】
アップリンク信号の送信方法であって、前記方法は、
端末機器がネットワーク機器によって送信されたアップリンク認証情報を受信し、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであることと、
前記端末機器がアップリンクチャネルの優先度に基づき、前記第１のサブタイムスロットで前記第１のアップリンクチャネルを送信するかどうかを決定することと、を含み、
前記アップリンクチャネルの優先度は、低いレベルから高いレベルへ、
サブフレームでハイブリッド自動再伝送要求−応答ＨＡＲＱ−ＡＣＫが含まれていないアップリンクチャネルと、
タイムスロットでＨＡＲＱ−ＡＣＫが含まれていないアップリンクチャネルと、
サブタイムスロットでＨＡＲＱ−ＡＣＫが含まれておらず且つ基準信号が含まれていないアップリンクチャネルと、
サブタイムスロットでＨＡＲＱ−ＡＣＫが含まれておらず且つ基準信号が含まれているアップリンクチャネルと、
サブフレームでＨＡＲＱ−ＡＣＫが含まれているアップリンクチャネルと、
タイムスロットでＨＡＲＱ−ＡＣＫが含まれているアップリンクチャネルと、
サブタイムスロットでＨＡＲＱ−ＡＣＫが含まれているアップリンクチャネルと、を含むことを特徴とするアップリンク信号の送信方法。
【請求項２】
前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しいことを特徴とする請求項１に記載の方法。
【請求項３】
前記端末機器が前記アップリンクチャネルの優先度に基づき、前記第１のサブタイムスロットで前記第１のアップリンクチャネルを送信すると決定した場合、前記方法はさらに、
前記端末機器が前記アップリンクチャネルの優先度に基づき、前記第２のサブタイムスロットで前記第２のアップリンクチャネルを送信するかどうかを決定することを含み、
前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しいことを特徴とする請求項１又は請求項２に記載の方法。
【請求項４】
前記端末機器が前記アップリンクチャネルの優先度に基づき、前記第１のサブタイムスロットで前記第１のアップリンクチャネルを送信すると決定した場合、前記方法はさらに、
前記端末機器が前記アップリンクチャネルの優先度に基づき、前記第２のサブタイムスロットで前記第２のアップリンクチャネルを送信するかどうかを決定することを含み、
前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあることを特徴とする請求項１〜請求項３のいずれか１項に記載の方法。
【請求項５】
前記端末機器が前記アップリンクチャネルの優先度に基づき、前記第１のサブタイムスロットで前記第１のアップリンクチャネルを送信すると決定した場合、前記方法はさらに、
前記端末機器が前記アップリンクチャネルの優先度に基づき、前記第２のサブタイムスロットで前記第２のアップリンクチャネルを送信するかどうかを決定することを含み、
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあることを特徴とする請求項１又は請求項２に記載の方法。
【請求項６】
前記端末機器が前記アップリンクチャネルの優先度に基づき、前記第１のサブタイムスロットで前記第１のアップリンクチャネルを送信しないと決定した場合、前記方法はさらに、
前記端末機器が前記第２のサブタイムスロットで前記第２のアップリンクチャネルを送信しないと決定することを含むことを特徴とする請求項１〜請求項５のいずれか１項に記載の方法。
【請求項７】
前記端末機器が前記アップリンクチャネルの優先度に基づき、前記第１のサブタイムスロットで前記第１のアップリンクチャネルを送信しないと決定した場合、前記方法はさらに、
前記端末機器が前記アップリンクチャネルの優先度に基づき、前記第２のサブタイムスロットで前記第２のアップリンクチャネルを送信するかどうかを決定することを含み、そのうち、前記第２のアップリンクチャネルの優先度が最も低いことを特徴とする請求項１〜請求項５のいずれか１項に記載の方法。
【請求項８】
アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低く、
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアであることを特徴とする請求項１〜請求項７のいずれか１項に記載の方法。
【請求項９】
前記端末機器は異なる時間長さを持つアップリンクチャネルを同時伝送する能力があり且つ異なる時間長さを持つアップリンクチャネルを同時伝送できるように構成されていることを特徴とする請求項１〜請求項８のいずれか１項に記載の方法。
【請求項１０】
アップリンク信号の送信方法であって、前記方法は、
端末機器がネットワーク機器によって送信されたアップリンク認証情報を受信し、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれていることと、
前記端末機器が前記第１のアップリンクデータを送信するための第１の物理アップリンク共有チャネルＰＵＳＣＨ及び／又は前記第１のＵＣＩに含まれる情報内容に基づき、前記第２のサブタイムスロットで前記第１の基準信号と前記第１のＰＵＣＣＨのうちの１つを送信することと、を含むことを特徴とするアップリンク信号の送信方法。
【請求項１１】
前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、
前記端末機器が前記第２のサブタイムスロットで前記第１の基準信号と前記第１のＰＵＣＣＨとのうちの１つを送信することは、
前記端末機器が前記第２のサブタイムスロットで前記第１のＰＵＣＣＨを送信することを含むことを特徴とする請求項１０に記載の方法。
【請求項１２】
前記第１のＰＵＳＣＨに第２のＵＣＩが含まれており且つ前記第２のＵＣＩにＨＡＲＱ−ＡＣＫ情報が含まれており、
前記端末機器が前記第２のサブタイムスロットで前記第１の基準信号と前記第１のＰＵＣＣＨのうちの１つを送信することは、
前記端末機器が前記第２のサブタイムスロットで前記第１の基準信号を送信することを含むことを特徴とする請求項１０又は１１に記載の方法。
【請求項１３】
前記第１のＵＣＩにＨＡＲＱ−ＡＣＫ情報が含まれており、前記方法はさらに、
前記端末機器が前記第１のサブタイムスロットで前記第１のＵＣＩ内のＨＡＲＱ−ＡＣＫ情報を送信することを含むことを特徴とする請求項１２に記載の方法。
【請求項１４】
前記第１のＵＣＩにＨＡＲＱ−ＡＣＫ情報が含まれており、
前記端末機器が前記第２のサブタイムスロットで前記第１の基準信号と前記第１のＰＵＣＣＨのうちの１つを送信することは、
前記端末機器が前記第２のサブタイムスロットで前記第１のＰＵＣＣＨを送信することを含むことを特徴とする請求項１０に記載の方法。
【請求項１５】
前記第１のＵＣＩにＨＡＲＱ−ＡＣＫ情報が含まれておらず、
前記端末機器が前記第２のサブタイムスロットで前記第１の基準信号と前記第１のＰＵＣＣＨのうちの１つを送信することは、
前記第１のＰＵＳＣＨに第２のＵＣＩが含まれており且つ前記第２のＵＣＩにＨＡＲＱ−ＡＣＫ情報が含まれている場合、前記端末機器が前記第２のサブタイムスロットで前記第１の基準信号を送信すること、及び／又は、
前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記端末機器が前記第２のサブタイムスロットで前記第１のＰＵＣＣＨを送信すること、を含むことを特徴とする請求項１０又は請求項１４に記載の方法。
【請求項１６】
前記端末機器はアップリンクチャネルを同時伝送する能力がない、または、
前記端末機器はアップリンクチャネルを同時伝送する能力があるが、アップリンクチャネルを同時伝送しないように構成されていることを特徴とする請求項１０〜請求項１５のいずれか１項に記載の方法。
【請求項１７】
端末機器であって、前記端末機器は、
ネットワーク機器によって送信されたアップリンク認証情報を受信するための受信ユニットであって、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものである受信ユニットと、
アップリンクチャネルの優先度に基づき、前記第１のサブタイムスロットで前記第１のアップリンクチャネルを送信するかどうかを決定するための決定ユニットとを含み、
前記アップリンクチャネルの優先度は、低いレベルから高いレベルへ、
サブフレームでハイブリッド自動再伝送要求−応答ＨＡＲＱ−ＡＣＫが含まれていないアップリンクチャネルと、
タイムスロットでＨＡＲＱ−ＡＣＫが含まれていないアップリンクチャネルと、
サブタイムスロットでＨＡＲＱ−ＡＣＫが含まれておらず且つ基準信号が含まれていないアップリンクチャネルと、
サブタイムスロットでＨＡＲＱ−ＡＣＫが含まれておらず且つ基準信号が含まれているアップリンクチャネルと、
サブフレームでＨＡＲＱ−ＡＣＫが含まれているアップリンクチャネルと、
タイムスロットでＨＡＲＱ−ＡＣＫが含まれているアップリンクチャネルと、
サブタイムスロットでＨＡＲＱ−ＡＣＫが含まれているアップリンクチャネルと、を含むことを特徴とする端末機器。
【請求項１８】
前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しいことを特徴とする請求項１７に記載の端末機器。
【請求項１９】
前記端末機器が前記アップリンクチャネルの優先度に基づき、前記第１のサブタイムスロットで前記第１のアップリンクチャネルを送信すると決定した場合、前記決定ユニットはさらに、
前記アップリンクチャネルの優先度に基づき、前記第２のサブタイムスロットで前記第２のアップリンクチャネルを送信するかどうかを決定するために使用され、そのうち、前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しいことを特徴とする請求項１７又は請求項１８に記載の端末機器。
【請求項２０】
前記端末機器が前記アップリンクチャネルの優先度に基づき、前記第１のサブタイムスロットで前記第１のアップリンクチャネルを送信すると決定した場合、前記決定ユニットはさらに、
前記アップリンクチャネルの優先度に基づき、前記第２のサブタイムスロットで前記第２のアップリンクチャネルを送信するかどうかを決定するために使用され、
前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあることを特徴とする請求項１７〜請求項１９のいずれか１項に記載の端末機器。
【請求項２１】
前記端末機器が前記アップリンクチャネルの優先度に基づき、前記第１のサブタイムスロットで前記第１のアップリンクチャネルを送信すると決定した場合、前記決定ユニットはさらに、
前記アップリンクチャネルの優先度に基づき、前記第２のサブタイムスロットで前記第２のアップリンクチャネルを送信するかどうかを決定するために使用され、
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあることを特徴とする請求項１７又は請求項１８に記載の端末機器。
【請求項２２】
前記端末機器が前記アップリンクチャネルの優先度に基づき、前記第１のサブタイムスロットで前記第１のアップリンクチャネルを送信しないと決定した場合、前記決定ユニットはさらに、
前記第２のサブタイムスロットで前記第２のアップリンクチャネルを送信しないと決定するために使用されることを特徴とする請求項１７〜請求項２１のいずれか１項に記載の端末機器。
【請求項２３】
前記端末機器が前記アップリンクチャネルの優先度に基づき、前記第１のサブタイムスロットで前記第１のアップリンクチャネルを送信しないと決定した場合、前記決定ユニットはさらに、
前記アップリンクチャネルの優先度に基づき、前記第２のサブタイムスロットで前記第２のアップリンクチャネルを送信するかどうかを決定するために使用され、そのうち、前記第２のアップリンクチャネルの優先度が最も低いことを特徴とする請求項１７〜請求項２１のいずれか１項に記載の端末機器。
【請求項２４】
アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低く、
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアであることを特徴とする請求項１７〜請求項２３のいずれか１項に記載の端末機器。
【請求項２５】
前記端末機器は異なる時間長さを持つアップリンクチャネルを同時伝送する能力があり且つ異なる時間長さを持つアップリンクチャネルを同時伝送できるように構成されていることを特徴とする請求項１７〜請求項２４のいずれか１項に記載の端末機器。
【請求項２６】
アップリンク信号の送信用端末機器であって、前記端末機器は、
ネットワーク機器によって送信されたアップリンク認証情報を受信するための受信ユニットであって、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれている受信ユニットと、
前記第１のアップリンクデータを送信するための第１の物理アップリンク共有チャネルＰＵＳＣＨ及び／又は前記第１のＵＣＩに含まれた情報内容に基づき、前記第２のサブタイムスロットで前記第１の基準信号と前記第１のＰＵＣＣＨのうちの１つを送信するための送信ユニットと、を含むことを特徴とするアップリンク信号の送信端末機器。
【請求項２７】
前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、
前記送信ユニットは、具体的に、前記端末機器が前記第２のサブタイムスロットで前記第１のＰＵＣＣＨを送信するために使用されることを特徴とする請求項２６に記載の端末機器。
【請求項２８】
前記第１のＰＵＳＣＨに第２のＵＣＩが含まれており且つ前記第２のＵＣＩにＨＡＲＱ−ＡＣＫ情報が含まれており、
前記送信ユニットは、具体的に、前記端末機器が前記第２のサブタイムスロットで前記第１の基準信号を送信するために使用されることを特徴とする請求項２６又は請求項２７に記載の端末機器。
【請求項２９】
前記第１のＵＣＩにＨＡＲＱ−ＡＣＫ情報が含まれており、前記送信ユニットはさらに、
前記第１のサブタイムスロットで前記第１のＵＣＩ内のＨＡＲＱ−ＡＣＫ情報を送信するために使用されることを特徴とする請求項２８に記載の端末機器。
【請求項３０】
前記第１のＵＣＩにＨＡＲＱ−ＡＣＫ情報が含まれており、前記送信ユニットはさらに、
前記第２のサブタイムスロットで前記第１のＰＵＣＣＨを送信するために使用されることを特徴とする請求項２６に記載の端末機器。
【請求項３１】
前記第１のＵＣＩにＨＡＲＱ−ＡＣＫ情報が含まれておらず、前記送信ユニットはさらに、
前記第１のＰＵＳＣＨに第２のＵＣＩが含まれており且つ前記第２のＵＣＩにＨＡＲＱ−ＡＣＫ情報が含まれている場合、前記第２のサブタイムスロットで前記第１の基準信号を送信するために使用される、及び／又は、
前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記第２のサブタイムスロットで前記第１のＰＵＣＣＨを送信するために使用されることを特徴とする請求項２６又は請求項３０に記載の端末機器。
【請求項３２】
前記端末機器はアップリンクチャネルを同時伝送する能力がない、または、
前記端末機器はアップリンクチャネルを同時伝送する能力があるが、アップリンクチャネルを同時伝送しないように構成されていることを特徴とする請求項２６〜請求項３１のいずれか１項に記載の端末機器。
【請求項３３】
端末機器であって、前記端末機器はプロセッサを含み、前記プロセッサが、請求項１〜請求項９のいずれか１項に記載の方法を実行するように、メモリに記憶された命令を開始するためのものであることを特徴とする端末機器。
【請求項３４】
端末機器であって、前記端末機器はプロセッサを含み、前記プロセッサが、請求項１０〜請求項１６のいずれか１項に記載の方法を実行するように、メモリに記憶される命令を開始するためのものであることを特徴とする端末機器。
【請求項３５】
記憶媒体であって、前記記憶媒体にコンピュータプログラムが記憶されており、前記コンピュータプログラムがコンピューティング機器によって実行されるとき、前記記憶媒体が請求項１〜請求項９のいずれか１項に記載の方法を実現することを特徴とする記憶媒体。
【請求項３６】
記憶媒体であって、前記記憶媒体にコンピュータプログラムが記憶されており、前記コンピュータプログラムがコンピューティング機器によって実行されるとき、前記記憶媒体が請求項１０〜請求項１６のいずれか１項に記載の方法を実現することを特徴とする記憶媒体。
【請求項３７】
チップであって、前記チップはプロセッサを含み、前記プロセッサがメモリからコンピュータプログラムを開始して実行させることにより、前記チップが搭載された機器が請求項１〜請求項９のいずれか１項に記載のアップリンク信号の送信方法を実現することを特徴とするチップ。
【請求項３８】
チップであって、前記チップはプロセッサを含み、前記プロセッサがメモリからコンピュータプログラムを開始して実行させることにより、前記チップが搭載された機器が請求項１０〜請求項１６のいずれか１項に記載のアップリンク信号の送信方法を実行することを特徴とするチップ。
【発明の詳細な説明】
【技術分野】
【０００１】
本願の実施例は、通信分野に関し、さらに具体的には、アップリンク信号の送信方法及び端末機器に関する。
【背景技術】
【０００２】
従来の技術において、信号伝送の時間遅延を削減するために、信号伝送のために使用される時間単位（或いは伝送時間間隔）は１４個のシンボル未満とされることができ、即ち、信号伝送のために使用される伝送時間間隔は、短い伝送時間間隔（ｓｈｏｒｔ  Ｔｒａｎｓｍｉｓｓｉｏｎ  Ｔｉｍｅ  Ｉｎｔｅｒｖａｌ、ｓＴＴＩ）である。ｓＴＴＩは伝送時間単位の長さに基づいてタイムスロットＴＴＩ（ｓｌｏｔ−ＴＴＩ）とサブタイムスロットＴＴＩ（ｓｕｂｓｌｏｔ−ＴＴＩ）に分けられることができる。そのうち、タイムスロットＴＴＩの時間長さが７個のシンボルを含み、サブタイムスロットＴＴＩの時間長さが２個のシンボル又は３個のシンボルを含む。サブタイムスロットＴＴＩに対し、それぞれのサブタイムスロットＴＴＩ上のアップリンクデータチャネルを復調するための基準信号の位置はアップリンク認証情報によって指示される。異なる長さを持つアップリンクチャネルが伝送する際にオーバーラップが１つ又は複数個のシンボルで発生する可能性があるため、これらのオーバーラップされたシンボルで、複数のアップリンクチャネルを送信するための総送信電力が端末機器の最大送信電力を上回るとき、端末機器がアップリンクチャネルをどのように伝送するかは早急に解決しなければならない問題となっている。
【発明の概要】
【発明が解決しようとする課題】
【０００３】
本願の実施例は、同じ時間内に、異なるアップリンクチャネルを送信するための総送信電力が端末機器の最大送信電力を上回るとき、アップリンクチャネルを有効的に伝送することは実現できるアップリンク信号の送信方法及び端末機器を提供する。
【課題を解決するための手段】
【０００４】
第１の態様では、アップリンク信号の送信方法が提供されており、該方法は、端末機器がネットワーク機器によって送信されたアップリンク認証情報を受信し、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであることと、前記端末機器がアップリンクチャネルの優先度に基づき、前記第１のサブタイムスロットで前記第１のアップリンクチャネルを送信するかどうかを決定することと、を含む。
【０００５】
前記アップリンクチャネルの優先度は、低いレベルから高いレベルへ、サブフレームでハイブリッド自動再伝送要求−応答ＨＡＲＱ−ＡＣＫが含まれていないアップリンクチャネルと、タイムスロットでＨＡＲＱ−ＡＣＫが含まれていないアップリンクチャネルと、サブタイムスロットでＨＡＲＱ−ＡＣＫが含まれておらず且つ基準信号が含まれていないアップリンクチャネルと、サブタイムスロットでＨＡＲＱ−ＡＣＫが含まれておらず且つ基準信号が含まれているアップリンクチャネルと、サブフレームでＨＡＲＱ−ＡＣＫが含まれているアップリンクチャネルと、タイムスロットでＨＡＲＱ−ＡＣＫが含まれているアップリンクチャネルと、サブタイムスロットでＨＡＲＱ−ＡＣＫが含まれているアップリンクチャネルと、を含む。
【０００６】
したがって、本願の実施例において、同じ時間内に、異なるアップリンクチャネルを送信するための総送信電力が端末機器の最大送信電力を上回るとき、端末機器はアップリンクチャネルの優先度に基づいて該時間内にアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど伝送されるアップリンクチャネルの優先度が高いため、比較的に緊急度の高いアップリンクチャネルが優先して伝送されることが保証できる。
【０００７】
第１の態様に合わせて、第１の態様の１つの可能な実現形態において、前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【０００８】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含み、そのうち、前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しい。
【０００９】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含む。
【００１０】
前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００１１】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含む。
【００１２】
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００１３】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信しないと決定した場合、前記方法はさらに、前記端末機器が前記第２のサブタイムスロットで前記第２のアップリンクチャネルを送信しないと決定することを含む。
【００１４】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信しないと決定した場合、前記方法はさらに、前記端末機器が前記アップリンクチャネルの優先度に基づき、前記第２のサブタイムスロットで前記第２のアップリンクチャネルを送信するかどうかを決定することを含み、そのうち、前記第２のアップリンクチャネルの優先度が最も低い。
【００１５】
第１の態様又は上記いずれか１つの可能な実現形態に合わせて、第１の態様の他の可能な実現形態において、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。そのうち、前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアである。
【００１６】
第１の態様又は上記いずれか１つの可能な実現形態に合わせて、第１の態様の他の可能な実現形態において、前記端末機器は異なる時間長さを持つアップリンクチャネルを同時伝送する能力があり且つ異なる時間長さを持つアップリンクチャネルを同時伝送できるように構成されている。
【００１７】
第２の態様では、アップリンク信号の送信方法が提供されており、該方法は、端末機器がネットワーク機器によって送信されたアップリンク認証情報を受信し、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットとが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれていることと、前記端末機器が前記第１のアップリンクデータを送信するための第１の物理アップリンク共有チャネルＰＵＳＣＨ及び／又は前記第１のＵＣＩに含まれた情報内容に基づき、前記第２のサブタイムスロットで前記第１の基準信号と前記第１のＰＵＣＣＨとのうちの１つを送信することと、を含む。
【００１８】
したがって、本願の実施例において、同じ時間内に、基準信号とＰＵＣＣＨを送信するための総送信電力が端末機器の最大送信電力を上回るとき、端末機器は、重要なアップリンク制御情報の伝送と復調を確保するように、該基準信号が復調したＰＵＳＣＨに含まれた情報内容と該ＰＵＣＣＨに含まれた情報内容とに基づき、該時間内にアップリンクチャネルを伝送する。
【００１９】
第２の態様に合わせて、第２の態様の１つの可能な実現形態において、前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、前記端末機器が前記第２のサブタイムスロットで前記第１の基準信号と前記第１のＰＵＣＣＨとのうちの１つを送信することは、前記端末機器が前記第２のサブタイムスロットで前記第１のＰＵＣＣＨを送信することを含む。
【００２０】
第２の態様又は上記いずれか１つの可能な実現形態に合わせて、第２の態様の他の可能な実現形態において、前記第１のＰＵＳＣＨに第２のＵＣＩが含まれており且つ前記第２のＵＣＩにＨＡＲＱ−ＡＣＫ情報が含まれており、前記端末機器が前記第２のサブタイムスロットで前記第１の基準信号と前記第１のＰＵＣＣＨとのうちの１つを送信することは、前記端末機器が前記第２のサブタイムスロットで前記第１の基準信号を送信することを含む。
【００２１】
第２の態様又は上記いずれか１つの可能な実現形態に合わせて、第２の態様の他の可能な実現形態において、前記第１のＵＣＩにＨＡＲＱ−ＡＣＫ情報が含まれており、前記方法はさらに、前記端末機器が前記第１のサブタイムスロットで前記第１のＵＣＩ内のＨＡＲＱ−ＡＣＫ情報を送信することを含む。
【００２２】
第２の態様又は上記いずれか１つの可能な実現形態に合わせて、第２の態様の他の可能な実現形態において、前記第１のＵＣＩにＨＡＲＱ−ＡＣＫ情報が含まれており、前記方法はさらに、前記端末機器が前記第２のサブタイムスロットで前記第１のＰＵＣＣＨを送信することを含む。
【００２３】
第２の態様又は上記いずれか１つの可能な実現形態に合わせて、第２の態様の他の可能な実現形態において、前記第１のＵＣＩにＨＡＲＱ−ＡＣＫ情報が含まれておらず、前記方法はさらに、前記第１のＰＵＳＣＨに第２のＵＣＩが含まれており且つ前記第２のＵＣＩにＨＡＲＱ−ＡＣＫ情報が含まれている場合、前記端末機器が前記第２のサブタイムスロットで前記第１の基準信号を送信することを含む。
【００２４】
第２の態様又は上記いずれか１つの可能な実現形態に合わせて、第２の態様の他の可能な実現形態において、前記第１のＵＣＩにＨＡＲＱ−ＡＣＫ情報が含まれておらず、前記方法はさらに、前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記端末機器が前記第２のサブタイムスロットで前記第１のＰＵＣＣＨを送信することを含む。
【００２５】
第２の態様又は上記いずれか１つの可能な実現形態に合わせて、第２の態様の他の可能な実現形態において、前記端末機器はアップリンクチャネルを同時伝送する能力がない、または、前記端末機器はアップリンクチャネルを同時伝送する能力があるが、アップリンクチャネルを同時伝送しないように構成されている。
【００２６】
第３の態様では、端末機器が提供されており、該端末機器は上記第１の態様又は第１の態様の任意の選択的な実現形態における方法を実行することができる。具体的に、該端末機器は上記第１の態様又は第１の態様の任意の可能な実現形態における方法を実行するための機能的モジュールを含み得る。
【００２７】
第４の態様では、端末機器が提供されており、該端末機器は上記第２の態様又は第２の態様の任意の選択的な実現形態における方法を実行することができる。具体的に、該端末機器は上記第２の態様又は第２の態様の任意の可能な実現形態における方法を実行するための機能的モジュールを含み得る。
【００２８】
第５の態様では、端末機器が提供されており、プロセッサとメモリとを含む。該メモリがコンピュータプログラムを記憶するためのものであり、該プロセッサが該メモリに記憶されたコンピュータプログラムを開始して実行させることにより、上記第１の態様又は第１の態様の任意の可能な実現形態における方法を実行するためのものである。
【００２９】
第６の態様では、端末機器が提供されており、該端末機器がプロセッサとメモリとを含む。該メモリがコンピュータプログラムを記憶するためのものであり、該プロセッサが該メモリに記憶されたコンピュータプログラムを開始して実行させることにより、上記第２の態様又は第２の態様の任意の可能な実現形態における方法を実行するためのものである。
【００３０】
第７の態様では、チップが提供されており、上記第１の態様又は第１の態様の任意の可能な実現形態における方法を実現するためのものである。
【００３１】
具体的に、該チップはプロセッサを含み、前記プロセッサがメモリからコンピュータプログラムを開始して実行させることにより、該チップが搭載された機器は上記第１の態様又は第１の態様の任意の可能な実現形態に記載の方法を実行するためのものである。
【００３２】
第８の態様では、チップが提供されており、上記第２の態様又は第２の態様の任意の可能な実現形態における方法を実現するためのものである。
【００３３】
具体的に、該チップはプロセッサを含み、前記プロセッサがメモリからコンピュータプログラムを開始して実行させることにより、該チップが搭載された機器は上記第２の態様又は第２の態様の任意の可能な実現形態に記載の方法を実行するためのものである。
【００３４】
第９の態様では、コンピュータ可読記憶媒体が提供されており、コンピュータプログラムを記憶するためのものであり、該コンピュータプログラムは、コンピュータが上記第１の態様又は第１の態様の任意の可能な実現形態における方法を実行するようにさせるためのものである。
【００３５】
第１０の態様では、コンピュータ可読記憶媒体が提供されており、コンピュータプログラムを記憶するためのものであり、該コンピュータプログラムは、コンピュータが上記第２の態様又は第２の態様の任意の可能な実現形態における方法を実行するようにさせるためのものである。
【００３６】
第１１の態様では、コンピュータプログラム製品が提供されており、コンピュータプログラム命令を含み、該コンピュータプログラム命令は、コンピュータが上記第１の態様又は第１の態様の任意の可能な実現形態における方法を実行するようにさせるためのものである。
【００３７】
第１２の態様では、コンピュータプログラム製品が提供されており、コンピュータプログラム命令を含み、該コンピュータプログラム命令は、コンピュータが上記第２の態様又は第２の態様の任意の可能な実現形態における方法を実行するようにさせるためのものである。
【００３８】
第１３の態様では、コンピュータプログラムが提供されており、コンピュータで実行されたとき、コンピュータが上記第１の態様又は第１の態様の任意の可能な実現形態における方法を実行するようにさせるためのものである。
【００３９】
第１４の態様では、コンピュータプログラムが提供されており、コンピュータで実行されたとき、コンピュータが上記第２の態様又は第２の態様の任意の可能な実現形態における方法を実行するようにさせるためのものである。
【図面の簡単な説明】
【００４０】
【図１】本願の実施例で適用した１つの可能な無線通信システムの概略図である。
【図２（ａ）】タイムスロットＴＴＩの概略図である。
【図２（ｂ）】サブタイムスロットＴＴＩの概略図である。
【図３】本願の１つの実施例によるアップリンク信号の送信方法の概略フローチャートである。
【図４】本願の他の実施例によるアップリンク信号の送信方法の概略フローチャートである。
【図５】本願の１つの実施例による端末機器の概略ブロック図である。
【図６】本願の他の実施例による端末機器の概略ブロック図である。
【図７】本願の実施例による端末機器の概略構造図である。
【図８】本願の実施例によるチップの概略構造図である。
【発明を実施するための形態】
【００４１】
本願の実施例による技術的解決手段は、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、コードディビシオンマルチプルアアクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコードディビシオンマルチプルアアクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ（登録商標））システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、高度化したロングタームエボリューション（Ａｄｖａｎｃｅｄ  ｌｏｎｇ  ｔｅｒｍ  ｅｖｏｌｕｔｉｏｎ、ＬＴＥ−Ａ）システム、ニューラジオ（Ｎｅｗ  Ｒａｄｉｏ、ＮＲ）システム、ＮＲシステムのエボリューションシステム、アンライセンススペクトル上のＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンススペクトル上のＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、ワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）、ワイヤレスフィデリティ（Ｗｉｒｅｌｅｓｓ  Ｆｉｄｅｌｉｔｙ、ＷｉＦｉ（登録商標））、次世代通信システム又は他の通信システムなどに適用することができる。
【００４２】
一般的に、伝統的な通信システムによって支持される接続は数量が限られており、実現しやすいが、通信技術の発展に伴い、モバイル通信システムは伝統的な通信のみならず、デバイスツーデバイス（Ｄｅｖｉｃｅ  ｔｏ  Ｄｅｖｉｃｅ、Ｄ２Ｄ）通信、マシンツーマシン（Ｍａｃｈｉｎｅ  ｔｏ  Ｍａｃｈｉｎｅ、Ｍ２Ｍ）通信、マシンタイプ通信（Ｍａｃｈｉｎｅ  Ｔｙｐｅ  Ｃｏｍｍｕｎｉｃａｔｉｏｎ、ＭＴＣ）、および車両間（Ｖｅｈｉｃｌｅ  ｔｏ  Ｖｅｈｉｃｌｅ、Ｖ２Ｖ）通信なども支持するようになり、本願の実施例はこれらの通信システムに適用されてもよい。
【００４３】
選択的に、本願の実施例における通信システムは、キャリアアグリゲーション（Ｃａｒｒｉｅｒ  Ａｇｇｒｅｇａｔｉｏｎ、ＣＡ）シーンにも、また、二重接続（Ｄｕａｌ  Ｃｏｎｎｅｃｔｉｖｉｔｙ、ＤＣ）シーンにも、さらに、スタンドアロン（Ｓｔａｎｄａｌｏｎｅ、ＳＡ）デプロイメントシーンにも適用できる。
【００４４】
本願の実施例は適用するスペクトルを限定しない。例えば、本願の実施例はライセンススペクトルにも、また、ライセンス不要スペクトルにも適用できる。
【００４５】
図１は、本願の実施例で適用した１つの可能な無線通信システム１００を示した。該無線通信システム１００はネットワーク機器１１０を含み得る。ネットワーク機器１１０は端末機器と通信する機器であってもよい。ネットワーク機器１１０は特定の地理的エリアに通信カバレッジを提供することができ、かつ、該カバレッジエリア内にある端末機器と通信することができる。選択的に、該ネットワーク機器１００は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、また、ＷＣＤＭＡシステムにおける基地局（ＮｏｄｅＢ、ＮＢ）であってもよく、さらに、ＬＴＥシステムにおける進化型基地局（Ｅｖｏｌｕｔｉｏｎ  Ｎｏｄｅ  Ｂ、ｅＮＢ又はｅＮｏｄｅＢ）であってもよく、または、ＮＲシステムにおけるネットワーク側機器であってもよく、またはクラウドラジオアクセスネットワーク（Ｃｌｏｕｄ  Ｒａｄｉｏ  Ａｃｃｅｓｓ  Ｎｅｔｗｏｒｋ、ＣＲＡＮ）における無線コントローラーであってもよく、または、該ネットワーク機器は、中継局、アクセスポイント、車載機器、ウェアラブル機器、次世代ネットワークにおけるネットワーク側機器または未来の進化型公共陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク機器などであってもよい。
【００４６】
該無線通信システム１００はまた、ネットワーク機器１１０のカバレッジ範囲内にある少なくとも１つの端末機器１２０を含む。端末機器１２０はモバイルでも固定でもよい。選択的に、端末機器１２０は、アクセス端末、ユーザ機器（Ｕｓｅｒ  Ｅｑｕｉｐｍｅｎｔ、ＵＥ）、ユーザユニット、ユーザステーション、モバイルテーション、モバイル局、遠方ステーション、リモート端末、モバイル機器、ユーザ端末、端末、無線通信機器、ユーザエージェント又はユーザ装置のことを指してもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたこの他のプロセッシング機器、車載機器、ウェアラブル機器、未来の５Ｇネットワークにおける端末機器または未来の進化型ＰＬＭＮにおける端末機器などであってもよい。そのうち、選択的に、端末機器１２０の間では、端末直接接続（Ｄｅｖｉｃｅ  ｔｏ  Ｄｅｖｉｃｅ、Ｄ２Ｄ）通信を行ってもよい。
【００４７】
具体的に、ネットワーク機器１１０はセルにサービスを提供することができ、端末機器１２０は、該セルで使用される伝送リソース（例えば、周波数ドメインリソース、或いは、スペクトルリソース）を介してネットワーク機器１１０と通信し、該セルが、ネットワーク機器１１０（例えば、基地局）に対応するセルであってもよく、セルが、マクロ基地局に属してもよく、また、スモールセル（Ｓｍａｌｌ  ｃｅｌｌ）に対応する基地局に属してもよく、ここでスモールセルが、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。これらのスモールセルは、小さいカバレッジと低い送信電力の特性を備えており、高速データ伝送サービスの提供に適している。
【００４８】
図１は、１つのネットワーク機器と２つの端末機器を例示的に示しており、選択的に、該無線通信システム１００は複数のネットワーク機器を含むことができ、かつ、各ネットワーク機器のカバレッジ範囲内に他の数量の端末機器が含まれてもよく、本願の実施例はこれを限定しない。
【００４９】
選択的に、該無線通信システム１００はまた、ネットワークコントローラー、モバイル管理エンティティなど他のネットワークエンティティを含み得るが、本願の実施例はこれを限定しない。
【００５０】
アップリンクチャネルは、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）などを含み得ると理解すべきである。アップリンク基準信号は、アップリンク復調基準信号（ＤｅＭｏｄｕｌａｔｉｏｎ  Ｒｅｆｅｒｅｎｃｅ  Ｓｉｇｎａｌ、ＤＭＲＳ）、サウンディングリファレンスシグナル（Ｓｏｕｎｄｉｎｇ  Ｒｅｆｅｒｅｎｃｅ  Ｓｉｇｎａｌ、ＳＲＳ）、位相トラッキング基準信号（Ｐｈａｓｅ  Ｔｒａｃｋｉｎｇ  Ｒｅｆｅｒｅｎｃｅ  Ｓｉｇｎａｌ、ＰＴ−ＲＳ  ）などを含み得る。そのうち、アップリンクＤＭＲＳはアップリンクチャネルを復調するために使用することができ、ＳＲＳはアップリンクチャネルの測定、アップリンク時間周波数同期又は位相トラッキングのために使用することができ、ＰＴ−ＲＳもアップリンクチャネルの測定、アップリンク時間周波数同期又は位相トラッキングのために使用することができる。
【００５１】
また、アップリンクチャネルに、また、名称が上記と同じであり、機能が異なる物理チャネル又は基準信号が含まれてもよく、名称が上記と異なり、機能が同じである物理チャネル又は基準信号が含まれてもよいと理解すべきである。
【００５２】
さらに、本願の実施例による伝送対象は、アップリンクチャネルであってもよく、具体的には、ＰＵＳＣＨ及び／又はＰＵＣＣＨであってもよいと理解すべきである。ｓＴＴＩ伝送技術が導入された後、無線リンクでは信号伝送をスケジュールするスケジューリング単位はサブフレームＴＴＩ（即ち、ｓｕｂｆｒａｍｅ−ＴＴＩ、例えばＴＴＩの長さが１４個のシンボルである）、タイムスロットＴＴＩ（即ち、ｓｌｏｔ−ＴＴＩ、例えばＴＴＩの長さが７個のシンボルである）又はサブタイムスロットＴＴＩ（即ち、ｓｕｂｓｌｏｔ−ＴＴＩ、例えばＴＴＩの長さが２個のシンボル又は３個のシンボルである）であってもよい。即ち、ＰＵＳＣＨ及び／又はＰＵＣＣＨはサブフレームＴＴＩで伝送されたか、またはタイムスロットＴＴＩで伝送されたか、またはサブタイムスロットＴＴＩで伝送されることができる。
【００５３】
限定ではなく例示的なものとして、１つのタイムスロットＴＴＩの構造は図２（ａ）に示すように、１ミリ秒内に１４個のシンボルが含まれ、そのうち、前の７個のシンボルが１つのタイムスロットＴＴＩを形成し、後の７個のシンボルが１つのタイムスロットＴＴＩを形成し、それぞれのタイムスロットＴＴＩに対しては、基準信号が１つのタイムスロットの第４個のシンボルにある。
【００５４】
限定ではなく例示的なものとして、１つのサブタイムスロットＴＴＩの構造は図２（ｂ）に示すように、１ミリ秒内に含まれた１４個のシンボルが６つのサブタイムスロットＴＴＩに分けられ、そのうち最初と最後のサブタイムスロットＴＴＩではサブタイムスロットＴＴＩがそれぞれ３個のシンボルを含み、残る４つのサブタイムスロットＴＴＩではサブタイムスロットＴＴＩがそれぞれ２個のシンボルを含む。サブタイムスロットＴＴＩ構造では、それぞれのサブタイムスロットＴＴＩで伝送されたアップリンクチャネルを復調するための基準信号の位置は動的シグナリング、例えばアップリンク認証情報を用いて指示することができる。
【００５５】
表１は、サブタイムスロットＴＴＩの復調基準信号の位置を動的に指示する例を示す。表１に示すように、Ｄはアップリンクデータを伝送するためのシンボルを表し、Ｒは基準信号を伝送するためのシンボルを表し、端末機器はネットワーク機器によって送信された動的シグナリングに基づいてアップリンクデータシンボルと基準信号シンボルを送信するように指示する。具体的に、ｓＴＴＩ  ０は３個のシンボルを含み、ｓＴＴＩ  ０でのＰＵＳＣＨの復調に用いる基準信号はｓＴＴＩ  ０上の最初のシンボル又は最後のシンボルに位置してもよい。ｓＴＴＩ  １は２個のシンボルを含み、ｓＴＴＩ  １でのＰＵＳＣＨの復調に用いる基準信号はｓＴＴＩ  １での最初のシンボル又は最後のシンボルに位置してもよいが、また、ｓＴＴＩ  １に位置しなくてもよい。例えば、動的シグナリングがｓＴＴＩ  １で「ＤＤ」を伝送するように指示する場合、ｓＴＴＩ  １でのＰＵＳＣＨの復調に用いる基準信号はｓＴＴＩ  ０に位置することができ、動的シグナリングがｓＴＴＩ  １で「ＤＤ｜Ｒ」を伝送するように指示する場合、ｓＴＴＩ  １でのＰＵＳＣＨの復調に用いる基準信号はｓＴＴＩ  ２での最初のシンボルに位置する。ｓＴＴＩ  ２は２個のシンボルを含み、ｓＴＴＩ  ２でのＰＵＳＣＨの復調に用いる基準信号はｓＴＴＩ  ２での最初のシンボルに位置してもよいが、またはｓＴＴＩ  ２に位置しなくてもよい。例えば、動的シグナリングがｓＴＴＩ  ２で「ＤＤ」を伝送するように指示する場合、ｓＴＴＩ  ２でのＰＵＳＣＨの復調に用いる基準信号はｓＴＴＩ  ０又はｓＴＴＩ  １に位置することができる。ｓＴＴＩ  ３は２個のシンボルを含み、ｓＴＴＩ  ３でのＰＵＳＣＨの復調に用いる基準信号はｓＴＴＩ  ３上の最初のシンボル又は最後のシンボルに位置してもよいが、ｓＴＴＩ  ４での最初のシンボルに位置してもよい。ｓＴＴＩ  ４は２個のシンボルを含み、ｓＴＴＩ  ４でのＰＵＳＣＨの復調に用いる基準信号はｓＴＴＩ  ４での最初のシンボル又は最後のシンボルに位置してもよいが、ｓＴＴＩ  ４に位置しなくてもよい。例えば、動的シグナリングがｓＴＴＩ  ４で「ＤＤ」を伝送するように指示する場合、ｓＴＴＩ  ４でのＰＵＳＣＨの復調に用いる基準信号はｓＴＴＩ  ３に位置してもよく、動的シグナリングがｓＴＴＩ  ４で「ＤＤ｜Ｒ」を伝送するように指示する場合、ｓＴＴＩ  ４でのＰＵＳＣＨの復調に用いる基準信号はｓＴＴＩ  ５上の最初のシンボルに位置する。ｓＴＴＩ  ５は３個のシンボルを含み、ｓＴＴＩ  ５でのＰＵＳＣＨの復調に用いる基準信号はｓＴＴＩ  ５上の最初のシンボルに位置してもよい。
【００５６】
【表１】
2021529443.tif 000003
【００５７】
説明する必要があるのは、ＰＵＳＣＨに含まれたデータシンボルにアップリンク制御情報（Ｕｐｌｉｎｋ  Ｃｏｎｔｒｏｌ  Ｉｎｆｏｒｍａｔｉｏｎ、ＵＣＩ）が携帯されてもよいが、携帯されなくてもよい。そのうち、ＰＵＳＣＨで携帯されたＵＣＩはＨＡＲＱ−ＡＣＫとチャネル状態情報（Ｃｈａｎｎｅｌ  Ｓｔａｔｅ  Ｉｎｆｏｒｍａｔｉｏｎ、ＣＳＩ）とのうちの１つを含むことができ、そのうちＣＳＩがランクインジケーター（Ｒａｎｋ  Ｉｎｄｉｃａｔｉｏｎ、ＲＩ）、プリコーディングマトリックスインジケーター（Ｐｒｅｃｏｄｉｎｇ  Ｍａｔｒｉｘ  Ｉｎｄｉｃａｔｏｒ、ＰＭＩ）、チャネル品質インジケーター（Ｃｈａｎｎｅｌ  Ｑｕａｌｉｔｙ  Ｉｎｄｉｃａｔｏｒ、ＣＱＩ）のうちの１つを含む。
【００５８】
端末機器にはアップリンクチャネル伝送のために使用できる少なくとも２つのキャリアが設定されている場合、端末機器が該少なくとも２つのキャリアで伝送したアップリンクチャネルは時間ドメインで１つ又は複数個のシンボルがオーバーラップされている可能性があり、そのうち、該少なくとも２つのキャリア上のアップリンクチャネルのＴＴＩの長さは同じである可能性もあれば、異なる可能性もある。したがって、これらのオーバーラップされたシンボルでは、複数のアップリンクチャネルを送信するための総送信電力が端末機器の最大送信電力を上回るとき、端末機器は異なるキャリアでアップリンクチャネルをどのように送信するかを決定する必要がある。例えば、端末機器がｓＴＴＩ  ｎで「ＤＤ｜Ｒ」を使用してアップリンクデータを伝送するように動的にスケジュールされ、ｓＴＴＩ  ｎ＋１でアップリンクデータを伝送するようにスケジュールされない場合、端末機器はｓＴＴＩ  ｎで「ＤＤ」を伝送し、ｓＴＴＩ  ｎ＋１で「Ｒ」を伝送すべきである。同様のｓＴＴＩ  ｎ又はｓＴＴＩ  ｎ＋１で、該端末機器はまた、他のアップリンクチャネルを伝送すべきであり且つ端末機器の送信電力が制限されている（例えば１つの又は複数のアップリンクチャネルを送信するための端末機器の総送信電力が端末機器の最大送信電力を上回る）場合、端末機器はｓＴＴＩ  ｎで該アップリンクデータを送信するかどうか、およびｓＴＴＩ  ｎ＋１で該アップリンクデータを復調するための基準信号を送信するかどうかを決定する必要がある。
【００５９】
したがって、本願の実施例は、少なくとも２つのアップリンクチャネルが時間ドメインでオーバーラップされ、異なるアップリンクチャネルを送信するための総送信電力が端末機器の最大送信電力を上回るとき、端末機器はアップリンクチャネルの優先度に基づいて該アップリンクチャネルを伝送することを提案する。
【００６０】
本願の実施例において、表１を参照し、サブタイムスロットＴＴＩで伝送されたＰＵＳＣＨは、
ＰＵＳＣＨにデータシンボルと基準信号シンボルが含まれる状況であって、例えば端末機器が「ＲＤＤ」、「ＤＤＲ」、「ＲＤ」、又は「ＤＲ」を伝送するようにスケジュールされる第１の状況、
ＰＵＳＣＨにデータシンボルが含まれ且つ基準信号シンボルが含まれない状況であって、例えば端末機器が「ＤＤ」を伝送するようにスケジュールされるか、または、端末機器がｓＴＴＩ  ｎで「ＤＤ｜Ｒ」を伝送するようにスケジュールされる場合、端末機器はｓＴＴＩ  ｎで「ＤＤ」を伝送し、ｓＴＴＩ  ｎ＋１で「Ｒ」を伝送すべきであり、そのうち、ｓＴＴＩ  ｎで行われる伝送もこの状況に属する第２の状況、及び
ＰＵＳＣＨに基準信号シンボルが含まれ且つデータシンボルが含まれない状況であって、例えば端末機器がｓＴＴＩ  ｎで「ＤＤ｜Ｒ」を伝送するようにスケジュールされる場合、端末機器はｓＴＴＩ  ｎで「ＤＤ」を伝送し、ｓＴＴＩ  ｎ＋１で「Ｒ」を伝送すべきであり、そのうち、ｓＴＴＩ  ｎ＋１で行われる伝送がこの状況に属する第３の状況という３つの状況を含み得る。
【００６１】
説明する必要があるのは、端末機器がｓＴＴＩ  ｎで「ＤＤ｜Ｒ」を伝送するようにスケジュールされ、ｓＴＴＩ  ｎ＋１で「ＲＤ」を伝送するようにスケジュールされ且つｓＴＴＩ  ｎ＋１上のアップリンクチャネルによって占用された周波数リソースがｓＴＴＩ  ｎ上のアップリンクチャネルによって占用された周波数リソースを含む場合、端末機器はｓＴＴＩ  ｎで「ＤＤ」を伝送し、ｓＴＴＩ  ｎ＋１で「ＲＤ」を伝送すべきであり、この場合ではｓＴＴＩ  ｎ＋１で行われる伝送が上記の第１の状況に属する。
【００６２】
図３は、本願の実施例によるアップリンク信号の送信方法３００の概略フローチャートである。図３で説明した方法は端末機器によって実行されることができ、該端末機器は、例えば図１に示した端末機器１２０であってもよい。図３に示すように、該アップリンク信号の送信方法３００は以下のステップの一部又はすべてを含み得る。
【００６３】
３１０では、端末機器がネットワーク機器によって送信されたアップリンク認証情報を受信し、該アップリンク認証情報は、該端末機器が第１のサブタイムスロットで第１のアップリンクチャネルを送信し、および、第２のサブタイムスロットで第２のアップリンクチャネルを送信するように指示するためのものである。
【００６４】
該第１のアップリンクチャネルが第１のアップリンクデータを含み且つ基準信号を含まず、該第２のアップリンクチャネルが第１の基準信号を含み且つアップリンクデータを含まず、該第１のサブタイムスロットと該第２のサブタイムスロットとが第１のキャリアで隣接するサブタイムスロットであり、該第１のサブタイムスロットが該第２のサブタイムスロットの前に位置し、該第１の基準信号が該第１のアップリンクデータを復調するためのものである。
【００６５】
選択的に、本願の実施例において、第１のアップリンクチャネルは上記第２の状況に属し、第２のアップリンクチャネルは上記第３の状況に属する。
【００６６】
該アップリンク認証情報は１つのアップリンク認証情報であってもよく、また、複数のアップリンク認証情報であってもよいと理解すべきである。該端末機器は１つの又は複数のアップリンク認証情報を受信することができ、そのうち１つのアップリンク認証情報が１つのアップリンクチャネルをスケジュールしてもよいが、複数のアップリンクチャネルをスケジュールしてもよい。本願はこれを限定しない。
【００６７】
３２０では、該端末機器がアップリンクチャネルの優先度に基づき、該第１のサブタイムスロットで該第１のアップリンクチャネルを送信するかどうかを決定する。
【００６８】
該アップリンクチャネルの優先度は、低いレベルから高いレベルへ、
サブフレームでハイブリッド自動再伝送要求−応答（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ、ＨＡＲＱ−ＡＣＫ）が含まれていないアップリンクチャネルと、
・タイムスロットでＨＡＲＱ−ＡＣＫが含まれていないアップリンクチャネルと、
・サブタイムスロットでＨＡＲＱ−ＡＣＫが含まれておらず且つ基準信号が含まれていないアップリンクチャネルと、
・サブタイムスロットでＨＡＲＱ−ＡＣＫが含まれておらず且つ基準信号が含まれているアップリンクチャネルと、
・サブフレームでＨＡＲＱ−ＡＣＫが含まれているアップリンクチャネルと、
・タイムスロットでＨＡＲＱ−ＡＣＫが含まれているアップリンクチャネルと、
・サブタイムスロットでＨＡＲＱ−ＡＣＫが含まれているアップリンクチャネルと、を含む。
【００６９】
選択的に、ＨＡＲＱ−ＡＣＫ情報は、端末機器が受信したダウンリンクチャネルに対して行った対応するＡＣＫ又はＮＡＣＫのフィードバックであり、したがってＵＣＩがＰＵＳＣＨで伝送される場合、ＵＣＩ内のＨＡＲＱ−ＡＣＫ情報の優先度が最も高いと見なされてもよい。
【００７０】
選択的に、本願の実施例において、サブタイムスロット（ｓｕｂｓｌｏｔ）は２個のシンボル又は３個のシンボルを含み、タイムスロット（ｓｌｏｔ）は７個のシンボルを含み、サブフレームは１４個のシンボルを含む。該アップリンクチャネルの優先度順位では、サブタイムスロット上のアップリンクチャネルは２つのシンボル又は３つのシンボルであるｓＴＴＩ（即ち、ｓｕｂｓｌｏｔ−ＴＴＩ）で伝送されたアップリンクチャネルであり、タイムスロット上のアップリンクチャネルは７つのシンボルであるｓＴＴＩ（即ち、ｓｌｏｔ−ＴＴＩ）で伝送されたアップリンクチャネルであり、サブフレーム上のアップリンクチャネルは１４つのシンボルであるＴＴＩで伝送されたアップリンクチャネルである。
【００７１】
サブタイムスロット上のアップリンクチャネルはアップリンクデータのみ含むことができ、または基準信号のみ含み得るが、またはアップリンクデータと基準信号とを含む。
【００７２】
選択的に、端末機器はアップリンク認証情報を受信し、該アップリンク認証情報は、端末機器が第１のサブタイムスロットで第１のアップリンクチャネルを送信し、および、第２のサブタイムスロットで第２のアップリンクチャネルを送信するように指示し、該第１のアップリンクチャネルが第１のアップリンクデータを含み且つ基準信号を含まず、該第２のアップリンクチャネルが該第１のアップリンクデータを復調するための第１の基準信号を含み且つアップリンクデータを含まず、該端末機器が該第１のサブタイムスロットでＤＤ｜Ｒを伝送するようにスケジュールされ且つそのうちのＲが第２のサブタイムスロットで伝送され、かつ、第２のサブタイムスロットでは該端末機器のアップリンクデータ伝送がスケジュールされていないと理解できる。端末機器がまた、該第１のサブタイムスロットで他のアップリンクチャネルを伝送すると決定し且つ端末機器の送信電力が制限されている場合、端末機器はアップリンクチャネルの優先度に基づき、該第１のサブタイムスロットで該第１のアップリンクチャネルを送信するかどうかを決定することができる。
【００７３】
該アップリンクチャネルの優先度情報では、まず、アップリンクチャネルにＨＡＲＱ−ＡＣＫ情報が含まれているかどうかを考慮すると、そのうちＨＡＲＱ−ＡＣＫが含まれているアップリンクチャネルの優先度はＨＡＲＱ−ＡＣＫが含まれていないアップリンクチャネルの優先度より高い。次に、アップリンクチャネルの長さを考慮すると、そのうちサブタイムスロット上のアップリンクチャネルの優先度がタイムスロット上のアップリンクチャネルの優先度より高く、タイムスロット上のアップリンクチャネルの優先度がサブフレーム上のアップリンクチャネルの優先度より高い。
【００７４】
したがって、同じ時間内に、異なるアップリンクチャネルを送信するための総送信電力が端末機器の最大送信電力を上回るとき、端末機器はアップリンクチャネルの優先度に基づいてアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど、その上のアップリンクチャネルの優先度が高いため、比較的に緊急度の高いアップリンクチャネルが優先して伝送されることが保証できる。
【００７５】
選択的に、該実施例において、該端末機器は異なる時間長さを持つアップリンクチャネルを同時伝送する能力があり且つ異なる時間長さを持つアップリンクチャネルを同時伝送できるように構成されている。
【００７６】
該衝突したアップリンクチャネルのＴＴＩの長さは異なってもよいが、同じであってもよいと理解すべきである。
【００７７】
選択的に、長いほうのＴＴＩ上のアップリンクチャネルがすでに短いほうのＴＴＩ上のアップリンクチャネルと衝突した場合、この後該長いほうのＴＴＩ上のアップリンクチャネルが短いほうのＴＴＩ上のアップリンクチャネルと再度衝突すると、優先度を考慮せず該長いほうのＴＴＩ上のアップリンクチャネルを継続的に伝送する。例えば、サブタイムスロット上のアップリンクチャネルがサブフレーム上のアップリンクチャネルとあるｓＴＴＩで衝突したら、端末機器の送信電力が制限されており且つ該端末機器が優先度に基づいて該サブフレーム上のアップリンクチャネルを送信すると選択すると仮定すると、該サブフレーム上のアップリンクチャネルが該ｓＴＴＩの後に他の短いほうのＴＴＩ上のアップリンクチャネルと再度衝突した場合、優先度を考慮せず、該サブフレーム上のアップリンクチャネルを継続的に伝送する。
【００７８】
選択的に、長いほうのＴＴＩ上のアップリンクチャネルがすでに短いほうのＴＴＩ上のアップリンクチャネルと衝突し且つ長いほうのＴＴＩが送信しないと決定される場合、該長いほうのＴＴＩ上のアップリンクチャネルがこの後短いほうのＴＴＩ上のアップリンクチャネルと再度衝突しないと仮定し、即ち、該長いほうのＴＴＩとオーバーラップされた、この後に続く短いほうのＴＴＩで該長いほうのＴＴＩ上のアップリンクチャネルの優先度を考慮しない。例えば、サブタイムスロット上のアップリンクチャネルがサブフレーム上のアップリンクチャネルとあるｓＴＴＩで衝突し、端末機器の送信電力が制限されており且つ該端末機器が優先度に基づいて該サブタイムスロット上のアップリンクチャネルを送信し且つ該サブフレーム上のアップリンクチャネルを送信しないと選択したと仮定すると、該サブフレーム上のアップリンクチャネルが該ｓＴＴＩの後にも再度送信されないと仮定し、即ち、該サブフレーム上のアップリンクチャネルが該ｓＴＴＩの後のｓＴＴＩでのアップリンク伝送に干渉を与えない。
【００７９】
長いほうのＴＴＩが短いほうのＴＴＩと衝突することは、サブタイムスロット上のアップリンクチャネルがタイムスロット上のアップリンクチャネルと衝突する場合であってもよく、サブタイムスロット上のアップリンクチャネルがサブフレーム上のアップリンクチャネルと衝突する場合であってもよく、またはタイムスロット上のアップリンクチャネルがサブフレーム上のアップリンクチャネルと衝突する場合であってもよいと理解すべきである。
【００８０】
選択的に、該第１のアップリンクチャネルにＨＡＲＱ−ＡＣＫが含まれていない場合、該第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【００８１】
３２０では、該端末機器が該アップリンクチャネルの優先度に基づき、該第１のサブタイムスロットで該第１のアップリンクチャネルを送信しないと決定した場合、該方法はさらに、該端末機器が該アップリンクチャネルの優先度に基づき、該第２のサブタイムスロットで該第２のアップリンクチャネルを送信しないと決定することを含み得る。
【００８２】
端末機器が該第１のサブタイムスロットで第１のアップリンクデータを伝送するための第１のアップリンクチャネルを送信しなくて、該第２のタイムスロット上の該第１の基準信号が該第１のアップリンクチャネルを復調するためのものであるため、該第１のアップリンクチャネルが伝送されない場合、端末機器は該第２のサブタイムスロットで該第１の基準信号を伝送するための該第２のアップリンクチャネルを再度送信しなくてもよい。
【００８３】
または、３２０では、該端末機器が該アップリンクチャネルの優先度に基づき、該第１のサブタイムスロットで該第１のアップリンクチャネルを送信しないと決定した場合、該方法はさらに、該端末機器が該アップリンクチャネルの優先度に基づき、該第２のサブタイムスロットで該第２のアップリンクチャネルを送信するかどうかを決定することを含み、そのうち、該第２のアップリンクチャネルの優先度が最も低い。
【００８４】
端末機器が該第１のサブタイムスロットで第１のアップリンクデータを伝送するための第１のアップリンクチャネルを送信しない場合、該第２のタイムスロットで該第１の基準信号をも伝送しないと、該第２のタイムスロット上のリソースを無駄してしまうため、該実施例において、該第１の基準信号を伝送するための該第２のアップリンクチャネルの優先度を最も低く並べるようにすると、該第２のアップリンクチャネルが第２のタイムスロットで他のアップリンクチャネル送信と衝突し且つ端末機器の送信電力が制限されている場合、他の有用なアップリンクチャネルを送信することが優先して保証されることができ、かつ、該第２のアップリンクチャネルが第２のタイムスロットで他のチャネルと衝突しない場合、該第２のアップリンクチャネルを送信することができるようになり、このとき、第２のアップリンクチャネル内の該第１の基準信号は、ネットワーク機器がアップリンクチャネルの測定、アップリンク同期などを行うように手伝うことができる。
【００８５】
３２０では、該端末機器が該アップリンクチャネルの優先度に基づき、該第１のサブタイムスロットで該第１のアップリンクチャネルを送信すると決定した場合、該方法はさらに、該端末機器が該アップリンクチャネルの優先度に基づき、該第２のサブタイムスロットで該第２のアップリンクチャネルを送信するかどうかを決定することを含み得る。
【００８６】
具体的に、端末機器が該第１のサブタイムスロットで該第１のアップリンクチャネルを送信すると決定した場合、該第１のアップリンクデータを復調するための基準信号が第２のサブタイムスロットで伝送されているため、端末機器はまた、該第２のサブタイムスロットで該第２のアップリンクチャネルを送信するかどうかを決定する必要がある。該第２のサブタイムスロットで該第２のアップリンクチャネルを送信するかどうかを決定することは、端末機器が上記のアップリンクチャネルの優先度の情報に基づいて行われることができる。
【００８７】
本願の実施例において、端末機器は以下の４つの方式を通じて、該第２のアップリンクチャネルの優先度を判定することができる。
【００８８】
方式１
【００８９】
該第１のアップリンクチャネルにＨＡＲＱ−ＡＣＫが含まれている場合、該第２のアップリンクチャネルの優先度は、サブタイムスロットでＨＡＲＱ−ＡＣＫが含まれているアップリンクチャネルの優先度に等しい。
【００９０】
該第１のアップリンクチャネルにＨＡＲＱ−ＡＣＫが含まれていない場合、該第２のアップリンクチャネルの優先度は、サブタイムスロットでＨＡＲＱ−ＡＣＫが含まれておらず且つ基準信号が含まれているアップリンクチャネルの優先度に等しい。
【００９１】
方式２
【００９２】
該第１のアップリンクチャネルにＨＡＲＱ−ＡＣＫが含まれている場合、該第２のアップリンクチャネルの優先度は、サブタイムスロットでＨＡＲＱ−ＡＣＫが含まれているアップリンクチャネルの優先度に等しい。
【００９３】
該第１のアップリンクチャネルにＨＡＲＱ−ＡＣＫが含まれていない場合、該第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００９４】
方式３
【００９５】
該第２のアップリンクチャネルの優先度は、サブタイムスロットでＨＡＲＱ−ＡＣＫが含まれておらず且つ基準信号が含まれているアップリンクチャネルの優先度に等しい。
【００９６】
方式４
【００９７】
該第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００９８】
選択的に、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。
【００９９】
該第１のキャリアは該端末機器の設定されたプライマリ物理アップリンク制御チャネルＰＵＣＣＨグループ内のキャリアであり、該第２のキャリアは該端末機器の設定されたセカンダリＰＵＣＣＨグループ内のキャリアである。
【０１００】
このとき、前述した該アップリンクチャネルの優先度は、低いレベルから高いレベルへ、
・  第２のキャリア上のサブフレームでＨＡＲＱ−ＡＣＫが含まれていないアップリンクチャネルと、
・  第１のキャリア上のサブフレームでＨＡＲＱ−ＡＣＫが含まれていないアップリンクチャネルと、
・  第２のキャリア上のタイムスロットでＨＡＲＱ−ＡＣＫが含まれていないアップリンクチャネルと、
・  第１のキャリア上のタイムスロットでＨＡＲＱ−ＡＣＫが含まれていないアップリンクチャネルと、
・  第２のキャリア上のサブタイムスロットでＨＡＲＱ−ＡＣＫが含まれておらず且つ基準信号が含まれていないアップリンクチャネルと、
・  第１のキャリア上のサブタイムスロットでＨＡＲＱ−ＡＣＫが含まれておらず且つ基準信号が含まれていないアップリンクチャネルと、
・  第２のキャリア上のサブタイムスロットでＨＡＲＱ−ＡＣＫが含まれておらず且つ基準信号が含まれているアップリンクチャネルと、
・  第１のキャリア上のサブタイムスロットでＨＡＲＱ−ＡＣＫが含まれておらず且つ基準信号が含まれているアップリンクチャネルと、
・  第２のキャリア上のサブフレームでＨＡＲＱ−ＡＣＫが含まれているアップリンクチャネルと、
・  第１のキャリア上のサブフレームでＨＡＲＱ−ＡＣＫが含まれているアップリンクチャネルと、
・  第２のキャリア上のタイムスロットでＨＡＲＱ−ＡＣＫが含まれているアップリンクチャネルと、
・  第１のキャリア上のタイムスロットでＨＡＲＱ−ＡＣＫが含まれているアップリンクチャネルと、
・  第２のキャリア上のサブタイムスロットでＨＡＲＱ−ＡＣＫが含まれているアップリンクチャネルと、
・  第１のキャリア上のサブタイムスロットでＨＡＲＱ−ＡＣＫが含まれているアップリンクチャネルと、を含み得る。
【０１０１】
対応的に、端末機器が該第１のアップリンクチャネルの優先度を決定するとき、該第１のアップリンクチャネルが属したＰＵＣＣＨグループにも配慮を払う必要がある。同様に、端末機器が該第２のアップリンクチャネルの優先度を決定するとき、第２のアップリンクチャネルが属したＰＵＣＣＨグループにも配慮を払う必要がある。
【０１０２】
第１のアップリンクチャネルを例として、第１のアップリンクチャネルと他のアップリンクチャネル（第３のアップリンクチャネルであると仮定する）とが第１のサブタイムスロットで衝突し且つ該第３のアップリンクチャネルと該第１のアップリンクチャネルとが同じＰＵＣＣＨグループに属し、即ち、該第３のアップリンクチャネルと該第１のアップリンクチャネルとがいずれも同一ＰＵＣＣＨグループ内のキャリアで伝送され、かつ、第３のアップリンクチャネルの長さが第１のアップリンクチャネルの長さと異なる場合、比較的長いほうのアップリンクチャネルを伝送せず、比較的長いほうのアップリンクチャネルにＨＡＲＱ−ＡＣＫが携帯されている場合、該ＨＡＲＱ−ＡＣＫが比較的短いほうのアップリンクチャネルで伝送されてもよい。
【０１０３】
第１のアップリンクチャネルと第３のアップリンクチャネルとが第１のサブタイムスロットで衝突し且つ該第３のアップリンクチャネルと該第１のアップリンクチャネルとが同じＰＵＣＣＨグループに属し、かつ、第３のアップリンクチャネルの長さが第１のアップリンクチャネルの長さと同じである場合、前述した優先度に基づいて第１のサブタイムスロットでどのアップリンクチャネルを伝送するかが判定できる。この場合では、第１のアップリンクチャネルに基準信号とＨＡＲＱ−ＡＣＫとが携帯されている状況が第３のアップリンクチャネルに基準信号とＨＡＲＱ−ＡＣＫとが携帯されている状況と同じである場合、該第１のアップリンクチャネルと該第３のアップリンクチャネルとに対応するセルインデックス（識別子）に基づいて両方の優先度を決定することができる。例えば、第１のアップリンクチャネルがプライマリＰＵＣＣＨグループ内のキャリア１で伝送され、第３のアップリンクチャネルがプライマリＰＵＣＣＨグループ内のキャリア２で伝送され、キャリア１に対応するセルインデックスがキャリア２に対応するセルインデックスより小さい場合、第１のアップリンクチャネルの優先度が第３のアップリンクチャネルの優先度より高い。第１のアップリンクチャネルと第３のアップリンクチャネルとが第１のサブタイムスロットで衝突し且つ該第３のアップリンクチャネルと該第１のアップリンクチャネルとが異なるＰＵＣＣＨグループに属し、かつ、第３のアップリンクチャネルの長さが第１のアップリンクチャネルの長さと同じまたは異なる場合、前述した優先度に基づいて第１のサブタイムスロットでどのアップリンクチャネルを伝送するかが判定できる。
【０１０４】
以下は表２から表６までの表に合わせて例を挙げながら説明する。プライマリＰＵＣＣＨグループ内の第１のキャリアはｓＴＴＩ  ｎでＤＤ｜Ｒがスケジュールされたと仮定し、そのうちアップリンクデータＤＤがｓＴＴＩ  ｎで送信され、ＤＤを復調するための基準信号ＲがｓＴＴＩ  ｎ＋１で送信される。端末機器は送信電力が制限されているとき、アップリンクチャネルの送信状況は以下のように示すことができる。そのうち、「＝」で引かれたアップリンクチャネルは優先度が低いアップリンクチャネルを表し、即ち、「＝」で引かれたアップリンクチャネルは送信されないか又は電力が低くされて送信される。そのうち、「ｗ／」は肯定の意味であり、「ｗ／ｏ」は否定の意味であり、対応的に、「ｗ／  ＨＡＲＱ−ＡＣＫ」は該アップリンクチャネルにＨＡＲＱ−ＡＣＫが携帯されていることを表し、「ｗ／ｏ  ＨＡＲＱ−ＡＣＫ」は該アップリンクチャネルにＨＡＲＱ−ＡＣＫが携帯されていないことを表す。
【０１０５】
表２において、ｓＴＴＩ  ｎでは、プライマリＰＵＣＣＨグループ内のキャリア上のＰＵＳＣＨ  ｗ／  ＨＡＲＱ−ＡＣＫの優先度は、セカンダリＰＵＣＣＨグループ内のキャリア上のＰＵＳＣＨの優先度より高いため、セカンダリＰＵＣＣＨグループ内のキャリアではｓＴＴＩ  ｎ上のＰＵＳＣＨが送信されることはない。
【０１０６】
ｓＴＴＩ  ｎ＋１では、前述した方式１又は方式２を使用して優先度を判定すると仮定すると、プライマリＰＵＣＣＨグループ内のキャリアで送信された基準信号がｓＴＴＩ  ｎ上のＰＵＳＣＨ  ｗ／  ＨＡＲＱ−ＡＣＫを復調するためのものであるため、プライマリＰＵＣＣＨグループ内のキャリア上の、該基準信号を伝送するためのアップリンクチャネルの優先度は、セカンダリＰＵＣＣＨグループ内のキャリアで送信されたＰＵＳＣＨ  ｗ／  ＵＣＩの優先度より高く、したがって、セカンダリＰＵＣＣＨグループ内のキャリアではｓＴＴＩ  ｎ＋１上のＰＵＳＣＨ  ｗ／  ＨＡＲＱ−ＡＣＫが送信されることはない。
【０１０７】
【表２】
2021529443.tif 000004
【０１０８】
表３において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／  ＨＡＲＱ−ＡＣＫの優先度より低いため、プライマリＰＵＣＣＨグループ内のキャリアではｓＴＴＩ  ｎ上のＰＵＳＣＨ  ｗ／ｏ  ＨＡＲＱ−ＡＣＫが送信されることはない。
【０１０９】
ｓＴＴＩ  ｎ＋１では、プライマリＰＵＣＣＨグループ内のキャリアではｓＴＴＩ  ｎ上のＰＵＳＣＨ  ｗ／ｏ  ＨＡＲＱ−ＡＣＫが送信されず、セカンダリＰＵＣＣＨグループ上にあるのがＰＵＳＣＨ  ｗ／  ＨＡＲＱ−ＡＣＫであるため、プライマリＰＵＣＣＨグループ内のキャリアでは該基準信号を伝送するためのアップリンクチャネルの優先度が最も低く、これにより送信されることはない。
【０１１０】
【表３】
2021529443.tif 000005
【０１１１】
表４において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／ｏ  ＨＡＲＱ−ＡＣＫの優先度より高いため、セカンダリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１２】
ｓＴＴＩ  ｎ＋１では、セカンダリＰＵＣＣＨグループ内のキャリアで送信されるのがＰＵＳＣＨ  ｗ／  ＨＡＲＱ−ＡＣＫであり、プライマリＰＵＣＣＨグループ内のキャリアでは該基準信号を伝送するためのアップリンクチャネルの優先度が、セカンダリＰＵＣＣＨグループ内のキャリアではｓＴＴＩ  ｎ＋１で送信されたＰＵＳＣＨ  ｗ／  ＨＡＲＱ−ＡＣＫの優先度より低いため、プライマリＰＵＣＣＨグループ内のキャリアでの該基準信号が送信されることはない。
【０１１３】
【表４】
2021529443.tif 000006
【０１１４】
表５において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／  ＨＡＲＱ−ＡＣＫの優先度より低いため、プライマリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１５】
ｓＴＴＩ  ｎ＋１では、プライマリＰＵＣＣＨグループ内のキャリアではｓＴＴＩ  ｎ上のＰＵＳＣＨ  ｗ／ｏ  ＨＡＲＱ−ＡＣＫが送信されず、セカンダリＰＵＣＣＨグループ内のキャリアではｓＴＴＩ  ｎ＋１上にあるのがＰＵＳＣＨ  ｗ／ｏ  ＨＡＲＱ−ＡＣＫであるため、プライマリＰＵＣＣＨグループ内のキャリアでは該基準信号を伝送するためのアップリンクチャネルの優先度が最も低く、これにより送信されることはない。
【０１１６】
【表５】
2021529443.tif 000007
【０１１７】
表６において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／ｏ  ＨＡＲＱ−ＡＣＫの優先度より高いため、セカンダリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１８】
ｓＴＴＩ  ｎ＋１では、前述した方式２又は方式４を使用して優先度を判定すると仮定すると、セカンダリＰＵＣＣＨグループ内のキャリアで送信されるのがＰＵＳＣＨ  ｗ／ｏ  ＨＡＲＱ−ＡＣＫであり、プライマリＰＵＣＣＨグループ内のキャリアではｓＴＴＩ  ｎ＋１で伝送された基準信号がｓＴＴＩ  ｎで送信されたＰＵＳＣＨ  ｗ／ｏ  ＨＡＲＱ−ＡＣＫを復調するためのものである。プライマリＰＵＣＣＨグループ内のキャリアではｓＴＴＩ  ｎ＋１上の、該基準信号を伝送するためのアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあるため、セカンダリＰＵＣＣＨグループ内のキャリアではｓＴＴＩ  ｎ＋１上のアップリンクチャネルが基準信号を含む場合、プライマリＰＵＣＣＨグループ内のキャリアでは該基準信号をｓＴＴＩ  ｎ＋１で伝送するためのアップリンクチャネルが伝送されることはなく、セカンダリＰＵＣＣＨグループ内のキャリアではｓＴＴＩ  ｎ＋１上のアップリンクチャネルが基準信号を含まない場合、セカンダリＰＵＣＣＨグループ内のキャリア上のＰＵＳＣＨ  ｗ／ｏ  ＨＡＲＱ−ＡＣＫが伝送されることはない。
【０１１９】
【表６】
2021529443.tif 000008
【０１２０】
本願の実施例において、第１のサブタイムスロットで第１のアップリンクチャネルと他のアップリンクチャネルとを送信するための総送信電力が端末機器の最大送信電力を上回るとき、端末機器がアップリンクチャネルの優先度に基づき、該第１のサブタイムスロットで該他のアップリンクチャネルを送信すると決定した場合、該端末機器は該第１のサブタイムスロットで該第１のアップリンクチャネルを送信しなくてもよいが、または、通常通りの電力で他のアップリンクチャネルを送信した後に、電力が残ったら、該残る電力を使用して該第１のアップリンクチャネルを送信すると理解すべきである。
【０１２１】
選択的に、第２のアップリンクチャネルでの基準信号が第１のアップリンクチャネルでのアップリンクデータを復調するためのものであるため、第１のアップリンクチャネルの送信電力が低下したとき、第２のアップリンクチャネルが通常通りに送信できる場合、第２のアップリンクチャネルも第１のアップリンクチャネルと同じ送信電力を使用して送信されるべきであり、これにより第１のアップリンクチャネルの復調性能が保証される。
【０１２２】
選択的に、第１のアップリンクチャネルが通常通りの電力に従って送信され、第２のアップリンクチャネルは制限された電力と比較的優先度の低いチャネルのため送信電力が低くされる必要がある場合、該第２のアップリンクチャネルを送信しなくてもよい。
【０１２３】
図４は、本願の実施例によるアップリンク信号の送信方法４００の概略フローチャートである。図４で説明した方法は端末機器によって実行されることができ、該端末機器は例えば図１に示した端末機器１２０であってもよい。図４に示すように、該アップリンク信号の送信方法４００は以下のステップの一部又はすべてを含み得る。
【０１２４】
４１０では、端末機器がネットワーク機器によって送信されたアップリンク認証情報を受信し、該アップリンク認証情報は、該端末機器が第１のサブタイムスロットで第１のアップリンクデータを送信し、および、第２のサブタイムスロットで第１の基準信号を送信し且つアップリンクデータを送信しないように指示するためのものである。
【０１２５】
該第１のサブタイムスロットと該第２のサブタイムスロットとが隣接するサブタイムスロットであり、該第１のサブタイムスロットが該第２のサブタイムスロットの前に位置し、該第１の基準信号が該第１のアップリンクデータを復調するためのものであり、該第２のサブタイムスロットがまた、第１のＰＵＣＣＨを送信するためのものであり、該第１のＰＵＣＣＨに第１のアップリンク制御情報ＵＣＩが含まれている。
【０１２６】
４２０では、該端末機器が該第１のアップリンクデータを送信するための第１のＰＵＳＣＨ及び／又は該第１のＵＣＩに含まれた情報内容に基づき、該第２のサブタイムスロットで該第１の基準信号と該第１のＰＵＣＣＨとのうちの１つを送信する。
【０１２７】
具体的に、端末機器はアップリンク認証情報を受信し、該アップリンク認証情報は、端末機器が第１のサブタイムスロットで第１のアップリンクデータを送信し、および、第２のサブタイムスロットで該第１のアップリンクデータを復調するための第１の基準信号を送信し且つアップリンクデータを送信しないように指示する。該端末機器が該第１のサブタイムスロットでＤＤ｜Ｒを伝送するようにスケジュールされ且つそのうちのＲが第２のサブタイムスロットで伝送され、かつ、第２のサブタイムスロットでは該端末機器のアップリンクデータ伝送がスケジュールされていないと理解できる。端末機器はまた、該第２のサブタイムスロットで第１のＰＵＣＣＨを伝送する必要がある（例えば端末機器が該第２のサブタイムスロットでダウンリンク伝送されたデータに対してＨＡＲＱ−ＡＣＫフィードバックを行い、又は端末機器がＣＳＩ報告を行う）場合、端末機器は、該基準信号が復調した第１のＰＵＳＣＨに含まれた情報内容と該第１のＰＵＣＣＨに含まれた情報内容とに基づき、該第２のサブタイムスロット内でアップリンクチャネルを伝送する。
【０１２８】
選択的に、該第１のＰＵＣＣＨと該基準信号とは同一キャリアの第２のサブタイムスロットで衝突してもよいが、該第１のＰＵＣＣＨと該基準信号とは異なるキャリアの第２のサブタイムスロットで衝突してもよい。例えば一方が第１のキャリアにあるのに対して他方が第２のキャリアにあり、そのうち、該第１のキャリアは該端末機器の設定されたプライマリ物理アップリンク制御チャネルＰＵＣＣＨグループ内のキャリアであり、該第２のキャリアは該端末機器の設定されたセカンダリＰＵＣＣＨグループ内のキャリアである。
【０１２９】
該第１のＰＵＣＣＨに第１のＵＣＩが含まれる。該第１のＵＣＩはＨＡＲＱ−ＡＣＫ情報、スケジューリング要求情報及びチャネル状態情報（Ｃｈａｎｎｅｌ  Ｓｔａｔｅ  Ｉｎｆｏｒｍａｔｉｏｎ、ＣＳＩ）のうちの１つを含むことができ、そのうちＣＳＩがランクインジケーター（Ｒａｎｋ  Ｉｎｄｉｃａｔｉｏｎ、ＲＩ）、プリコーディングマトリックスインジケーター（Ｐｒｅｃｏｄｉｎｇ  Ｍａｔｒｉｘ  Ｉｎｄｉｃａｔｏｒ、ＰＭＩ）、チャネル品質インジケーター（Ｃｈａｎｎｅｌ  Ｑｕａｌｉｔｙ  Ｉｎｄｉｃａｔｏｒ、ＣＱＩ）のうちの１つを含む。
【０１３０】
したがって、本願の実施例において、端末機器がアップリンクチャネルを同時伝送しない場合、端末機器は、重要なアップリンク制御情報の伝送と復調を確保するように、該基準信号が復調したＰＵＳＣＨに含まれた情報内容と該ＰＵＣＣＨに含まれた情報内容とに基づき、該時間内にアップリンクチャネルを伝送する。
【０１３１】
選択的に、該実施例において、該端末機器はアップリンクチャネルを同時伝送する能力がない、または、該端末機器はアップリンクチャネルを同時伝送する能力があるが、アップリンクチャネルを同時伝送しないように構成されている。
【０１３２】
該第１のアップリンクデータにＵＣＩが含まれてもよいが、含まれなくてもよいと理解すべきである。
【０１３３】
選択的に、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、４２０では、該端末機器が該第２のサブタイムスロットで該第１の基準信号と該第１のＰＵＣＣＨのうちの１つを送信することは、該端末機器が該第２のサブタイムスロットで該第１のＰＵＣＣＨを送信することを含む。
【０１３４】
例えば表７に示すように、ＰＵＳＣＨとＰＵＣＣＨとがｓＴＴＩ  ｎで衝突することはないが、ｓＴＴＩ  ｎ＋１でのみ衝突した。ｓＴＴＩ  ｎで伝送されたＰＵＳＣＨにＨＡＲＱ−ＡＣＫが含まれていないため、ｓＴＴＩ  ｎ＋１上の該基準信号が伝送されない。
【０１３５】
【表７】
2021529443.tif 000009
【０１３６】
また、例えば表８に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＵＣＩが含まれているが該ＵＣＩにＨＡＲＱ−ＡＣＫが含まれておらず、該ＵＣＩはＰＵＳＣＨで伝送されることができる。そこで、ｓＴＴＩ  ｎで伝送されたＰＵＳＣＨにＨＡＲＱ−ＡＣＫが含まれていないため、ｓＴＴＩ  ｎ＋１上の該基準信号が伝送されない。
【０１３７】
【表８】
2021529443.tif 000010
【０１３８】
選択的に、該第１のＰＵＳＣＨに第２のＵＣＩが含まれており且つ該第２のＵＣＩにＨＡＲＱ−ＡＣＫ情報が含まれている場合、４２０では、該端末機器が該第２のサブタイムスロットで該第１の基準信号と該第１のＰＵＣＣＨのうちの１つを送信することは、該端末機器が該第２のサブタイムスロットで該第１の基準信号を送信することを含む。
【０１３９】
例えば表９に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫが含まれており、該ＨＡＲＱ−ＡＣＫはＰＵＳＣＨで伝送されることができる。そこで、ｓＴＴＩ  ｎで伝送されたＰＵＳＣＨにＨＡＲＱ−ＡＣＫが含まれているため、ｓＴＴＩ  ｎ上のＰＵＳＣＨを復調するために、ｓＴＴＩ  ｎ＋１でＰＵＣＣＨを伝送するのではなく、基準信号を伝送する。
【０１４０】
【表９】
2021529443.tif 000011
【０１４１】
選択的に、該第１のＵＣＩにＨＡＲＱ−ＡＣＫ情報が含まれている場合、該方法はさらに、該端末機器が該第１のサブタイムスロットで該第１のＵＣＩ内のＨＡＲＱ−ＡＣＫ情報を送信すること含む。
【０１４２】
例えば表１０に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫ１が含まれており、該ＨＡＲＱ−ＡＣＫ１はＰＵＳＣＨで伝送されることができる。そこで、ｓＴＴＩ  ｎで伝送されたＰＵＳＣＨにＨＡＲＱ−ＡＣＫ１が含まれているため、ｓＴＴＩ  ｎ上のＰＵＳＣＨを復調するために、ｓＴＴＩ  ｎ＋１でＰＵＣＣＨを伝送するのではなく、基準信号を伝送する、しかし、ｓＴＴＩ  ｎ＋１上のＰＵＣＣＨにＨＡＲＱ−ＡＣＫ２が含まれていることを考慮すると、該ＨＡＲＱ−ＡＣＫ２の伝送を保証するために、該ＨＡＲＱ−ＡＣＫ２もｓＴＴＩ  ｎのＰＵＳＣＨに伝送してもよい。
【０１４３】
【表１０】
2021529443.tif 000012
【０１４４】
選択的に、該第１のＵＣＩにＨＡＲＱ−ＡＣＫ情報が含まれている場合、該方法はさらに、該端末機器が該第２のサブタイムスロットで該第１のＰＵＣＣＨを送信することを含む。
【０１４５】
例えば表１１に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫ１が含まれており、該ＨＡＲＱ−ＡＣＫ１はＰＵＳＣＨで伝送されることができる。しかし、ｓＴＴＩ  ｎ＋１で伝送されたＰＵＣＣＨにＨＡＲＱ−ＡＣＫ２が含まれていることを考慮すると、ｓＴＴＩ  ｎ＋１でＨＡＲＱ−ＡＣＫ２の優先度が基準信号より高いため、ｓＴＴＩ  ｎ＋１で基準信号を伝送するのではなく、ＰＵＣＣＨを伝送する。
【０１４６】
【表１１】
2021529443.tif 000013
【０１４７】
選択的に、該第１のＵＣＩにＨＡＲＱ−ＡＣＫ情報が含まれていない場合、該方法はさらに、該第１のＰＵＳＣＨに第２のＵＣＩが含まれており且つ該第２のＵＣＩにＨＡＲＱ−ＡＣＫ情報が含まれている場合、該端末機器が該第２のサブタイムスロットで該第１の基準信号を送信することを含む。
【０１４８】
例えば表１２に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫが含まれており、該ＨＡＲＱ−ＡＣＫはＰＵＳＣＨで伝送されることができる。ｓＴＴＩ  ｎ＋１で伝送されるＰＵＣＣＨにＨＡＲＱ−ＡＣＫが含まれていないため、ｓＴＴＩ  ｎ上のＰＵＳＣＨを復調するために、ｓＴＴＩ  ｎ＋１でＰＵＣＣＨを伝送するのではなく、基準信号を伝送する。
【０１４９】
【表１２】
2021529443.tif 000014
【０１５０】
選択的に、該第１のＵＣＩにＨＡＲＱ−ＡＣＫ情報が含まれていない場合、該方法はさらに、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１のＰＵＣＣＨを送信することを含む。
【０１５１】
例えば表１３に示すように、基準信号とＰＵＣＣＨがｓＴＴＩ  ｎ＋１で衝突する。ｓＴＴＩ  ｎで伝送されたＰＵＳＣＨにＨＡＲＱ−ＡＣＫが含まれておらず、ｓＴＴＩ  ｎ＋１で伝送されたＰＵＣＣＨにもＨＡＲＱ−ＡＣＫが含まれていないが、ＵＣＩが再伝送されることはなく、アップリンクデータが再伝送されることがあり、ＵＣＩの優先度がアップリンクデータより高いと見なされてもよいため、ｓＴＴＩ  ｎ＋１で基準信号を伝送するのではなく、ＰＵＣＣＨを伝送する。
【０１５２】
【表１３】
2021529443.tif 000015
【０１５３】
選択的に、該第１のＵＣＩにＨＡＲＱ−ＡＣＫ情報が含まれていない場合、該方法はさらに、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１の基準信号を送信することを含む。
【０１５４】
選択的に、４２０では、該端末機器が該第２のサブタイムスロットで該第１の基準信号と該第１のＰＵＣＣＨのうちの１つを送信することは、該端末機器が該第２のサブタイムスロットで該第１のＰＵＣＣＨを送信することを含む。
【０１５５】
選択的に、４２０では、該端末機器が該第２のサブタイムスロットで該第１の基準信号と該第１のＰＵＣＣＨのうちの１つを送信することは、該端末機器が該第２のサブタイムスロットで該第１の基準信号を送信することを含む。
【０１５６】
選択的に、４２０では、該端末機器が該第２のサブタイムスロットで該第１の基準信号と該第１のＰＵＣＣＨのうちの１つを送信することは、該第１のＵＣＩにＨＡＲＱ−ＡＣＫ情報が含まれている場合、該端末機器が該第２のサブタイムスロットで該第１のＰＵＣＣＨを送信すること、及び／又は、該第１のＵＣＩにＨＡＲＱ−ＡＣＫ情報が含まれていない場合、該端末機器が該第２のサブタイムスロットで該第１の基準信号を送信すること、を含む。
【０１５７】
選択的に、４２０では、ＰＵＳＣＨとＰＵＣＣＨとの間に衝突が発生した場合には、表１４と表１５に示すような方式に基づいてアップリンクチャネルを伝送してもよい。
【０１５８】
表１４に示すように、ＰＵＳＣＨとＰＵＣＣＨがｓＴＴＩ  ｎとｓＴＴＩ  ｎ＋１でいずれも衝突する。ｓＴＴＩ  ｎとｓＴＴＩ  ｎ＋１でいずれもＰＵＳＣＨを送信するのではなく、ＰＵＣＣＨを送信する。
【０１５９】
【表１４】
2021529443.tif 000016
【０１６０】
表１５に示すように、ＰＵＳＣＨとＰＵＣＣＨがｓＴＴＩ  ｎとｓＴＴＩ  ｎ＋１でいずれも衝突する。ｓＴＴＩ  ｎとｓＴＴＩ  ｎ＋１でいずれもＰＵＣＣＨを送信するのではなく、ＰＵＳＣＨを送信し、かつ、ＰＵＣＣＨに携帯されたＵＣＩがいずれも同一のＴＴＩでのＰＵＳＣＨで伝送される。
【０１６１】
【表１５】
2021529443.tif 000017
【０１６２】
基準信号とＰＵＣＣＨを送信するためのアップリンクチャネルが時間ドメインでオーバーラップされる場合、端末機器は、該基準信号が復調したＰＵＳＣＨに含まれる情報内容と該ＰＵＣＣＨに含まれる情報内容とに基づき、該時間内にアップリンクチャネルを伝送し、これにより該ＰＵＳＣＨに比較的重要なアップリンク制御情報が携帯されている場合、該ＰＵＳＣＨが基準信号によって復調されることは保証され、かつ、一部の場合では、該ＰＵＣＣＨに重要なアップリンク制御情報が携帯されている場合、該ＰＵＣＣＨに含まれる重要なアップリンク制御情報は該ＰＵＳＣＨで伝送されることができると見える。
【０１６３】
選択的に、ＰＵＣＣＨはまた、スケジューリング要求情報を伝送するために使用されることができるが、該スケジューリング要求情報はＰＵＳＣＨで伝送されることができず、ＰＵＣＣＨにスケジューリング要求情報が携帯されている場合、該ＰＵＣＣＨの優先度と該ＰＵＣＣＨにＨＡＲＱ−ＡＣＫが携帯されているときの優先度が同じであると見なされてもよい。
【０１６４】
選択的に、該第１のＵＣＩにスケジューリング要求情報とＨＡＲＱ情報（例えばＨＡＲＱ−ＡＣＫ）とのうちの１つが含まれている場合、該方法はさらに、該端末機器が該第２のサブタイムスロットで該第１のＰＵＣＣＨを送信することを含む。
【０１６５】
選択的に、該第１のＵＣＩにスケジューリング要求情報が含まれており且つＨＡＲＱ情報が含まれていない場合、該方法はさらに、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１のＰＵＣＣＨを送信すること、及び／又は、該第１のＰＵＳＣＨに第２のＵＣＩが含まれており且つ該第２のＵＣＩにＨＡＲＱ−ＡＣＫ情報が含まれている場合、該端末機器が該第２のサブタイムスロットで該第１の基準信号を送信すること、を含む。
【０１６６】
説明する必要があるのは、衝突がないことを前提として、本願で説明した各実施例及び／又は各実施例における技術的特徴は任意に組み合わせられることができ、組み合わせた後に得られる技術的解決手段も本願の保護範囲に含まれるべきである。
【０１６７】
本願の様々な実施例において、上記各プロセスのシーケンス番号の大きさは、実行順序を意味せず、各プロセスの実行順序は、その機能と固有のロジックによって決定されるべきであり、本願の実施例の実現プロセスに対して如何なる制限を構成するべきではないと理解すべきである。
【０１６８】
以上は本願の実施例による通信方法について詳細に説明したが、以下は図５から図８までの図に合わせて、本願の実施例による装置を説明し、方法の実施例で説明した技術特徴は以下の装置の実施例に適する。
【０１６９】
図５は、本願の実施例による端末機器５００の概略ブロック図である。図５に示すように、該端末機器５００は受信ユニット５１０と決定ユニット５２０とを含む。
受信ユニットは、ネットワーク機器によって送信されたアップリンク認証情報を受信することに用いられ、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであり、
決定ユニットは、アップリンクチャネルの優先度に基づき、前記第１のサブタイムスロットで前記第１のアップリンクチャネルを送信するかどうかを決定することに用いられ、そのうち、前記アップリンクチャネルの優先度は、低いレベルから高いレベルへ、サブフレームでハイブリッド自動再伝送要求−応答ＨＡＲＱ−ＡＣＫが含まれていないアップリンクチャネルと、タイムスロットでＨＡＲＱ−ＡＣＫが含まれていないアップリンクチャネルと、サブタイムスロットでＨＡＲＱ−ＡＣＫが含まれておらず且つ基準信号が含まれていないアップリンクチャネルと、サブタイムスロットでＨＡＲＱ−ＡＣＫが含まれておらず且つ基準信号が含まれているアップリンクチャネルと、サブフレームでＨＡＲＱ−ＡＣＫが含まれているアップリンクチャネルと、タイムスロットでＨＡＲＱ−ＡＣＫが含まれているアップリンクチャネルと、サブタイムスロットでＨＡＲＱ−ＡＣＫが含まれているアップリンクチャネルと、を含む。
【０１７０】
したがって、同じ時間内に、異なるアップリンクチャネルを送信するための総送信電力が端末機器の最大送信電力を上回るとき、端末機器はアップリンクチャネルの優先度に基づいて該時間内にアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど伝送されるアップリンクチャネルの優先度が高いため、これにより比較的に緊急度の高いアップリンクチャネルが優先して伝送されることが保証できる。
【０１７１】
選択的に、前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【０１７２】
選択的に、前記端末機器が前記アップリンクチャネルの優先度に基づき、前記第１のサブタイムスロットで前記第１のアップリンクチャネルを送信すると決定した場合、前記決定ユニットはまた、前記アップリンクチャネルの優先度に基づき、前記第２のサブタイムスロットで前記第２のアップリンクチャネルを送信するかどうかを決定するために使用され、そのうち、前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しい。
【０１７３】
選択的に、前記端末機器が前記アップリンクチャネルの優先度に基づき、前記第１のサブタイムスロットで前記第１のアップリンクチャネルを送信すると決定した場合、前記決定ユニットはさらに、前記アップリンクチャネルの優先度に基づき、前記第２のサブタイムスロットで前記第２のアップリンクチャネルを送信するかどうかを決定するために使用され、そのうち、前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【０１７４】
選択的に、前記端末機器が前記アップリンクチャネルの優先度に基づき、前記第１のサブタイムスロットで前記第１のアップリンクチャネルを送信すると決定した場合、前記決定ユニットはさらに、前記アップリンクチャネルの優先度に基づき、前記第２のサブタイムスロットで前記第２のアップリンクチャネルを送信するかどうかを決定するために使用される。
【０１７５】
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【０１７６】
選択的に、前記端末機器が前記アップリンクチャネルの優先度に基づき、前記第１のサブタイムスロットで前記第１のアップリンクチャネルを送信しないと決定した場合、前記決定ユニットはさらに、前記第２のサブタイムスロットで前記第２のアップリンクチャネルを送信しないと決定するために使用される。
【０１７７】
選択的に、前記端末機器が前記アップリンクチャネルの優先度に基づき、前記第１のサブタイムスロットで前記第１のアップリンクチャネルを送信しないと決定した場合、前記決定ユニットはさらに、前記アップリンクチャネルの優先度に基づき、前記第２のサブタイムスロットで前記第２のアップリンクチャネルを送信するかどうかを決定するために使用され、そのうち、前記第２のアップリンクチャネルの優先度が最も低い。
【０１７８】
選択的に、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。
【０１７９】
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアである。
【０１８０】
選択的に、前記端末機器は異なる時間長さを持つアップリンクチャネルを同時伝送する能力があり且つ異なる時間長さを持つアップリンクチャネルを同時伝送できるように構成されている。
【０１８１】
該通信機器５００は上記方法３００では端末機器によって実行される相応の操作を実行することができると理解すべきであり、簡潔のために、ここでは繰り返して説明しない。
【０１８２】
図６は、本願の実施例による端末機器６００の概略ブロック図である。図６に示すように、該端末機器６００は受信ユニット６１０と送信ユニット６２０とを含む。
受信ユニットは、ネットワーク機器によって送信されたアップリンク認証情報を受信することに用いられ、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがまた、第１のアップリンク制御チャネルＰＵＣＣＨを送信するためのものであり、前記第１のＰＵＣＣＨに第１のアップリンク制御情報ＵＣＩが含まれている。
送信ユニットは、前記第１のアップリンクデータを送信するための第１の物理アップリンク共有チャネルＰＵＳＣＨ及び／又は前記第１のＵＣＩに含まれる情報内容に基づき、前記第２のサブタイムスロットで前記第１の基準信号と前記第１のＰＵＣＣＨのうちの１つを送信するために使用される。
【０１８３】
したがって、同じ時間内に、基準信号とＰＵＣＣＨを送信するための総送信電力が端末機器の最大送信電力を上回るとき、端末機器は、重要なアップリンク制御情報の伝送と復調を確保するように、該基準信号が復調したＰＵＳＣＨに含まれた情報内容と該ＰＵＣＣＨに含まれた情報内容に基づき、該時間内にアップリンクチャネルを伝送する。
【０１８４】
選択的に、前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、前記送信ユニットは、具体的に、前記端末機器が前記第２のサブタイムスロットで前記第１のＰＵＣＣＨを送信するために使用される。
【０１８５】
選択的に、前記第１のＰＵＳＣＨに第２のＵＣＩが含まれており且つ前記第２のＵＣＩにＨＡＲＱ−ＡＣＫ情報が含まれており、前記送信ユニットは、具体的に、前記端末機器が前記第２のサブタイムスロットで前記第１の基準信号を送信するために使用される。
【０１８６】
選択的に、前記第１のＵＣＩにＨＡＲＱ−ＡＣＫ情報が含まれており、前記送信ユニットはまた、前記第１のサブタイムスロットで前記第１のＵＣＩ内のＨＡＲＱ−ＡＣＫ情報を送信するために使用される。
【０１８７】
選択的に、前記第１のＵＣＩにＨＡＲＱ−ＡＣＫ情報が含まれており、前記送信ユニットはさらに、前記第２のサブタイムスロットで前記第１のＰＵＣＣＨを送信するために使用される。
【０１８８】
選択的に、前記第１のＵＣＩにＨＡＲＱ−ＡＣＫ情報が含まれておらず、前記送信ユニットはさらに、前記第１のＰＵＳＣＨに第２のＵＣＩが含まれており且つ前記第２のＵＣＩにＨＡＲＱ−ＡＣＫ情報が含まれている場合、前記第２のサブタイムスロットで前記第１の基準信号を送信するために使用される、及び／又は、前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記第２のサブタイムスロットで前記第１のＰＵＣＣＨを送信するために使用される。
【０１８９】
選択的に、前記端末機器はアップリンクチャネルを同時伝送する能力がない、または、前記端末機器はアップリンクチャネルを同時伝送する能力があるが、アップリンクチャネルを同時伝送しないように構成されている。
【０１９０】
該通信機器６００は上記方法４００では端末機器によって実行される相応の操作を実行することができると理解すべきであり、簡潔のために、ここでは繰り返して説明しない。
【０１９１】
図７は、本願の実施例による端末機器７００の概略構造図である。図７に示すように、該端末機器はプロセッサ７１０を含み、プロセッサ７１０は、本願の実施例による各方法では端末機器によって実現される相応のフローを実現するよう、メモリからコンピュータプログラムを開始して実行させることができ、簡潔のために、ここでは繰り返して説明しない。
【０１９２】
選択的に、図７に示すように、通信機器７００はまた、メモリ７２０を含み得る。そのうち、該プロセッサ７１０は、本願の実施例における方法を実現するよう、メモリ７３０からコンピュータプログラムを開始して実行させることができる。
【０１９３】
メモリ７２０は、プロセッサ７１０から独立した１つの単独なデバイスであってもよいが、プロセッサ７１０に集積されてもよい。
【０１９４】
選択的に、図７に示すように、通信機器７００はさらに、トランシーバ７３０を含み得る。プロセッサ７１０は、該トランシーバ７３０が他の機器と通信するように制御することができ、具体的に、他の機器に情報又はデータを送信し、又は他の機器によって送信された情報又はデータを受信することができる。
【０１９５】
トランシーバ７３０は発信機と受信機とを含み得る。トランシーバ７３０はさらにアンテナを含むことができ、アンテナは１つ又は複数であってもよい。
【０１９６】
図８は、本願の実施例によるチップの１つの概略構造図である。図８に示すようなチップ８００はプロセッサ８１０を含み、プロセッサ８１０は、本願の実施例における方法を実現するよう、メモリからコンピュータプログラムを開始して実行させることができる。
【０１９７】
メモリ８２０はプロセッサ８１０から独立した１つの単独なデバイスであってもよいが、プロセッサ８１０に集積されてもよい。
【０１９８】
選択的に、該チップ８００はまた、入力インタフェース８３０を含み得る。そのうち、プロセッサ８１０は、該入力インタフェース８３０が他の機器又はチップと通信するように制御することができ、具体的に、他の機器又はチップによって送信された情報又はデータを取得することができる。
【０１９９】
選択的に、該チップ８００はさらに、出力インタフェース８４０を含み得る。そのうち、プロセッサ８１０は該出力インタフェース８４０が他の機器又はチップと通信するように制御することができ、具体的に、他の機器又はチップに情報又はデータを出力することができる。
【０２００】
選択的に、該チップは、本願の実施例における端末機器に適用されることができ、かつ、該チップは、本願の実施例による各方法では端末機器によって実現される相応のフローを実現することができ、簡潔のために、ここでは繰り返して説明しない。
【０２０１】
本願の実施例で言及したチップはまた、システムレベルチップ、システムチップ、チップシステム又はシステムオンチップなどと称されてもよいと理解すべきである。
【０２０２】
上記で言及したプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）または他のプログラマブルロジックデバイス、トランジスタロジックデバイス、離散ハードウェアコンポーネントなどであってもよい。そのうち、上記で言及した汎用プロセッサは、マイクロプロセッサであってもよいが、または、任意の従来のプロセッサなどであってもよい。
【０２０３】
上記で言及したメモリは揮発性メモリ又は不揮発性メモリ、又は揮発性メモリと不揮発性メモリの両者を含み得ると理解できる。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ＲＯＭ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリがランダムアクセスメモリ（ｒａｎｄｏｍ  ａｃｃｅｓｓ  ｍｅｍｏｒｙ、ＲＡＭ）であってもよい。
【０２０４】
上記メモリは限定的ではなく例示的なものであると理解すべきであり、本願の実施例におけるメモリはまた、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本願の実施例におけるメモリは、これら及び他の任意の適切なタイプのメモリを含むが、これらに限定されないことを意図している。
【０２０５】
本発明の実施例において、「Ａと相応の（に対応する）Ｂ」は、ＢがＡと関連し、Ａに基づいてＢを決定することができると表すと理解すべきであるが、また、Ａに基づいてＢを決定することは、Ａのみに基づいてＢを決定することを意味するのではなく、Ａ及び／又は他の情報に基づいてＢを決定することもできると理解すべきである。
【０２０６】
当業者であれば、本明細書で開示される実施例に合わせて説明される各例のユニット及びアルゴリズムステップは、電子ハードウェア、またはコンピュータソフトウェアと電子ハードウェアの組み合わせによって実現されることができると認識するであろう。これらの機能がハードウェアで実行されるか、ソフトウェアで実行されるかは、技術的解決手段の特定のアプリケーションと設計上の制約条件に依存する。専門の技術者は、説明した機能を実現させるために特定のアプリケーションごとに異なる方法を使用できるが、この種の実現は、本願の範囲を超えると見なされるべきではない。
【０２０７】
当業者であれば、説明の便宜と簡潔のために、上記説明されるシステム、装置、及びユニットの具体的な作業プロセスは、前述方法の実施例における対応するプロセスを参照することができると明確に理解することができ、ここでは繰り返して説明しない。
【０２０８】
本願で提供されるいくつかの実施例において、開示されたシステム、装置、及び方法は、他の方式で実施されることができると理解すべきである。例えば、以上説明した装置の実施例は概略的なものにすぎず、例えば、該ユニットの分割は論理機能上の分割にすぎず、実際に実現する際に別の形態で分割してもよく、例えば、複数のユニット又はコンポーネントを別のシステムに組み合わせもしくは集積させたり、又は一部の特徴を反映させなかったり、実行しなかったりしてもよい。また、表示又は検討した互いの結合又は直接的な結合又は通信接続は、いくつかのインタフェース、装置又はユニットを介した間接的結合又は通信接続であってもよく、電気的形態、機械的形態又はその他の形態であってもよい。
【０２０９】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、ユニットの一部またはすべてを選択して本実施例の解決手段の目的を達成することができる。
【０２１０】
なお、本願の各実施例における各機能ユニットが１つの処理ユニットに集積されてもよいが、各ユニットが単独で物理的な部品として存在するか、又は２つ以上のユニットが１つのユニットに集積されてもよい。
【０２１１】
前記機能はソフトウェア機能ユニットの形で実現され、独立した製品として販売又は使用される場合、１つのコンピュータ読み取り可能な記憶媒体に記憶されることができる。このような理解に基づき、本願の技術的解決手段は、本質的に、或いは従来の技術に寄与する部分であるか、または該技術的解決手段の部分は、ソフトウェア製品の形で具現化されることができ、該コンピュータソフトウェア製品は、１つの記憶媒体に記憶され、コンピューターデバイス（パーソナルコンピューター、サーバ、又はネットワークデバイスなどであってもよい）に、本願の各実施例で説明した方法のステップのすべて又は一部を実行させるためのいくつかの命令を含む。前述した記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、またはコンパクトディスクなどのプログラムコードを記憶できるさまざまな媒体を含む。
【０２１２】
以上の内容は、本願の具体的な実施形態にすぎず、本願の保護範囲はこれらに限定されず、当業者であれば、本願で開示される技術的範囲内に、容易に想像しうる全ての変更又は置換は、いずれも本願の保護範囲内に含まれるべきである。したがって、本願の保護範囲は、特許請求の範囲の保護範囲に従うものとする。
【図１】
2021529443.tif 000018
【図２（ａ）】
2021529443.tif 000019
【図２（ｂ）】
2021529443.tif 000020
【図３】
2021529443.tif 000021
【図４】
2021529443.tif 000022
【図５】
2021529443.tif 000023
【図６】
2021529443.tif 000024
【図７】
2021529443.tif 000025
【図８】
2021529443.tif 000026
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
アップリンク信号の送信方法であって、前記方法は、
端末機器がネットワーク機器によって送信されたアップリンク認証情報を受信し、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであることと、
前記端末機器が前記第１のサブタイムスロットで少なくとも２つのアップリンクチャネルを送信し、前記少なくとも２つのアップリンクチャネルの総送信電力が前記端末機器の最大送信電力を上回る場合、
前記端末機器がアップリンクチャネルの優先度に基づき、前記第１のサブタイムスロットで前記第１のアップリンクチャネルを送信するかどうかを決定することと、を含み、
前記アップリンクチャネルの優先度は、低いレベルから高いレベルへ、
サブフレームでハイブリッド自動再伝送要求−応答ＨＡＲＱ−ＡＣＫが含まれていないアップリンクチャネルと、
タイムスロットでＨＡＲＱ−ＡＣＫが含まれていないアップリンクチャネルと、
サブタイムスロットでＨＡＲＱ−ＡＣＫが含まれておらず且つ基準信号が含まれていないアップリンクチャネルと、
サブタイムスロットでＨＡＲＱ−ＡＣＫが含まれておらず且つ基準信号が含まれているアップリンクチャネルと、
サブフレームでＨＡＲＱ−ＡＣＫが含まれているアップリンクチャネルと、
タイムスロットでＨＡＲＱ−ＡＣＫが含まれているアップリンクチャネルと、
サブタイムスロットでＨＡＲＱ−ＡＣＫが含まれているアップリンクチャネルと、を含み、
前記第１のアップリンクチャネルにＨＡＲＱ−ＡＣＫが含まれていない場合、サブタイムスロットでＨＡＲＱ−ＡＣＫが含まれておらず且つ基準信号が含まれているアップリンクチャネルの優先度に基づいて、前記端末機器が前記第１のサブタイムスロットで前記第１のアップリンクチャネルを送信するかどうかを決定することを特徴とするアップリンク信号の送信方法。
【請求項２】
前記端末機器が前記アップリンクチャネルの優先度に基づき、前記第１のサブタイムスロットで前記第１のアップリンクチャネルを送信すると決定した場合、前記方法はさらに、
前記第１のアップリンクチャネルに前記ＨＡＲＱ−ＡＣＫが含まれていない場合、前記端末機器が前記サブタイムスロットでＨＡＲＱ−ＡＣＫが含まれておらず且つ基準信号が含まれている前記アップリンクチャネルの優先度に基づき、前記第２のサブタイムスロットで前記第２のアップリンクチャネルを送信するかどうかを決定すること、又は、
前記第１のアップリンクチャネルにＨＡＲＱ−ＡＣＫが含まれている場合、サブタイムスロットでＨＡＲＱ−ＡＣＫが含まれているアップリンクチャネルの優先度に基づいて、前記端末機器が前記第２のサブタイムスロットで前記第２のアップリンクチャネルを送信するかどうかを決定することを含むことを特徴とする請求項１に記載の方法。
【請求項３】
前記端末機器が前記アップリンクチャネルの優先度に基づき、前記第１のサブタイムスロットで前記第１のアップリンクチャネルを送信しないと決定した場合、前記方法はさらに、
前記端末機器が前記第２のサブタイムスロットで前記第２のアップリンクチャネルを送信しないことを含むことを特徴とする請求項１に記載の方法。
【請求項４】
アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低く、
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアであることを特徴とする請求項１〜請求項３のいずれか１項に記載の方法。
【請求項５】
前記端末機器は異なる時間長さを持つアップリンクチャネルを同時伝送する能力があり且つ異なる時間長さを持つアップリンクチャネルを同時伝送できるように構成されていることを特徴とする請求項１〜請求項３のいずれか１項に記載の方法。
【請求項６】
アップリンク信号の送信方法であって、前記方法は、
端末機器がネットワーク機器によって送信されたアップリンク認証情報を受信し、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれていることと、
前記端末機器が前記第１のアップリンクデータを送信するための第１の物理アップリンク共有チャネルＰＵＳＣＨ及び／又は前記第１のＵＣＩに含まれる情報内容に基づき、前記第２のサブタイムスロットで前記第１の基準信号と前記第１のＰＵＣＣＨのうちの１つを送信することと、を含み、
前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれていない場合、
前記端末機器が前記第２のサブタイムスロットで前記第１のＰＵＣＣＨを送信する、または、
前記第１のＰＵＳＣＨに第２のＵＣＩが含まれており且つ前記第２のＵＣＩにＨＡＲＱ−ＡＣＫ情報が含まれる場合、
前記端末機器が前記第２のサブタイムスロットで前記第１の基準信号を送信することを特徴とするアップリンク信号の送信方法。
【請求項７】
前記第１のＵＣＩにＨＡＲＱ−ＡＣＫ情報が含まれており、前記方法はさらに、
前記端末機器が前記第１のサブタイムスロットで前記第１のＵＣＩ内のＨＡＲＱ−ＡＣＫ情報を送信することを含むことを特徴とする請求項６に記載の方法。
【請求項８】
前記第１のＵＣＩにＨＡＲＱ−ＡＣＫ情報が含まれており、
前記端末機器が前記第２のサブタイムスロットで前記第１の基準信号と前記第１のＰＵＣＣＨのうちの１つを送信することは、
前記端末機器が前記第２のサブタイムスロットで前記第１のＰＵＣＣＨを送信することを含むことを特徴とする請求項６に記載の方法。
【請求項９】
前記第１のＵＣＩにＨＡＲＱ−ＡＣＫ情報が含まれておらず、
前記端末機器が前記第２のサブタイムスロットで前記第１の基準信号と前記第１のＰＵＣＣＨのうちの１つを送信することは、
前記第１のＰＵＳＣＨに第２のＵＣＩが含まれており且つ前記第２のＵＣＩにＨＡＲＱ−ＡＣＫ情報が含まれている場合、前記端末機器が前記第２のサブタイムスロットで前記第１の基準信号を送信すること、及び／又は、
前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記端末機器が前記第２のサブタイムスロットで前記第１のＰＵＣＣＨを送信すること、を含むことを特徴とする請求項６に記載の方法。
【請求項１０】
前記端末機器はアップリンクチャネルを同時伝送する能力がない、または、
前記端末機器はアップリンクチャネルを同時伝送する能力があるが、アップリンクチャネルを同時伝送しないように構成されていることを特徴とする請求項６〜請求項９のいずれか１項に記載の方法。
【請求項１１】
端末機器であって、前記端末機器は、
ネットワーク機器によって送信されたアップリンク認証情報を受信するための受信ユニットであって、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものである受信ユニットと、
前記端末機器が前記第１のサブタイムスロットで少なくとも２つのアップリンクチャネルを送信し、前記少なくとも２つのアップリンクチャネルの総送信電力が前記端末機器の最大送信電力を上回る場合、アップリンクチャネルの優先度に基づき、前記第１のサブタイムスロットで前記第１のアップリンクチャネルを送信するかどうかを決定するための決定ユニットとを含み、
前記アップリンクチャネルの優先度は、低いレベルから高いレベルへ、
サブフレームでハイブリッド自動再伝送要求−応答ＨＡＲＱ−ＡＣＫが含まれていないアップリンクチャネルと、
タイムスロットでＨＡＲＱ−ＡＣＫが含まれていないアップリンクチャネルと、
サブタイムスロットでＨＡＲＱ−ＡＣＫが含まれておらず且つ基準信号が含まれていないアップリンクチャネルと、
サブタイムスロットでＨＡＲＱ−ＡＣＫが含まれておらず且つ基準信号が含まれているアップリンクチャネルと、
サブフレームでＨＡＲＱ−ＡＣＫが含まれているアップリンクチャネルと、
タイムスロットでＨＡＲＱ−ＡＣＫが含まれているアップリンクチャネルと、
サブタイムスロットでＨＡＲＱ−ＡＣＫが含まれているアップリンクチャネルと、を含み、
前記決定ユニットは、具体的に、前記第１のアップリンクチャネルにＨＡＲＱ−ＡＣＫが含まれていない場合、サブタイムスロットでＨＡＲＱ−ＡＣＫが含まれておらず且つ基準信号が含まれているアップリンクチャネルの優先度に基づいて、前記端末機器が前記第１のサブタイムスロットで前記第１のアップリンクチャネルを送信するかどうかを決定するために使用されることを特徴とする端末機器。
【請求項１２】
前記アップリンクチャネルの優先度に基づき、前記第１のサブタイムスロットで前記第１のアップリンクチャネルを送信すると決定した場合、前記決定ユニットはさらに、
前記第１のアップリンクチャネルにＨＡＲＱ−ＡＣＫが含まれていない場合、前記サブタイムスロットでＨＡＲＱ−ＡＣＫが含まれておらず且つ基準信号が含まれている前記アップリンクチャネルの優先度に基づき、前記第２のサブタイムスロットで前記第２のアップリンクチャネルを送信するかどうかを決定する、または、
前記第１のアップリンクチャネルにＨＡＲＱ−ＡＣＫが含まれている場合、サブタイムスロットでＨＡＲＱ−ＡＣＫが含まれているアップリンクチャネルの優先度に基づいて、前記端末機器が前記第２のサブタイムスロットで前記第２のアップリンクチャネルを送信するかどうかを決定するために使用されることを特徴とする請求項１１に記載の端末機器。
【請求項１３】
前記端末機器が前記アップリンクチャネルの優先度に基づき、前記第１のサブタイムスロットで前記第１のアップリンクチャネルを送信しないと決定した場合、前記決定ユニットはさらに、
前記第２のサブタイムスロットで前記第２のアップリンクチャネルを送信しないために使用されることを特徴とする請求項１１に記載の端末機器。
【請求項１４】
アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低く、
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアであることを特徴とする請求項１１〜請求項１３のいずれか１項に記載の端末機器。
【請求項１５】
前記端末機器は異なる時間長さを持つアップリンクチャネルを同時伝送する能力があり且つ異なる時間長さを持つアップリンクチャネルを同時伝送できるように構成されていることを特徴とする請求項１１〜請求項１３のいずれか１項に記載の端末機器。
【請求項１６】
アップリンク信号の送信用端末機器であって、前記端末機器は、
ネットワーク機器によって送信されたアップリンク認証情報を受信するための受信ユニットであって、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれている受信ユニットと、
前記第１のアップリンクデータを送信するための第１の物理アップリンク共有チャネルＰＵＳＣＨ及び／又は前記第１のＵＣＩに含まれた情報内容に基づき、前記第２のサブタイムスロットで前記第１の基準信号と前記第１のＰＵＣＣＨのうちの１つを送信するための送信ユニットと、を含み、
前記送信ユニットは、具体的には、前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれない場合、
前記第２のサブタイムスロットで前記第１のＰＵＣＣＨを送信する、または、
前記第１のＰＵＳＣＨに第２のＵＣＩが含まれており且つ前記第２のＵＣＩにＨＡＲＱ−ＡＣＫ情報が含まれる場合、
前記第２のサブタイムスロットで前記第１の基準信号を送信するために使用されることを特徴とするアップリンク信号の送信用端末機器。
【請求項１７】
前記第１のＵＣＩにＨＡＲＱ−ＡＣＫ情報が含まれており、前記送信ユニットはさらに、
前記第１のサブタイムスロットで前記第１のＵＣＩ内のＨＡＲＱ−ＡＣＫ情報を送信するために使用されることを特徴とする請求項１６に記載の端末機器。
【請求項１８】
前記第１のＵＣＩにＨＡＲＱ−ＡＣＫ情報が含まれており、前記送信ユニットはさらに、
前記第２のサブタイムスロットで前記第１のＰＵＣＣＨを送信するために使用されることを特徴とする請求項１６に記載の端末機器。
【請求項１９】
前記第１のＵＣＩにＨＡＲＱ−ＡＣＫ情報が含まれておらず、前記送信ユニットはさらに、
前記第１のＰＵＳＣＨに第２のＵＣＩが含まれており且つ前記第２のＵＣＩにＨＡＲＱ−ＡＣＫ情報が含まれている場合、前記第２のサブタイムスロットで前記第１の基準信号を送信するために使用される、及び／又は、
前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記第２のサブタイムスロットで前記第１のＰＵＣＣＨを送信するために使用されることを特徴とする請求項１６に記載の端末機器。
【請求項２０】
前記端末機器はアップリンクチャネルを同時伝送する能力がない、または、
前記端末機器はアップリンクチャネルを同時伝送する能力があるが、アップリンクチャネルを同時伝送しないように構成されていることを特徴とする請求項１６〜請求項１９のいずれか１項に記載の端末機器。
【請求項２１】
端末機器であって、前記端末機器はプロセッサを含み、前記プロセッサが、請求項１〜請求項５のいずれか１項に記載の方法を実行するように、メモリに記憶された命令を開始するためのものであることを特徴とする端末機器。
【請求項２２】
端末機器であって、前記端末機器はプロセッサを含み、前記プロセッサが、請求項６〜請求項１０のいずれか１項に記載の方法を実行するように、メモリに記憶される命令を開始するためのものであることを特徴とする端末機器。
【請求項２３】
コンピュータ読み取り可能な記憶媒体であって、前記コンピュータ読み取り可能な記憶媒体にコンピュータプログラムが記憶されており、前記コンピュータプログラムがコンピューティング機器によって実行されるとき、請求項１〜請求項５のいずれか１項に記載の方法を実現することを特徴とするコンピュータ読み取り可能な記憶媒体。
【請求項２４】
コンピュータ読み取り可能な記憶媒体であって、前記コンピュータ読み取り可能な記憶媒体にコンピュータプログラムが記憶されており、前記コンピュータプログラムがコンピューティング機器によって実行されるとき、請求項６〜請求項１０のいずれか１項に記載の方法を実現することを特徴とするコンピュータ読み取り可能な記憶媒体。
【請求項２５】
チップであって、前記チップはプロセッサを含み、前記プロセッサがメモリからコンピュータプログラムを開始して実行させることにより、前記チップが搭載された機器が請求項１〜請求項５のいずれか１項に記載のアップリンク信号の送信方法を実現することを特徴とするチップ。
【請求項２６】
チップであって、前記チップはプロセッサを含み、前記プロセッサがメモリからコンピュータプログラムを開始して実行させることにより、前記チップが搭載された機器が請求項６〜請求項１０のいずれか１項に記載のアップリンク信号の送信方法を実行することを特徴とするチップ。
【手続補正２】
【補正対象書類名】明細書
【補正対象項目名】全文
【補正方法】変更
【補正の内容】
【発明の詳細な説明】
【技術分野】
【０００１】
本願の実施例は、通信分野に関し、さらに具体的には、アップリンク信号の送信方法及び端末機器に関する。
【背景技術】
【０００２】
従来の技術において、信号伝送の時間遅延を削減するために、信号伝送のために使用される時間単位（或いは伝送時間間隔）は１４個のシンボル未満とされることができ、即ち、信号伝送のために使用される伝送時間間隔は、短い伝送時間間隔（ｓｈｏｒｔ  Ｔｒａｎｓｍｉｓｓｉｏｎ  Ｔｉｍｅ  Ｉｎｔｅｒｖａｌ、ｓＴＴＩ）である。ｓＴＴＩは伝送時間単位の長さに基づいてタイムスロットＴＴＩ（ｓｌｏｔ−ＴＴＩ）とサブタイムスロットＴＴＩ（ｓｕｂｓｌｏｔ−ＴＴＩ）に分けられることができる。そのうち、タイムスロットＴＴＩの時間長さが７個のシンボルを含み、サブタイムスロットＴＴＩの時間長さが２個のシンボル又は３個のシンボルを含む。サブタイムスロットＴＴＩに対し、それぞれのサブタイムスロットＴＴＩ上のアップリンクデータチャネルを復調するための基準信号の位置はアップリンク認証情報によって指示される。異なる長さを持つアップリンクチャネルが伝送する際にオーバーラップが１つ又は複数個のシンボルで発生する可能性があるため、これらのオーバーラップされたシンボルで、複数のアップリンクチャネルを送信するための総送信電力が端末機器の最大送信電力を上回るとき、端末機器がアップリンクチャネルをどのように伝送するかは早急に解決しなければならない問題となっている。
【発明の概要】
【発明が解決しようとする課題】
【０００３】
本願の実施例は、同じ時間内に、異なるアップリンクチャネルを送信するための総送信電力が端末機器の最大送信電力を上回るとき、アップリンクチャネルを有効的に伝送することは実現できるアップリンク信号の送信方法及び端末機器を提供する。
【課題を解決するための手段】
【０００４】
第１の態様では、アップリンク信号の送信方法が提供されており、該方法は、端末機器がネットワーク機器によって送信されたアップリンク認証情報を受信し、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み且つアップリンクデータを含まず、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであることと、前記端末機器がアップリンクチャネルの優先度に基づき、前記第１のサブタイムスロットで前記第１のアップリンクチャネルを送信するかどうかを決定することと、を含む。
【０００５】
前記アップリンクチャネルの優先度は、低いレベルから高いレベルへ、サブフレームでハイブリッド自動再伝送要求−応答ＨＡＲＱ−ＡＣＫが含まれていないアップリンクチャネルと、タイムスロットでＨＡＲＱ−ＡＣＫが含まれていないアップリンクチャネルと、サブタイムスロットでＨＡＲＱ−ＡＣＫが含まれておらず且つ基準信号が含まれていないアップリンクチャネルと、サブタイムスロットでＨＡＲＱ−ＡＣＫが含まれておらず且つ基準信号が含まれているアップリンクチャネルと、サブフレームでＨＡＲＱ−ＡＣＫが含まれているアップリンクチャネルと、タイムスロットでＨＡＲＱ−ＡＣＫが含まれているアップリンクチャネルと、サブタイムスロットでＨＡＲＱ−ＡＣＫが含まれているアップリンクチャネルと、を含む。
【０００６】
したがって、本願の実施例において、同じ時間内に、異なるアップリンクチャネルを送信するための総送信電力が端末機器の最大送信電力を上回るとき、端末機器はアップリンクチャネルの優先度に基づいて該時間内にアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど伝送されるアップリンクチャネルの優先度が高いため、比較的に緊急度の高いアップリンクチャネルが優先して伝送されることが保証できる。
【０００７】
第１の態様に合わせて、第１の態様の１つの可能な実現形態において、前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【０００８】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含み、そのうち、前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しい。
【０００９】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含む。
【００１０】
前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００１１】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信すると決定した場合、前記方法はさらに、前記端末機器が前記アップリンクチャネルの優先度に基づき、前記第２のサブタイムスロットで前記第２のアップリンクチャネルを送信するかどうかを決定することを含む。
【００１２】
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００１３】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信しないと決定した場合、前記方法はさらに、前記端末機器が前記第２のサブタイムスロットで前記第２のアップリンクチャネルを送信しないと決定することを含む。
【００１４】
第１の態様又は上記いずれか１つの可能な実現形態に合わせて、第１の態様の他の可能な実現形態において、前記端末機器が前記アップリンクチャネルの優先度に基づき、前記第１のサブタイムスロットで前記第１のアップリンクチャネルを送信しないと決定した場合、前記方法はさらに、前記端末機器が前記アップリンクチャネルの優先度に基づき、前記第２のサブタイムスロットで前記第２のアップリンクチャネルを送信するかどうかを決定することを含み、そのうち、前記第２のアップリンクチャネルの優先度が最も低い。
【００１５】
第１の態様又は上記いずれか１つの可能な実現形態に合わせて、第１の態様の他の可能な実現形態において、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。そのうち、前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアである。
【００１６】
第１の態様又は上記いずれか１つの可能な実現形態に合わせて、第１の態様の他の可能な実現形態において、前記端末機器は異なる時間長さを持つアップリンクチャネルを同時伝送する能力があり且つ異なる時間長さを持つアップリンクチャネルを同時伝送できるように構成されている。
【００１７】
第２の態様では、アップリンク信号の送信方法が提供されており、該方法は、端末機器がネットワーク機器によって送信されたアップリンク認証情報を受信し、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットとが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがさらに、第１のアップリンク制御チャネルＰＵＣＣＨを送信するためのものであり、前記第１のＰＵＣＣＨに第１のアップリンク制御情報ＵＣＩが含まれていることと、前記端末機器が前記第１のアップリンクデータを送信するための第１の物理アップリンク共有チャネルＰＵＳＣＨ及び／又は前記第１のＵＣＩに含まれた情報内容に基づき、前記第２のサブタイムスロットで前記第１の基準信号と前記第１のＰＵＣＣＨとのうちの１つを送信することと、を含む。
【００１８】
したがって、本願の実施例において、同じ時間内に、基準信号とＰＵＣＣＨを送信するための総送信電力が端末機器の最大送信電力を上回るとき、端末機器は、重要なアップリンク制御情報の伝送と復調を確保するように、該基準信号が復調したＰＵＳＣＨに含まれた情報内容と該ＰＵＣＣＨに含まれた情報内容とに基づき、該時間内にアップリンクチャネルを伝送する。
【００１９】
第２の態様に合わせて、第２の態様の１つの可能な実現形態において、前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、前記端末機器が前記第２のサブタイムスロットで前記第１の基準信号と前記第１のＰＵＣＣＨとのうちの１つを送信することは、前記端末機器が前記第２のサブタイムスロットで前記第１のＰＵＣＣＨを送信することを含む。
【００２０】
第２の態様又は上記いずれか１つの可能な実現形態に合わせて、第２の態様の他の可能な実現形態において、前記第１のＰＵＳＣＨに第２のＵＣＩが含まれており且つ前記第２のＵＣＩにＨＡＲＱ−ＡＣＫ情報が含まれており、前記端末機器が前記第２のサブタイムスロットで前記第１の基準信号と前記第１のＰＵＣＣＨとのうちの１つを送信することは、前記端末機器が前記第２のサブタイムスロットで前記第１の基準信号を送信することを含む。
【００２１】
第２の態様又は上記いずれか１つの可能な実現形態に合わせて、第２の態様の他の可能な実現形態において、前記第１のＵＣＩにＨＡＲＱ−ＡＣＫ情報が含まれており、前記方法はさらに、前記端末機器が前記第１のサブタイムスロットで前記第１のＵＣＩ内のＨＡＲＱ−ＡＣＫ情報を送信することを含む。
【００２２】
第２の態様又は上記いずれか１つの可能な実現形態に合わせて、第２の態様の他の可能な実現形態において、前記第１のＵＣＩにＨＡＲＱ−ＡＣＫ情報が含まれており、前記方法はさらに、前記端末機器が前記第２のサブタイムスロットで前記第１のＰＵＣＣＨを送信することを含む。
【００２３】
第２の態様又は上記いずれか１つの可能な実現形態に合わせて、第２の態様の他の可能な実現形態において、前記第１のＵＣＩにＨＡＲＱ−ＡＣＫ情報が含まれておらず、前記方法はさらに、前記第１のＰＵＳＣＨに第２のＵＣＩが含まれており且つ前記第２のＵＣＩにＨＡＲＱ−ＡＣＫ情報が含まれている場合、前記端末機器が前記第２のサブタイムスロットで前記第１の基準信号を送信することを含む。
【００２４】
第２の態様又は上記いずれか１つの可能な実現形態に合わせて、第２の態様の他の可能な実現形態において、前記第１のＵＣＩにＨＡＲＱ−ＡＣＫ情報が含まれておらず、前記方法はさらに、前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記端末機器が前記第２のサブタイムスロットで前記第１のＰＵＣＣＨを送信することを含む。
【００２５】
第２の態様又は上記いずれか１つの可能な実現形態に合わせて、第２の態様の他の可能な実現形態において、前記端末機器はアップリンクチャネルを同時伝送する能力がない、または、前記端末機器はアップリンクチャネルを同時伝送する能力があるが、アップリンクチャネルを同時伝送しないように構成されている。
【００２６】
第３の態様では、端末機器が提供されており、該端末機器は上記第１の態様又は第１の態様の任意の選択的な実現形態における方法を実行することができる。具体的に、該端末機器は上記第１の態様又は第１の態様の任意の可能な実現形態における方法を実行するための機能的モジュールを含み得る。
【００２７】
第４の態様では、端末機器が提供されており、該端末機器は上記第２の態様又は第２の態様の任意の選択的な実現形態における方法を実行することができる。具体的に、該端末機器は上記第２の態様又は第２の態様の任意の可能な実現形態における方法を実行するための機能的モジュールを含み得る。
【００２８】
第５の態様では、端末機器が提供されており、プロセッサとメモリとを含む。該メモリがコンピュータプログラムを記憶するためのものであり、該プロセッサが該メモリに記憶されたコンピュータプログラムを開始して実行させることにより、上記第１の態様又は第１の態様の任意の可能な実現形態における方法を実行するためのものである。
【００２９】
第６の態様では、端末機器が提供されており、該端末機器がプロセッサとメモリとを含む。該メモリがコンピュータプログラムを記憶するためのものであり、該プロセッサが該メモリに記憶されたコンピュータプログラムを開始して実行させることにより、上記第２の態様又は第２の態様の任意の可能な実現形態における方法を実行するためのものである。
【００３０】
第７の態様では、チップが提供されており、上記第１の態様又は第１の態様の任意の可能な実現形態における方法を実現するためのものである。
【００３１】
具体的に、該チップはプロセッサを含み、前記プロセッサがメモリからコンピュータプログラムを開始して実行させることにより、該チップが搭載された機器は上記第１の態様又は第１の態様の任意の可能な実現形態に記載の方法を実行するためのものである。
【００３２】
第８の態様では、チップが提供されており、上記第２の態様又は第２の態様の任意の可能な実現形態における方法を実現するためのものである。
【００３３】
具体的に、該チップはプロセッサを含み、前記プロセッサがメモリからコンピュータプログラムを開始して実行させることにより、該チップが搭載された機器は上記第２の態様又は第２の態様の任意の可能な実現形態に記載の方法を実行するためのものである。
【００３４】
第９の態様では、コンピュータ可読記憶媒体が提供されており、コンピュータプログラムを記憶するためのものであり、該コンピュータプログラムは、コンピュータが上記第１の態様又は第１の態様の任意の可能な実現形態における方法を実行するようにさせるためのものである。
【００３５】
第１０の態様では、コンピュータ可読記憶媒体が提供されており、コンピュータプログラムを記憶するためのものであり、該コンピュータプログラムは、コンピュータが上記第２の態様又は第２の態様の任意の可能な実現形態における方法を実行するようにさせるためのものである。
【００３６】
第１１の態様では、コンピュータプログラム製品が提供されており、コンピュータプログラム命令を含み、該コンピュータプログラム命令は、コンピュータが上記第１の態様又は第１の態様の任意の可能な実現形態における方法を実行するようにさせるためのものである。
【００３７】
第１２の態様では、コンピュータプログラム製品が提供されており、コンピュータプログラム命令を含み、該コンピュータプログラム命令は、コンピュータが上記第２の態様又は第２の態様の任意の可能な実現形態における方法を実行するようにさせるためのものである。
【００３８】
第１３の態様では、コンピュータプログラムが提供されており、コンピュータで実行されたとき、コンピュータが上記第１の態様又は第１の態様の任意の可能な実現形態における方法を実行するようにさせるためのものである。
【００３９】
第１４の態様では、コンピュータプログラムが提供されており、コンピュータで実行されたとき、コンピュータが上記第２の態様又は第２の態様の任意の可能な実現形態における方法を実行するようにさせるためのものである。
【図面の簡単な説明】
【００４０】
【図１】本願の実施例で適用した１つの可能な無線通信システムの概略図である。
【図２（ａ）】タイムスロットＴＴＩの概略図である。
【図２（ｂ）】サブタイムスロットＴＴＩの概略図である。
【図３】本願の１つの実施例によるアップリンク信号の送信方法の概略フローチャートである。
【図４】本願の他の実施例によるアップリンク信号の送信方法の概略フローチャートである。
【図５】本願の１つの実施例による端末機器の概略ブロック図である。
【図６】本願の他の実施例による端末機器の概略ブロック図である。
【図７】本願の実施例による端末機器の概略構造図である。
【図８】本願の実施例によるチップの概略構造図である。
【発明を実施するための形態】
【００４１】
本願の実施例による技術的解決手段は、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、コードディビシオンマルチプルアアクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンドコードディビシオンマルチプルアアクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ（登録商標））システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、高度化したロングタームエボリューション（Ａｄｖａｎｃｅｄ  ｌｏｎｇ  ｔｅｒｍ  ｅｖｏｌｕｔｉｏｎ、ＬＴＥ−Ａ）システム、ニューラジオ（Ｎｅｗ  Ｒａｄｉｏ、ＮＲ）システム、ＮＲシステムのエボリューションシステム、アンライセンススペクトル上のＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンススペクトル上のＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、汎用モバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、ワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）、ワイヤレスフィデリティ（Ｗｉｒｅｌｅｓｓ  Ｆｉｄｅｌｉｔｙ、ＷｉＦｉ（登録商標））、次世代通信システム又は他の通信システムなどに適用することができる。
【００４２】
一般的に、伝統的な通信システムによって支持される接続は数量が限られており、実現しやすいが、通信技術の発展に伴い、モバイル通信システムは伝統的な通信のみならず、デバイスツーデバイス（Ｄｅｖｉｃｅ  ｔｏ  Ｄｅｖｉｃｅ、Ｄ２Ｄ）通信、マシンツーマシン（Ｍａｃｈｉｎｅ  ｔｏ  Ｍａｃｈｉｎｅ、Ｍ２Ｍ）通信、マシンタイプ通信（Ｍａｃｈｉｎｅ  Ｔｙｐｅ  Ｃｏｍｍｕｎｉｃａｔｉｏｎ、ＭＴＣ）、および車両間（Ｖｅｈｉｃｌｅ  ｔｏ  Ｖｅｈｉｃｌｅ、Ｖ２Ｖ）通信なども支持するようになり、本願の実施例はこれらの通信システムに適用されてもよい。
【００４３】
本願の実施例における通信システムは、キャリアアグリゲーション（Ｃａｒｒｉｅｒ  Ａｇｇｒｅｇａｔｉｏｎ、ＣＡ）シーンにも、また、二重接続（Ｄｕａｌ  Ｃｏｎｎｅｃｔｉｖｉｔｙ、ＤＣ）シーンにも、さらに、スタンドアロン（Ｓｔａｎｄａｌｏｎｅ、ＳＡ）デプロイメントシーンにも適用できる。
【００４４】
本願の実施例は適用するスペクトルを限定しない。例えば、本願の実施例はライセンススペクトルにも、また、ライセンス不要スペクトルにも適用できる。
【００４５】
図１は、本願の実施例で適用した１つの可能な無線通信システム１００を示した。該無線通信システム１００はネットワーク機器１１０を含み得る。ネットワーク機器１１０は端末機器と通信する機器であってもよい。ネットワーク機器１１０は特定の地理的エリアに通信カバレッジを提供することができ、かつ、該カバレッジエリア内にある端末機器と通信することができる。一実施形態において、該ネットワーク機器１００は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、また、ＷＣＤＭＡシステムにおける基地局（ＮｏｄｅＢ、ＮＢ）であってもよく、さらに、ＬＴＥシステムにおける進化型基地局（Ｅｖｏｌｕｔｉｏｎ  Ｎｏｄｅ  Ｂ、ｅＮＢ又はｅＮｏｄｅＢ）であってもよく、または、ＮＲシステムにおけるネットワーク側機器であってもよく、またはクラウドラジオアクセスネットワーク（Ｃｌｏｕｄ  Ｒａｄｉｏ  Ａｃｃｅｓｓ  Ｎｅｔｗｏｒｋ、ＣＲＡＮ）における無線コントローラーであってもよく、または、該ネットワーク機器は、中継局、アクセスポイント、車載機器、ウェアラブル機器、次世代ネットワークにおけるネットワーク側機器または未来の進化型公共陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク機器などであってもよい。
【００４６】
該無線通信システム１００はまた、ネットワーク機器１１０のカバレッジ範囲内にある少なくとも１つの端末機器１２０を含む。端末機器１２０はモバイルでも固定でもよい。一実施形態において、端末機器１２０は、アクセス端末、ユーザ機器（Ｕｓｅｒ  Ｅｑｕｉｐｍｅｎｔ、ＵＥ）、ユーザユニット、ユーザステーション、モバイルテーション、モバイル局、遠方ステーション、リモート端末、モバイル機器、ユーザ端末、端末、無線通信機器、ユーザエージェント又はユーザ装置のことを指してもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたこの他のプロセッシング機器、車載機器、ウェアラブル機器、未来の５Ｇネットワークにおける端末機器または未来の進化型ＰＬＭＮにおける端末機器などであってもよい。そのうち、一実施形態において、端末機器１２０の間では、端末直接接続（Ｄｅｖｉｃｅ  ｔｏ  Ｄｅｖｉｃｅ、Ｄ２Ｄ）通信を行ってもよい。
【００４７】
具体的に、ネットワーク機器１１０はセルにサービスを提供することができ、端末機器１２０は、該セルで使用される伝送リソース（例えば、周波数ドメインリソース、或いは、スペクトルリソース）を介してネットワーク機器１１０と通信し、該セルが、ネットワーク機器１１０（例えば、基地局）に対応するセルであってもよく、セルが、マクロ基地局に属してもよく、また、スモールセル（Ｓｍａｌｌ  ｃｅｌｌ）に対応する基地局に属してもよく、ここでスモールセルが、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。これらのスモールセルは、小さいカバレッジと低い送信電力の特性を備えており、高速データ伝送サービスの提供に適している。
【００４８】
図１は、１つのネットワーク機器と２つの端末機器を例示的に示しており、一実施形態において、該無線通信システム１００は複数のネットワーク機器を含むことができ、かつ、各ネットワーク機器のカバレッジ範囲内に他の数量の端末機器が含まれてもよく、本願の実施例はこれを限定しない。
【００４９】
一実施形態において、該無線通信システム１００はまた、ネットワークコントローラー、モバイル管理エンティティなど他のネットワークエンティティを含み得るが、本願の実施例はこれを限定しない。
【００５０】
アップリンクチャネルは、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）などを含み得ると理解すべきである。アップリンク基準信号は、アップリンク復調基準信号（ＤｅＭｏｄｕｌａｔｉｏｎ  Ｒｅｆｅｒｅｎｃｅ  Ｓｉｇｎａｌ、ＤＭＲＳ）、サウンディングリファレンスシグナル（Ｓｏｕｎｄｉｎｇ  Ｒｅｆｅｒｅｎｃｅ  Ｓｉｇｎａｌ、ＳＲＳ）、位相トラッキング基準信号（Ｐｈａｓｅ  Ｔｒａｃｋｉｎｇ  Ｒｅｆｅｒｅｎｃｅ  Ｓｉｇｎａｌ、ＰＴ−ＲＳ  ）などを含み得る。そのうち、アップリンクＤＭＲＳはアップリンクチャネルを復調するために使用することができ、ＳＲＳはアップリンクチャネルの測定、アップリンク時間周波数同期又は位相トラッキングのために使用することができ、ＰＴ−ＲＳもアップリンクチャネルの測定、アップリンク時間周波数同期又は位相トラッキングのために使用することができる。
【００５１】
また、アップリンクチャネルに、また、名称が上記と同じであり、機能が異なる物理チャネル又は基準信号が含まれてもよく、名称が上記と異なり、機能が同じである物理チャネル又は基準信号が含まれてもよいと理解すべきである。
【００５２】
さらに、本願の実施例による伝送対象は、アップリンクチャネルであってもよく、具体的には、ＰＵＳＣＨ及び／又はＰＵＣＣＨであってもよいと理解すべきである。ｓＴＴＩ伝送技術が導入された後、無線リンクでは信号伝送をスケジュールするスケジューリング単位はサブフレームＴＴＩ（即ち、ｓｕｂｆｒａｍｅ−ＴＴＩ、例えばＴＴＩの長さが１４個のシンボルである）、タイムスロットＴＴＩ（即ち、ｓｌｏｔ−ＴＴＩ、例えばＴＴＩの長さが７個のシンボルである）又はサブタイムスロットＴＴＩ（即ち、ｓｕｂｓｌｏｔ−ＴＴＩ、例えばＴＴＩの長さが２個のシンボル又は３個のシンボルである）であってもよい。即ち、ＰＵＳＣＨ及び／又はＰＵＣＣＨはサブフレームＴＴＩで伝送されたか、またはタイムスロットＴＴＩで伝送されたか、またはサブタイムスロットＴＴＩで伝送されることができる。
【００５３】
限定ではなく例示的なものとして、１つのタイムスロットＴＴＩの構造は図２（ａ）に示すように、１ミリ秒内に１４個のシンボルが含まれ、そのうち、前の７個のシンボルが１つのタイムスロットＴＴＩを形成し、後の７個のシンボルが１つのタイムスロットＴＴＩを形成し、それぞれのタイムスロットＴＴＩに対しては、基準信号が１つのタイムスロットの第４個のシンボルにある。
【００５４】
限定ではなく例示的なものとして、１つのサブタイムスロットＴＴＩの構造は図２（ｂ）に示すように、１ミリ秒内に含まれた１４個のシンボルが６つのサブタイムスロットＴＴＩに分けられ、そのうち最初と最後のサブタイムスロットＴＴＩではサブタイムスロットＴＴＩがそれぞれ３個のシンボルを含み、残る４つのサブタイムスロットＴＴＩではサブタイムスロットＴＴＩがそれぞれ２個のシンボルを含む。サブタイムスロットＴＴＩ構造では、それぞれのサブタイムスロットＴＴＩで伝送されたアップリンクチャネルを復調するための基準信号の位置は動的シグナリング、例えばアップリンク認証情報を用いて指示することができる。
【００５５】
表１は、サブタイムスロットＴＴＩの復調基準信号の位置を動的に指示する例を示す。表１に示すように、Ｄはアップリンクデータを伝送するためのシンボルを表し、Ｒは基準信号を伝送するためのシンボルを表し、端末機器はネットワーク機器によって送信された動的シグナリングに基づいてアップリンクデータシンボルと基準信号シンボルを送信するように指示する。具体的に、ｓＴＴＩ  ０は３個のシンボルを含み、ｓＴＴＩ  ０でのＰＵＳＣＨの復調に用いる基準信号はｓＴＴＩ  ０上の最初のシンボル又は最後のシンボルに位置してもよい。ｓＴＴＩ  １は２個のシンボルを含み、ｓＴＴＩ  １でのＰＵＳＣＨの復調に用いる基準信号はｓＴＴＩ  １での最初のシンボル又は最後のシンボルに位置してもよいが、また、ｓＴＴＩ  １に位置しなくてもよい。例えば、動的シグナリングがｓＴＴＩ  １で「ＤＤ」を伝送するように指示する場合、ｓＴＴＩ  １でのＰＵＳＣＨの復調に用いる基準信号はｓＴＴＩ  ０に位置することができ、動的シグナリングがｓＴＴＩ  １で「ＤＤ｜Ｒ」を伝送するように指示する場合、ｓＴＴＩ  １でのＰＵＳＣＨの復調に用いる基準信号はｓＴＴＩ  ２での最初のシンボルに位置する。ｓＴＴＩ  ２は２個のシンボルを含み、ｓＴＴＩ  ２でのＰＵＳＣＨの復調に用いる基準信号はｓＴＴＩ  ２での最初のシンボルに位置してもよいが、またはｓＴＴＩ  ２に位置しなくてもよい。例えば、動的シグナリングがｓＴＴＩ  ２で「ＤＤ」を伝送するように指示する場合、ｓＴＴＩ  ２でのＰＵＳＣＨの復調に用いる基準信号はｓＴＴＩ  ０又はｓＴＴＩ  １に位置することができる。ｓＴＴＩ  ３は２個のシンボルを含み、ｓＴＴＩ  ３でのＰＵＳＣＨの復調に用いる基準信号はｓＴＴＩ  ３上の最初のシンボル又は最後のシンボルに位置してもよいが、ｓＴＴＩ  ４での最初のシンボルに位置してもよい。ｓＴＴＩ  ４は２個のシンボルを含み、ｓＴＴＩ  ４でのＰＵＳＣＨの復調に用いる基準信号はｓＴＴＩ  ４での最初のシンボル又は最後のシンボルに位置してもよいが、ｓＴＴＩ  ４に位置しなくてもよい。例えば、動的シグナリングがｓＴＴＩ  ４で「ＤＤ」を伝送するように指示する場合、ｓＴＴＩ  ４でのＰＵＳＣＨの復調に用いる基準信号はｓＴＴＩ  ３に位置してもよく、動的シグナリングがｓＴＴＩ  ４で「ＤＤ｜Ｒ」を伝送するように指示する場合、ｓＴＴＩ  ４でのＰＵＳＣＨの復調に用いる基準信号はｓＴＴＩ  ５上の最初のシンボルに位置する。ｓＴＴＩ  ５は３個のシンボルを含み、ｓＴＴＩ  ５でのＰＵＳＣＨの復調に用いる基準信号はｓＴＴＩ  ５上の最初のシンボルに位置してもよい。
【００５６】
【表１】
2021529443.tif 000027
【００５７】
説明する必要があるのは、ＰＵＳＣＨに含まれたデータシンボルにアップリンク制御情報（Ｕｐｌｉｎｋ  Ｃｏｎｔｒｏｌ  Ｉｎｆｏｒｍａｔｉｏｎ、ＵＣＩ）が携帯されてもよいが、携帯されなくてもよい。そのうち、ＰＵＳＣＨで携帯されたＵＣＩはＨＡＲＱ−ＡＣＫとチャネル状態情報（Ｃｈａｎｎｅｌ  Ｓｔａｔｅ  Ｉｎｆｏｒｍａｔｉｏｎ、ＣＳＩ）とのうちの１つを含むことができ、そのうちＣＳＩがランクインジケーター（Ｒａｎｋ  Ｉｎｄｉｃａｔｉｏｎ、ＲＩ）、プリコーディングマトリックスインジケーター（Ｐｒｅｃｏｄｉｎｇ  Ｍａｔｒｉｘ  Ｉｎｄｉｃａｔｏｒ、ＰＭＩ）、チャネル品質インジケーター（Ｃｈａｎｎｅｌ  Ｑｕａｌｉｔｙ  Ｉｎｄｉｃａｔｏｒ、ＣＱＩ）のうちの１つを含む。
【００５８】
端末機器にはアップリンクチャネル伝送のために使用できる少なくとも２つのキャリアが設定されている場合、端末機器が該少なくとも２つのキャリアで伝送したアップリンクチャネルは時間ドメインで１つ又は複数個のシンボルがオーバーラップされている可能性があり、そのうち、該少なくとも２つのキャリア上のアップリンクチャネルのＴＴＩの長さは同じである可能性もあれば、異なる可能性もある。したがって、これらのオーバーラップされたシンボルでは、複数のアップリンクチャネルを送信するための総送信電力が端末機器の最大送信電力を上回るとき、端末機器は異なるキャリアでアップリンクチャネルをどのように送信するかを決定する必要がある。例えば、端末機器がｓＴＴＩ  ｎで「ＤＤ｜Ｒ」を使用してアップリンクデータを伝送するように動的にスケジュールされ、ｓＴＴＩ  ｎ＋１でアップリンクデータを伝送するようにスケジュールされない場合、端末機器はｓＴＴＩ  ｎで「ＤＤ」を伝送し、ｓＴＴＩ  ｎ＋１で「Ｒ」を伝送すべきである。同様のｓＴＴＩ  ｎ又はｓＴＴＩ  ｎ＋１で、該端末機器はまた、他のアップリンクチャネルを伝送すべきであり且つ端末機器の送信電力が制限されている（例えば１つの又は複数のアップリンクチャネルを送信するための端末機器の総送信電力が端末機器の最大送信電力を上回る）場合、端末機器はｓＴＴＩ  ｎで該アップリンクデータを送信するかどうか、およびｓＴＴＩ  ｎ＋１で該アップリンクデータを復調するための基準信号を送信するかどうかを決定する必要がある。
【００５９】
したがって、本願の実施例は、少なくとも２つのアップリンクチャネルが時間ドメインでオーバーラップされ、異なるアップリンクチャネルを送信するための総送信電力が端末機器の最大送信電力を上回るとき、端末機器はアップリンクチャネルの優先度に基づいて該アップリンクチャネルを伝送することを提案する。
【００６０】
本願の実施例において、表１を参照し、サブタイムスロットＴＴＩで伝送されたＰＵＳＣＨは、
ＰＵＳＣＨにデータシンボルと基準信号シンボルが含まれる状況であって、例えば端末機器が「ＲＤＤ」、「ＤＤＲ」、「ＲＤ」、又は「ＤＲ」を伝送するようにスケジュールされる第１の状況、
ＰＵＳＣＨにデータシンボルが含まれ且つ基準信号シンボルが含まれない状況であって、例えば端末機器が「ＤＤ」を伝送するようにスケジュールされるか、または、端末機器がｓＴＴＩ  ｎで「ＤＤ｜Ｒ」を伝送するようにスケジュールされる場合、端末機器はｓＴＴＩ  ｎで「ＤＤ」を伝送し、ｓＴＴＩ  ｎ＋１で「Ｒ」を伝送すべきであり、そのうち、ｓＴＴＩ  ｎで行われる伝送もこの状況に属する第２の状況、及び
ＰＵＳＣＨに基準信号シンボルが含まれ且つデータシンボルが含まれない状況であって、例えば端末機器がｓＴＴＩ  ｎで「ＤＤ｜Ｒ」を伝送するようにスケジュールされる場合、端末機器はｓＴＴＩ  ｎで「ＤＤ」を伝送し、ｓＴＴＩ  ｎ＋１で「Ｒ」を伝送すべきであり、そのうち、ｓＴＴＩ  ｎ＋１で行われる伝送がこの状況に属する第３の状況という３つの状況を含み得る。
【００６１】
説明する必要があるのは、端末機器がｓＴＴＩ  ｎで「ＤＤ｜Ｒ」を伝送するようにスケジュールされ、ｓＴＴＩ  ｎ＋１で「ＲＤ」を伝送するようにスケジュールされ且つｓＴＴＩ  ｎ＋１上のアップリンクチャネルによって占用された周波数リソースがｓＴＴＩ  ｎ上のアップリンクチャネルによって占用された周波数リソースを含む場合、端末機器はｓＴＴＩ  ｎで「ＤＤ」を伝送し、ｓＴＴＩ  ｎ＋１で「ＲＤ」を伝送すべきであり、この場合ではｓＴＴＩ  ｎ＋１で行われる伝送が上記の第１の状況に属する。
【００６２】
図３は、本願の実施例によるアップリンク信号の送信方法３００の概略フローチャートである。図３で説明した方法は端末機器によって実行されることができ、該端末機器は、例えば図１に示した端末機器１２０であってもよい。図３に示すように、該アップリンク信号の送信方法３００は以下のステップの一部又はすべてを含み得る。
【００６３】
３１０では、端末機器がネットワーク機器によって送信されたアップリンク認証情報を受信し、該アップリンク認証情報は、該端末機器が第１のサブタイムスロットで第１のアップリンクチャネルを送信し、および、第２のサブタイムスロットで第２のアップリンクチャネルを送信するように指示するためのものである。
【００６４】
該第１のアップリンクチャネルが第１のアップリンクデータを含み且つ基準信号を含まず、該第２のアップリンクチャネルが第１の基準信号を含み且つアップリンクデータを含まず、該第１のサブタイムスロットと該第２のサブタイムスロットとが第１のキャリアで隣接するサブタイムスロットであり、該第１のサブタイムスロットが該第２のサブタイムスロットの前に位置し、該第１の基準信号が該第１のアップリンクデータを復調するためのものである。
【００６５】
本願の実施例において、第１のアップリンクチャネルは上記第２の状況に属し、第２のアップリンクチャネルは上記第３の状況に属する。
【００６６】
該アップリンク認証情報は１つのアップリンク認証情報であってもよく、また、複数のアップリンク認証情報であってもよいと理解すべきである。該端末機器は１つの又は複数のアップリンク認証情報を受信することができ、そのうち１つのアップリンク認証情報が１つのアップリンクチャネルをスケジュールしてもよいが、複数のアップリンクチャネルをスケジュールしてもよい。本願はこれを限定しない。
【００６７】
３２０では、該端末機器がアップリンクチャネルの優先度に基づき、該第１のサブタイムスロットで該第１のアップリンクチャネルを送信するかどうかを決定する。
【００６８】
該アップリンクチャネルの優先度は、低いレベルから高いレベルへ、
サブフレームでハイブリッド自動再伝送要求−応答（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ、ＨＡＲＱ−ＡＣＫ）が含まれていないアップリンクチャネルと、
・タイムスロットでＨＡＲＱ−ＡＣＫが含まれていないアップリンクチャネルと、
・サブタイムスロットでＨＡＲＱ−ＡＣＫが含まれておらず且つ基準信号が含まれていないアップリンクチャネルと、
・サブタイムスロットでＨＡＲＱ−ＡＣＫが含まれておらず且つ基準信号が含まれているアップリンクチャネルと、
・サブフレームでＨＡＲＱ−ＡＣＫが含まれているアップリンクチャネルと、
・タイムスロットでＨＡＲＱ−ＡＣＫが含まれているアップリンクチャネルと、
・サブタイムスロットでＨＡＲＱ−ＡＣＫが含まれているアップリンクチャネルと、を含む。
【００６９】
一実施形態において、ＨＡＲＱ−ＡＣＫ情報は、端末機器が受信したダウンリンクチャネルに対して行った対応するＡＣＫ又はＮＡＣＫのフィードバックであり、したがってＵＣＩがＰＵＳＣＨで伝送される場合、ＵＣＩ内のＨＡＲＱ−ＡＣＫ情報の優先度が最も高いと見なされてもよい。
【００７０】
本願の実施例において、サブタイムスロット（ｓｕｂｓｌｏｔ）は２個のシンボル又は３個のシンボルを含み、タイムスロット（ｓｌｏｔ）は７個のシンボルを含み、サブフレームは１４個のシンボルを含む。該アップリンクチャネルの優先度順位では、サブタイムスロット上のアップリンクチャネルは２つのシンボル又は３つのシンボルであるｓＴＴＩ（即ち、ｓｕｂｓｌｏｔ−ＴＴＩ）で伝送されたアップリンクチャネルであり、タイムスロット上のアップリンクチャネルは７つのシンボルであるｓＴＴＩ（即ち、ｓｌｏｔ−ＴＴＩ）で伝送されたアップリンクチャネルであり、サブフレーム上のアップリンクチャネルは１４つのシンボルであるＴＴＩで伝送されたアップリンクチャネルである。
【００７１】
サブタイムスロット上のアップリンクチャネルはアップリンクデータのみ含むことができ、または基準信号のみ含み得るが、またはアップリンクデータと基準信号とを含む。
【００７２】
一実施形態において、端末機器はアップリンク認証情報を受信し、該アップリンク認証情報は、端末機器が第１のサブタイムスロットで第１のアップリンクチャネルを送信し、および、第２のサブタイムスロットで第２のアップリンクチャネルを送信するように指示し、該第１のアップリンクチャネルが第１のアップリンクデータを含み且つ基準信号を含まず、該第２のアップリンクチャネルが該第１のアップリンクデータを復調するための第１の基準信号を含み且つアップリンクデータを含まず、該端末機器が該第１のサブタイムスロットでＤＤ｜Ｒを伝送するようにスケジュールされ且つそのうちのＲが第２のサブタイムスロットで伝送され、かつ、第２のサブタイムスロットでは該端末機器のアップリンクデータ伝送がスケジュールされていないと理解できる。端末機器がまた、該第１のサブタイムスロットで他のアップリンクチャネルを伝送すると決定し且つ端末機器の送信電力が制限されている場合、端末機器はアップリンクチャネルの優先度に基づき、該第１のサブタイムスロットで該第１のアップリンクチャネルを送信するかどうかを決定することができる。
【００７３】
該アップリンクチャネルの優先度情報では、まず、アップリンクチャネルにＨＡＲＱ−ＡＣＫ情報が含まれているかどうかを考慮すると、そのうちＨＡＲＱ−ＡＣＫが含まれているアップリンクチャネルの優先度はＨＡＲＱ−ＡＣＫが含まれていないアップリンクチャネルの優先度より高い。次に、アップリンクチャネルの長さを考慮すると、そのうちサブタイムスロット上のアップリンクチャネルの優先度がタイムスロット上のアップリンクチャネルの優先度より高く、タイムスロット上のアップリンクチャネルの優先度がサブフレーム上のアップリンクチャネルの優先度より高い。
【００７４】
したがって、同じ時間内に、異なるアップリンクチャネルを送信するための総送信電力が端末機器の最大送信電力を上回るとき、端末機器はアップリンクチャネルの優先度に基づいてアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど、その上のアップリンクチャネルの優先度が高いため、比較的に緊急度の高いアップリンクチャネルが優先して伝送されることが保証できる。
【００７５】
該実施例において、該端末機器は異なる時間長さを持つアップリンクチャネルを同時伝送する能力があり且つ異なる時間長さを持つアップリンクチャネルを同時伝送できるように構成されている。
【００７６】
該衝突したアップリンクチャネルのＴＴＩの長さは異なってもよいが、同じであってもよいと理解すべきである。
【００７７】
一実施形態において、長いほうのＴＴＩ上のアップリンクチャネルがすでに短いほうのＴＴＩ上のアップリンクチャネルと衝突した場合、この後該長いほうのＴＴＩ上のアップリンクチャネルが短いほうのＴＴＩ上のアップリンクチャネルと再度衝突すると、優先度を考慮せず該長いほうのＴＴＩ上のアップリンクチャネルを継続的に伝送する。例えば、サブタイムスロット上のアップリンクチャネルがサブフレーム上のアップリンクチャネルとあるｓＴＴＩで衝突したら、端末機器の送信電力が制限されており且つ該端末機器が優先度に基づいて該サブフレーム上のアップリンクチャネルを送信すると選択すると仮定すると、該サブフレーム上のアップリンクチャネルが該ｓＴＴＩの後に他の短いほうのＴＴＩ上のアップリンクチャネルと再度衝突した場合、優先度を考慮せず、該サブフレーム上のアップリンクチャネルを継続的に伝送する。
【００７８】
一実施形態において、長いほうのＴＴＩ上のアップリンクチャネルがすでに短いほうのＴＴＩ上のアップリンクチャネルと衝突し且つ長いほうのＴＴＩが送信しないと決定される場合、該長いほうのＴＴＩ上のアップリンクチャネルがこの後短いほうのＴＴＩ上のアップリンクチャネルと再度衝突しないと仮定し、即ち、該長いほうのＴＴＩとオーバーラップされた、この後に続く短いほうのＴＴＩで該長いほうのＴＴＩ上のアップリンクチャネルの優先度を考慮しない。例えば、サブタイムスロット上のアップリンクチャネルがサブフレーム上のアップリンクチャネルとあるｓＴＴＩで衝突し、端末機器の送信電力が制限されており且つ該端末機器が優先度に基づいて該サブタイムスロット上のアップリンクチャネルを送信し且つ該サブフレーム上のアップリンクチャネルを送信しないと選択したと仮定すると、該サブフレーム上のアップリンクチャネルが該ｓＴＴＩの後にも再度送信されないと仮定し、即ち、該サブフレーム上のアップリンクチャネルが該ｓＴＴＩの後のｓＴＴＩでのアップリンク伝送に干渉を与えない。
【００７９】
長いほうのＴＴＩが短いほうのＴＴＩと衝突することは、サブタイムスロット上のアップリンクチャネルがタイムスロット上のアップリンクチャネルと衝突する場合であってもよく、サブタイムスロット上のアップリンクチャネルがサブフレーム上のアップリンクチャネルと衝突する場合であってもよく、またはタイムスロット上のアップリンクチャネルがサブフレーム上のアップリンクチャネルと衝突する場合であってもよいと理解すべきである。
【００８０】
一実施形態において、該第１のアップリンクチャネルにＨＡＲＱ−ＡＣＫが含まれていない場合、該第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【００８１】
３２０では、該端末機器が該アップリンクチャネルの優先度に基づき、該第１のサブタイムスロットで該第１のアップリンクチャネルを送信しないと決定した場合、該方法はさらに、該端末機器が該アップリンクチャネルの優先度に基づき、該第２のサブタイムスロットで該第２のアップリンクチャネルを送信しないと決定することを含み得る。
【００８２】
端末機器が該第１のサブタイムスロットで第１のアップリンクデータを伝送するための第１のアップリンクチャネルを送信しなくて、該第２のタイムスロット上の該第１の基準信号が該第１のアップリンクチャネルを復調するためのものであるため、該第１のアップリンクチャネルが伝送されない場合、端末機器は該第２のサブタイムスロットで該第１の基準信号を伝送するための該第２のアップリンクチャネルを再度送信しなくてもよい。
【００８３】
または、３２０では、該端末機器が該アップリンクチャネルの優先度に基づき、該第１のサブタイムスロットで該第１のアップリンクチャネルを送信しないと決定した場合、該方法はさらに、該端末機器が該アップリンクチャネルの優先度に基づき、該第２のサブタイムスロットで該第２のアップリンクチャネルを送信するかどうかを決定することを含み、そのうち、該第２のアップリンクチャネルの優先度が最も低い。
【００８４】
端末機器が該第１のサブタイムスロットで第１のアップリンクデータを伝送するための第１のアップリンクチャネルを送信しない場合、該第２のタイムスロットで該第１の基準信号をも伝送しないと、該第２のタイムスロット上のリソースを無駄してしまうため、該実施例において、該第１の基準信号を伝送するための該第２のアップリンクチャネルの優先度を最も低く並べるようにすると、該第２のアップリンクチャネルが第２のタイムスロットで他のアップリンクチャネル送信と衝突し且つ端末機器の送信電力が制限されている場合、他の有用なアップリンクチャネルを送信することが優先して保証されることができ、かつ、該第２のアップリンクチャネルが第２のタイムスロットで他のチャネルと衝突しない場合、該第２のアップリンクチャネルを送信することができるようになり、このとき、第２のアップリンクチャネル内の該第１の基準信号は、ネットワーク機器がアップリンクチャネルの測定、アップリンク同期などを行うように手伝うことができる。
【００８５】
３２０では、該端末機器が該アップリンクチャネルの優先度に基づき、該第１のサブタイムスロットで該第１のアップリンクチャネルを送信すると決定した場合、該方法はさらに、該端末機器が該アップリンクチャネルの優先度に基づき、該第２のサブタイムスロットで該第２のアップリンクチャネルを送信するかどうかを決定することを含み得る。
【００８６】
具体的に、端末機器が該第１のサブタイムスロットで該第１のアップリンクチャネルを送信すると決定した場合、該第１のアップリンクデータを復調するための基準信号が第２のサブタイムスロットで伝送されているため、端末機器はまた、該第２のサブタイムスロットで該第２のアップリンクチャネルを送信するかどうかを決定する必要がある。該第２のサブタイムスロットで該第２のアップリンクチャネルを送信するかどうかを決定することは、端末機器が上記のアップリンクチャネルの優先度の情報に基づいて行われることができる。
【００８７】
本願の実施例において、端末機器は以下の４つの方式を通じて、該第２のアップリンクチャネルの優先度を判定することができる。
【００８８】
方式１
【００８９】
該第１のアップリンクチャネルにＨＡＲＱ−ＡＣＫが含まれている場合、該第２のアップリンクチャネルの優先度は、サブタイムスロットでＨＡＲＱ−ＡＣＫが含まれているアップリンクチャネルの優先度に等しい。
【００９０】
該第１のアップリンクチャネルにＨＡＲＱ−ＡＣＫが含まれていない場合、該第２のアップリンクチャネルの優先度は、サブタイムスロットでＨＡＲＱ−ＡＣＫが含まれておらず且つ基準信号が含まれているアップリンクチャネルの優先度に等しい。
【００９１】
方式２
【００９２】
該第１のアップリンクチャネルにＨＡＲＱ−ＡＣＫが含まれている場合、該第２のアップリンクチャネルの優先度は、サブタイムスロットでＨＡＲＱ−ＡＣＫが含まれているアップリンクチャネルの優先度に等しい。
【００９３】
該第１のアップリンクチャネルにＨＡＲＱ−ＡＣＫが含まれていない場合、該第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００９４】
方式３
【００９５】
該第２のアップリンクチャネルの優先度は、サブタイムスロットでＨＡＲＱ−ＡＣＫが含まれておらず且つ基準信号が含まれているアップリンクチャネルの優先度に等しい。
【００９６】
方式４
【００９７】
該第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【００９８】
一実施形態において、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。
【００９９】
該第１のキャリアは該端末機器の設定されたプライマリ物理アップリンク制御チャネルＰＵＣＣＨグループ内のキャリアであり、該第２のキャリアは該端末機器の設定されたセカンダリＰＵＣＣＨグループ内のキャリアである。
【０１００】
このとき、前述した該アップリンクチャネルの優先度は、低いレベルから高いレベルへ、
・  第２のキャリア上のサブフレームでＨＡＲＱ−ＡＣＫが含まれていないアップリンクチャネルと、
・  第１のキャリア上のサブフレームでＨＡＲＱ−ＡＣＫが含まれていないアップリンクチャネルと、
・  第２のキャリア上のタイムスロットでＨＡＲＱ−ＡＣＫが含まれていないアップリンクチャネルと、
・  第１のキャリア上のタイムスロットでＨＡＲＱ−ＡＣＫが含まれていないアップリンクチャネルと、
・  第２のキャリア上のサブタイムスロットでＨＡＲＱ−ＡＣＫが含まれておらず且つ基準信号が含まれていないアップリンクチャネルと、
・  第１のキャリア上のサブタイムスロットでＨＡＲＱ−ＡＣＫが含まれておらず且つ基準信号が含まれていないアップリンクチャネルと、
・  第２のキャリア上のサブタイムスロットでＨＡＲＱ−ＡＣＫが含まれておらず且つ基準信号が含まれているアップリンクチャネルと、
・  第１のキャリア上のサブタイムスロットでＨＡＲＱ−ＡＣＫが含まれておらず且つ基準信号が含まれているアップリンクチャネルと、
・  第２のキャリア上のサブフレームでＨＡＲＱ−ＡＣＫが含まれているアップリンクチャネルと、
・  第１のキャリア上のサブフレームでＨＡＲＱ−ＡＣＫが含まれているアップリンクチャネルと、
・  第２のキャリア上のタイムスロットでＨＡＲＱ−ＡＣＫが含まれているアップリンクチャネルと、
・  第１のキャリア上のタイムスロットでＨＡＲＱ−ＡＣＫが含まれているアップリンクチャネルと、
・  第２のキャリア上のサブタイムスロットでＨＡＲＱ−ＡＣＫが含まれているアップリンクチャネルと、
・  第１のキャリア上のサブタイムスロットでＨＡＲＱ−ＡＣＫが含まれているアップリンクチャネルと、を含み得る。
【０１０１】
対応的に、端末機器が該第１のアップリンクチャネルの優先度を決定するとき、該第１のアップリンクチャネルが属したＰＵＣＣＨグループにも配慮を払う必要がある。同様に、端末機器が該第２のアップリンクチャネルの優先度を決定するとき、第２のアップリンクチャネルが属したＰＵＣＣＨグループにも配慮を払う必要がある。
【０１０２】
第１のアップリンクチャネルを例として、第１のアップリンクチャネルと他のアップリンクチャネル（第３のアップリンクチャネルであると仮定する）とが第１のサブタイムスロットで衝突し且つ該第３のアップリンクチャネルと該第１のアップリンクチャネルとが同じＰＵＣＣＨグループに属し、即ち、該第３のアップリンクチャネルと該第１のアップリンクチャネルとがいずれも同一ＰＵＣＣＨグループ内のキャリアで伝送され、かつ、第３のアップリンクチャネルの長さが第１のアップリンクチャネルの長さと異なる場合、比較的長いほうのアップリンクチャネルを伝送せず、比較的長いほうのアップリンクチャネルにＨＡＲＱ−ＡＣＫが携帯されている場合、該ＨＡＲＱ−ＡＣＫが比較的短いほうのアップリンクチャネルで伝送されてもよい。
【０１０３】
第１のアップリンクチャネルと第３のアップリンクチャネルとが第１のサブタイムスロットで衝突し且つ該第３のアップリンクチャネルと該第１のアップリンクチャネルとが同じＰＵＣＣＨグループに属し、かつ、第３のアップリンクチャネルの長さが第１のアップリンクチャネルの長さと同じである場合、前述した優先度に基づいて第１のサブタイムスロットでどのアップリンクチャネルを伝送するかが判定できる。この場合では、第１のアップリンクチャネルに基準信号とＨＡＲＱ−ＡＣＫとが携帯されている状況が第３のアップリンクチャネルに基準信号とＨＡＲＱ−ＡＣＫとが携帯されている状況と同じである場合、該第１のアップリンクチャネルと該第３のアップリンクチャネルとに対応するセルインデックス（識別子）に基づいて両方の優先度を決定することができる。例えば、第１のアップリンクチャネルがプライマリＰＵＣＣＨグループ内のキャリア１で伝送され、第３のアップリンクチャネルがプライマリＰＵＣＣＨグループ内のキャリア２で伝送され、キャリア１に対応するセルインデックスがキャリア２に対応するセルインデックスより小さい場合、第１のアップリンクチャネルの優先度が第３のアップリンクチャネルの優先度より高い。第１のアップリンクチャネルと第３のアップリンクチャネルとが第１のサブタイムスロットで衝突し且つ該第３のアップリンクチャネルと該第１のアップリンクチャネルとが異なるＰＵＣＣＨグループに属し、かつ、第３のアップリンクチャネルの長さが第１のアップリンクチャネルの長さと同じまたは異なる場合、前述した優先度に基づいて第１のサブタイムスロットでどのアップリンクチャネルを伝送するかが判定できる。
【０１０４】
以下は表２から表６までの表に合わせて例を挙げながら説明する。プライマリＰＵＣＣＨグループ内の第１のキャリアはｓＴＴＩ  ｎでＤＤ｜Ｒがスケジュールされたと仮定し、そのうちアップリンクデータＤＤがｓＴＴＩ  ｎで送信され、ＤＤを復調するための基準信号ＲがｓＴＴＩ  ｎ＋１で送信される。端末機器は送信電力が制限されているとき、アップリンクチャネルの送信状況は以下のように示すことができる。そのうち、「＝」で引かれたアップリンクチャネルは優先度が低いアップリンクチャネルを表し、即ち、「＝」で引かれたアップリンクチャネルは送信されないか又は電力が低くされて送信される。そのうち、「ｗ／」は肯定の意味であり、「ｗ／ｏ」は否定の意味であり、対応的に、「ｗ／  ＨＡＲＱ−ＡＣＫ」は該アップリンクチャネルにＨＡＲＱ−ＡＣＫが携帯されていることを表し、「ｗ／ｏ  ＨＡＲＱ−ＡＣＫ」は該アップリンクチャネルにＨＡＲＱ−ＡＣＫが携帯されていないことを表す。
【０１０５】
表２において、ｓＴＴＩ  ｎでは、プライマリＰＵＣＣＨグループ内のキャリア上のＰＵＳＣＨ  ｗ／  ＨＡＲＱ−ＡＣＫの優先度は、セカンダリＰＵＣＣＨグループ内のキャリア上のＰＵＳＣＨの優先度より高いため、セカンダリＰＵＣＣＨグループ内のキャリアではｓＴＴＩ  ｎ上のＰＵＳＣＨが送信されることはない。
【０１０６】
ｓＴＴＩ  ｎ＋１では、前述した方式１又は方式２を使用して優先度を判定すると仮定すると、プライマリＰＵＣＣＨグループ内のキャリアで送信された基準信号がｓＴＴＩ  ｎ上のＰＵＳＣＨ  ｗ／  ＨＡＲＱ−ＡＣＫを復調するためのものであるため、プライマリＰＵＣＣＨグループ内のキャリア上の、該基準信号を伝送するためのアップリンクチャネルの優先度は、セカンダリＰＵＣＣＨグループ内のキャリアで送信されたＰＵＳＣＨ  ｗ／  ＵＣＩの優先度より高く、したがって、セカンダリＰＵＣＣＨグループ内のキャリアではｓＴＴＩ  ｎ＋１上のＰＵＳＣＨ  ｗ／  ＨＡＲＱ−ＡＣＫが送信されることはない。
【０１０７】
【表２】
2021529443.tif 000028
【０１０８】
表３において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／  ＨＡＲＱ−ＡＣＫの優先度より低いため、プライマリＰＵＣＣＨグループ内のキャリアではｓＴＴＩ  ｎ上のＰＵＳＣＨ  ｗ／ｏ  ＨＡＲＱ−ＡＣＫが送信されることはない。
【０１０９】
ｓＴＴＩ  ｎ＋１では、プライマリＰＵＣＣＨグループ内のキャリアではｓＴＴＩ  ｎ上のＰＵＳＣＨ  ｗ／ｏ  ＨＡＲＱ−ＡＣＫが送信されず、セカンダリＰＵＣＣＨグループ上にあるのがＰＵＳＣＨ  ｗ／  ＨＡＲＱ−ＡＣＫであるため、プライマリＰＵＣＣＨグループ内のキャリアでは該基準信号を伝送するためのアップリンクチャネルの優先度が最も低く、これにより送信されることはない。
【０１１０】
【表３】
2021529443.tif 000029
【０１１１】
表４において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／ｏ  ＨＡＲＱ−ＡＣＫの優先度より高いため、セカンダリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１２】
ｓＴＴＩ  ｎ＋１では、セカンダリＰＵＣＣＨグループ内のキャリアで送信されるのがＰＵＳＣＨ  ｗ／  ＨＡＲＱ−ＡＣＫであり、プライマリＰＵＣＣＨグループ内のキャリアでは該基準信号を伝送するためのアップリンクチャネルの優先度が、セカンダリＰＵＣＣＨグループ内のキャリアではｓＴＴＩ  ｎ＋１で送信されたＰＵＳＣＨ  ｗ／  ＨＡＲＱ−ＡＣＫの優先度より低いため、プライマリＰＵＣＣＨグループ内のキャリアでの該基準信号が送信されることはない。
【０１１３】
【表４】
2021529443.tif 000030
【０１１４】
表５において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／  ＨＡＲＱ−ＡＣＫの優先度より低いため、プライマリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１５】
ｓＴＴＩ  ｎ＋１では、プライマリＰＵＣＣＨグループ内のキャリアではｓＴＴＩ  ｎ上のＰＵＳＣＨ  ｗ／ｏ  ＨＡＲＱ−ＡＣＫが送信されず、セカンダリＰＵＣＣＨグループ内のキャリアではｓＴＴＩ  ｎ＋１上にあるのがＰＵＳＣＨ  ｗ／ｏ  ＨＡＲＱ−ＡＣＫであるため、プライマリＰＵＣＣＨグループ内のキャリアでは該基準信号を伝送するためのアップリンクチャネルの優先度が最も低く、これにより送信されることはない。
【０１１６】
【表５】
2021529443.tif 000031
【０１１７】
表６において、ｓＴＴＩ  ｎでは、プライマリＰＵＣＣＨグループ内のキャリア上のＰＵＳＣＨ  ｗ／ｏ  ＨＡＲＱ−ＡＣＫの優先度が、セカンダリＰＵＣＣＨグループ内のキャリア上のＰＵＳＣＨ  ｗ／ｏ  ＨＡＲＱ−ＡＣＫの優先度より高いため、セカンダリＰＵＣＣＨグループ内のキャリアではｓＴＴＩ  ｎ上のＰＵＳＣＨ  ｗ／ｏ  ＨＡＲＱ−ＡＣＫが送信されることはない。
【０１１８】
ｓＴＴＩ  ｎ＋１では、前述した方式２又は方式４を使用して優先度を判定すると仮定すると、セカンダリＰＵＣＣＨグループ内のキャリアで送信されるのがＰＵＳＣＨ  ｗ／ｏ  ＨＡＲＱ−ＡＣＫであり、プライマリＰＵＣＣＨグループ内のキャリアではｓＴＴＩ  ｎ＋１で伝送された基準信号がｓＴＴＩ  ｎで送信されたＰＵＳＣＨ  ｗ／ｏ  ＨＡＲＱ−ＡＣＫを復調するためのものである。プライマリＰＵＣＣＨグループ内のキャリアではｓＴＴＩ  ｎ＋１上の、該基準信号を伝送するためのアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にあるため、セカンダリＰＵＣＣＨグループ内のキャリアではｓＴＴＩ  ｎ＋１上のアップリンクチャネルが基準信号を含む場合、プライマリＰＵＣＣＨグループ内のキャリアでは該基準信号をｓＴＴＩ  ｎ＋１で伝送するためのアップリンクチャネルが伝送されることはなく、セカンダリＰＵＣＣＨグループ内のキャリアではｓＴＴＩ  ｎ＋１上のアップリンクチャネルが基準信号を含まない場合、セカンダリＰＵＣＣＨグループ内のキャリア上のＰＵＳＣＨ  ｗ／ｏ  ＨＡＲＱ−ＡＣＫが伝送されることはない。
【０１１９】
【表６】
2021529443.tif 000032
【０１２０】
本願の実施例において、第１のサブタイムスロットで第１のアップリンクチャネルと他のアップリンクチャネルとを送信するための総送信電力が端末機器の最大送信電力を上回るとき、端末機器がアップリンクチャネルの優先度に基づき、該第１のサブタイムスロットで該他のアップリンクチャネルを送信すると決定した場合、該端末機器は該第１のサブタイムスロットで該第１のアップリンクチャネルを送信しなくてもよいが、または、通常通りの電力で他のアップリンクチャネルを送信した後に、電力が残ったら、該残る電力を使用して該第１のアップリンクチャネルを送信すると理解すべきである。
【０１２１】
一実施形態において、第２のアップリンクチャネルでの基準信号が第１のアップリンクチャネルでのアップリンクデータを復調するためのものであるため、第１のアップリンクチャネルの送信電力が低下したとき、第２のアップリンクチャネルが通常通りに送信できる場合、第２のアップリンクチャネルも第１のアップリンクチャネルと同じ送信電力を使用して送信されるべきであり、これにより第１のアップリンクチャネルの復調性能が保証される。
【０１２２】
一実施形態において、第１のアップリンクチャネルが通常通りの電力に従って送信され、第２のアップリンクチャネルは制限された電力と比較的優先度の低いチャネルのため送信電力が低くされる必要がある場合、該第２のアップリンクチャネルを送信しなくてもよい。
【０１２３】
図４は、本願の実施例によるアップリンク信号の送信方法４００の概略フローチャートである。図４で説明した方法は端末機器によって実行されることができ、該端末機器は例えば図１に示した端末機器１２０であってもよい。図４に示すように、該アップリンク信号の送信方法４００は以下のステップの一部又はすべてを含み得る。
【０１２４】
４１０では、端末機器がネットワーク機器によって送信されたアップリンク認証情報を受信し、該アップリンク認証情報は、該端末機器が第１のサブタイムスロットで第１のアップリンクデータを送信し、および、第２のサブタイムスロットで第１の基準信号を送信し且つアップリンクデータを送信しないように指示するためのものである。
【０１２５】
該第１のサブタイムスロットと該第２のサブタイムスロットとが隣接するサブタイムスロットであり、該第１のサブタイムスロットが該第２のサブタイムスロットの前に位置し、該第１の基準信号が該第１のアップリンクデータを復調するためのものであり、該第２のサブタイムスロットがまた、第１のＰＵＣＣＨを送信するためのものであり、該第１のＰＵＣＣＨに第１のアップリンク制御情報ＵＣＩが含まれている。
【０１２６】
４２０では、該端末機器が該第１のアップリンクデータを送信するための第１のＰＵＳＣＨ及び／又は該第１のＵＣＩに含まれた情報内容に基づき、該第２のサブタイムスロットで該第１の基準信号と該第１のＰＵＣＣＨとのうちの１つを送信する。
【０１２７】
具体的に、端末機器はアップリンク認証情報を受信し、該アップリンク認証情報は、端末機器が第１のサブタイムスロットで第１のアップリンクデータを送信し、および、第２のサブタイムスロットで該第１のアップリンクデータを復調するための第１の基準信号を送信し且つアップリンクデータを送信しないように指示する。該端末機器が該第１のサブタイムスロットでＤＤ｜Ｒを伝送するようにスケジュールされ且つそのうちのＲが第２のサブタイムスロットで伝送され、かつ、第２のサブタイムスロットでは該端末機器のアップリンクデータ伝送がスケジュールされていないと理解できる。端末機器はまた、該第２のサブタイムスロットで第１のＰＵＣＣＨを伝送する必要がある（例えば端末機器が該第２のサブタイムスロットでダウンリンク伝送されたデータに対してＨＡＲＱ−ＡＣＫフィードバックを行い、又は端末機器がＣＳＩ報告を行う）場合、端末機器は、該基準信号が復調した第１のＰＵＳＣＨに含まれた情報内容と該第１のＰＵＣＣＨに含まれた情報内容とに基づき、該第２のサブタイムスロット内でアップリンクチャネルを伝送する。
【０１２８】
一実施形態において、該第１のＰＵＣＣＨと該基準信号とは同一キャリアの第２のサブタイムスロットで衝突してもよいが、該第１のＰＵＣＣＨと該基準信号とは異なるキャリアの第２のサブタイムスロットで衝突してもよい。例えば一方が第１のキャリアにあるのに対して他方が第２のキャリアにあり、そのうち、該第１のキャリアは該端末機器の設定されたプライマリ物理アップリンク制御チャネルＰＵＣＣＨグループ内のキャリアであり、該第２のキャリアは該端末機器の設定されたセカンダリＰＵＣＣＨグループ内のキャリアである。
【０１２９】
該第１のＰＵＣＣＨに第１のＵＣＩが含まれる。該第１のＵＣＩはＨＡＲＱ−ＡＣＫ情報、スケジューリング要求情報及びチャネル状態情報（Ｃｈａｎｎｅｌ  Ｓｔａｔｅ  Ｉｎｆｏｒｍａｔｉｏｎ、ＣＳＩ）のうちの１つを含むことができ、そのうちＣＳＩがランクインジケーター（Ｒａｎｋ  Ｉｎｄｉｃａｔｉｏｎ、ＲＩ）、プリコーディングマトリックスインジケーター（Ｐｒｅｃｏｄｉｎｇ  Ｍａｔｒｉｘ  Ｉｎｄｉｃａｔｏｒ、ＰＭＩ）、チャネル品質インジケーター（Ｃｈａｎｎｅｌ  Ｑｕａｌｉｔｙ  Ｉｎｄｉｃａｔｏｒ、ＣＱＩ）のうちの１つを含む。
【０１３０】
したがって、本願の実施例において、端末機器がアップリンクチャネルを同時伝送しない場合、端末機器は、重要なアップリンク制御情報の伝送と復調を確保するように、該基準信号が復調したＰＵＳＣＨに含まれた情報内容と該ＰＵＣＣＨに含まれた情報内容とに基づき、該時間内にアップリンクチャネルを伝送する。
【０１３１】
該実施例において、該端末機器はアップリンクチャネルを同時伝送する能力がない、または、該端末機器はアップリンクチャネルを同時伝送する能力があるが、アップリンクチャネルを同時伝送しないように構成されている。
【０１３２】
該第１のアップリンクデータにＵＣＩが含まれてもよいが、含まれなくてもよいと理解すべきである。
【０１３３】
一実施形態において、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、４２０では、該端末機器が該第２のサブタイムスロットで該第１の基準信号と該第１のＰＵＣＣＨのうちの１つを送信することは、該端末機器が該第２のサブタイムスロットで該第１のＰＵＣＣＨを送信することを含む。
【０１３４】
例えば表７に示すように、ＰＵＳＣＨとＰＵＣＣＨとがｓＴＴＩ  ｎで衝突することはないが、ｓＴＴＩ  ｎ＋１でのみ衝突した。ｓＴＴＩ  ｎで伝送されたＰＵＳＣＨにＨＡＲＱ−ＡＣＫが含まれていないため、ｓＴＴＩ  ｎ＋１上の該基準信号が伝送されない。
【０１３５】
【表７】
2021529443.tif 000033
【０１３６】
また、例えば表８に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＵＣＩが含まれているが該ＵＣＩにＨＡＲＱ−ＡＣＫが含まれておらず、該ＵＣＩはＰＵＳＣＨで伝送されることができる。そこで、ｓＴＴＩ  ｎで伝送されたＰＵＳＣＨにＨＡＲＱ−ＡＣＫが含まれていないため、ｓＴＴＩ  ｎ＋１上の該基準信号が伝送されない。
【０１３７】
【表８】
2021529443.tif 000034
【０１３８】
一実施形態において、該第１のＰＵＳＣＨに第２のＵＣＩが含まれており且つ該第２のＵＣＩにＨＡＲＱ−ＡＣＫ情報が含まれている場合、４２０では、該端末機器が該第２のサブタイムスロットで該第１の基準信号と該第１のＰＵＣＣＨのうちの１つを送信することは、該端末機器が該第２のサブタイムスロットで該第１の基準信号を送信することを含む。
【０１３９】
例えば表９に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫが含まれており、該ＨＡＲＱ−ＡＣＫはＰＵＳＣＨで伝送されることができる。そこで、ｓＴＴＩ  ｎで伝送されたＰＵＳＣＨにＨＡＲＱ−ＡＣＫが含まれているため、ｓＴＴＩ  ｎ上のＰＵＳＣＨを復調するために、ｓＴＴＩ  ｎ＋１でＰＵＣＣＨを伝送するのではなく、基準信号を伝送する。
【０１４０】
【表９】
2021529443.tif 000035
【０１４１】
一実施形態において、該第１のＵＣＩにＨＡＲＱ−ＡＣＫ情報が含まれている場合、該方法はさらに、該端末機器が該第１のサブタイムスロットで該第１のＵＣＩ内のＨＡＲＱ−ＡＣＫ情報を送信すること含む。
【０１４２】
例えば表１０に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫ１が含まれており、該ＨＡＲＱ−ＡＣＫ１はＰＵＳＣＨで伝送されることができる。そこで、ｓＴＴＩ  ｎで伝送されたＰＵＳＣＨにＨＡＲＱ−ＡＣＫ１が含まれているため、ｓＴＴＩ  ｎ上のＰＵＳＣＨを復調するために、ｓＴＴＩ  ｎ＋１でＰＵＣＣＨを伝送するのではなく、基準信号を伝送する、しかし、ｓＴＴＩ  ｎ＋１上のＰＵＣＣＨにＨＡＲＱ−ＡＣＫ２が含まれていることを考慮すると、該ＨＡＲＱ−ＡＣＫ２の伝送を保証するために、該ＨＡＲＱ−ＡＣＫ２もｓＴＴＩ  ｎのＰＵＳＣＨに伝送してもよい。
【０１４３】
【表１０】
2021529443.tif 000036
【０１４４】
一実施形態において、該第１のＵＣＩにＨＡＲＱ−ＡＣＫ情報が含まれている場合、該方法はさらに、該端末機器が該第２のサブタイムスロットで該第１のＰＵＣＣＨを送信することを含む。
【０１４５】
例えば表１１に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫ１が含まれており、該ＨＡＲＱ−ＡＣＫ１はＰＵＳＣＨで伝送されることができる。しかし、ｓＴＴＩ  ｎ＋１で伝送されたＰＵＣＣＨにＨＡＲＱ−ＡＣＫ２が含まれていることを考慮すると、ｓＴＴＩ  ｎ＋１でＨＡＲＱ−ＡＣＫ２の優先度が基準信号より高いため、ｓＴＴＩ  ｎ＋１で基準信号を伝送するのではなく、ＰＵＣＣＨを伝送する。
【０１４６】
【表１１】
2021529443.tif 000037
【０１４７】
一実施形態において、該第１のＵＣＩにＨＡＲＱ−ＡＣＫ情報が含まれていない場合、該方法はさらに、該第１のＰＵＳＣＨに第２のＵＣＩが含まれており且つ該第２のＵＣＩにＨＡＲＱ−ＡＣＫ情報が含まれている場合、該端末機器が該第２のサブタイムスロットで該第１の基準信号を送信することを含む。
【０１４８】
例えば表１２に示すように、ＰＵＳＣＨとＰＵＣＣＨがｓＴＴＩ  ｎとｓＴＴＩ  ｎ＋１でいずれも衝突する。ｓＴＴＩ  ｎでは、ＰＵＣＣＨにＨＡＲＱ−ＡＣＫが含まれており、該ＨＡＲＱ−ＡＣＫはＰＵＳＣＨで伝送されることができる。ｓＴＴＩ  ｎ＋１で伝送されるＰＵＣＣＨにＨＡＲＱ−ＡＣＫが含まれていないため、ｓＴＴＩ  ｎ上のＰＵＳＣＨを復調するために、ｓＴＴＩ  ｎ＋１でＰＵＣＣＨを伝送するのではなく、基準信号を伝送する。
【０１４９】
【表１２】
2021529443.tif 000038
【０１５０】
一実施形態において、該第１のＵＣＩにＨＡＲＱ−ＡＣＫ情報が含まれていない場合、該方法はさらに、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１のＰＵＣＣＨを送信することを含む。
【０１５１】
例えば表１３に示すように、基準信号とＰＵＣＣＨがｓＴＴＩ  ｎ＋１で衝突する。ｓＴＴＩ  ｎで伝送されたＰＵＳＣＨにＨＡＲＱ−ＡＣＫが含まれておらず、ｓＴＴＩ  ｎ＋１で伝送されたＰＵＣＣＨにもＨＡＲＱ−ＡＣＫが含まれていないが、ＵＣＩが再伝送されることはなく、アップリンクデータが再伝送されることがあり、ＵＣＩの優先度がアップリンクデータより高いと見なされてもよいため、ｓＴＴＩ  ｎ＋１で基準信号を伝送するのではなく、ＰＵＣＣＨを伝送する。
【０１５２】
【表１３】
2021529443.tif 000039
【０１５３】
一実施形態において、該第１のＵＣＩにＨＡＲＱ−ＡＣＫ情報が含まれていない場合、該方法はさらに、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１の基準信号を送信することを含む。
【０１５４】
一実施形態において、４２０では、該端末機器が該第２のサブタイムスロットで該第１の基準信号と該第１のＰＵＣＣＨのうちの１つを送信することは、該端末機器が該第２のサブタイムスロットで該第１のＰＵＣＣＨを送信することを含む。
【０１５５】
一実施形態において、４２０では、該端末機器が該第２のサブタイムスロットで該第１の基準信号と該第１のＰＵＣＣＨのうちの１つを送信することは、該端末機器が該第２のサブタイムスロットで該第１の基準信号を送信することを含む。
【０１５６】
一実施形態において、４２０では、該端末機器が該第２のサブタイムスロットで該第１の基準信号と該第１のＰＵＣＣＨのうちの１つを送信することは、該第１のＵＣＩにＨＡＲＱ−ＡＣＫ情報が含まれている場合、該端末機器が該第２のサブタイムスロットで該第１のＰＵＣＣＨを送信すること、及び／又は、該第１のＵＣＩにＨＡＲＱ−ＡＣＫ情報が含まれていない場合、該端末機器が該第２のサブタイムスロットで該第１の基準信号を送信すること、を含む。
【０１５７】
一実施形態において、４２０では、ＰＵＳＣＨとＰＵＣＣＨとの間に衝突が発生した場合には、表１４と表１５に示すような方式に基づいてアップリンクチャネルを伝送してもよい。
【０１５８】
表１４に示すように、ＰＵＳＣＨとＰＵＣＣＨがｓＴＴＩ  ｎとｓＴＴＩ  ｎ＋１でいずれも衝突する。ｓＴＴＩ  ｎとｓＴＴＩ  ｎ＋１でいずれもＰＵＳＣＨを送信するのではなく、ＰＵＣＣＨを送信する。
【０１５９】
【表１４】
2021529443.tif 000040
【０１６０】
表１５に示すように、ＰＵＳＣＨとＰＵＣＣＨがｓＴＴＩ  ｎとｓＴＴＩ  ｎ＋１でいずれも衝突する。ｓＴＴＩ  ｎとｓＴＴＩ  ｎ＋１でいずれもＰＵＣＣＨを送信するのではなく、ＰＵＳＣＨを送信し、かつ、ＰＵＣＣＨに携帯されたＵＣＩがいずれも同一のＴＴＩでのＰＵＳＣＨで伝送される。
【０１６１】
【表１５】
2021529443.tif 000041
【０１６２】
基準信号とＰＵＣＣＨを送信するためのアップリンクチャネルが時間ドメインでオーバーラップされる場合、端末機器は、該基準信号が復調したＰＵＳＣＨに含まれる情報内容と該ＰＵＣＣＨに含まれる情報内容とに基づき、該時間内にアップリンクチャネルを伝送し、これにより該ＰＵＳＣＨに比較的重要なアップリンク制御情報が携帯されている場合、該ＰＵＳＣＨが基準信号によって復調されることは保証され、かつ、一部の場合では、該ＰＵＣＣＨに重要なアップリンク制御情報が携帯されている場合、該ＰＵＣＣＨに含まれる重要なアップリンク制御情報は該ＰＵＳＣＨで伝送されることができると見える。
【０１６３】
一実施形態において、ＰＵＣＣＨはまた、スケジューリング要求情報を伝送するために使用されることができるが、該スケジューリング要求情報はＰＵＳＣＨで伝送されることができず、ＰＵＣＣＨにスケジューリング要求情報が携帯されている場合、該ＰＵＣＣＨの優先度と該ＰＵＣＣＨにＨＡＲＱ−ＡＣＫが携帯されているときの優先度が同じであると見なされてもよい。
【０１６４】
一実施形態において、該第１のＵＣＩにスケジューリング要求情報とＨＡＲＱ情報（例えばＨＡＲＱ−ＡＣＫ）とのうちの１つが含まれている場合、該方法はさらに、該端末機器が該第２のサブタイムスロットで該第１のＰＵＣＣＨを送信することを含む。
【０１６５】
一実施形態において、該第１のＵＣＩにスケジューリング要求情報が含まれており且つＨＡＲＱ情報が含まれていない場合、該方法はさらに、該第１のＰＵＳＣＨにＵＣＩが含まれておらず、又は、該第１のＰＵＳＣＨに第２のＵＣＩが含まれており且つ該第２のＵＣＩにＨＡＲＱ−ＡＣＫ情報が含まれていない場合、該端末機器が該第２のサブタイムスロットで該第１のＰＵＣＣＨを送信すること、及び／又は、該第１のＰＵＳＣＨに第２のＵＣＩが含まれており且つ該第２のＵＣＩにＨＡＲＱ−ＡＣＫ情報が含まれている場合、該端末機器が該第２のサブタイムスロットで該第１の基準信号を送信すること、を含む。
【０１６６】
説明する必要があるのは、衝突がないことを前提として、本願で説明した各実施例及び／又は各実施例における技術的特徴は任意に組み合わせられることができ、組み合わせた後に得られる技術的解決手段も本願の保護範囲に含まれるべきである。
【０１６７】
本願の様々な実施例において、上記各プロセスのシーケンス番号の大きさは、実行順序を意味せず、各プロセスの実行順序は、その機能と固有のロジックによって決定されるべきであり、本願の実施例の実現プロセスに対して如何なる制限を構成するべきではないと理解すべきである。
【０１６８】
以上は本願の実施例による通信方法について詳細に説明したが、以下は図５から図８までの図に合わせて、本願の実施例による装置を説明し、方法の実施例で説明した技術特徴は以下の装置の実施例に適する。
【０１６９】
図５は、本願の実施例による端末機器５００の概略ブロック図である。図５に示すように、該端末機器５００は受信ユニット５１０と決定ユニット５２０とを含む。
受信ユニットは、ネットワーク機器によって送信されたアップリンク認証情報を受信することに用いられ、前記アップリンク認証情報は、前記端末機器が第１のサブタイムスロットで第１のアップリンクチャネルを送信し、および、第２のサブタイムスロットで第２のアップリンクチャネルを送信するように指示するためのものであり、そのうち、前記第１のアップリンクチャネルが第１のアップリンクデータを含み且つ基準信号を含まず、前記第２のアップリンクチャネルが第１の基準信号を含み、前記第１のサブタイムスロットと前記第２のサブタイムスロットが第１のキャリアで隣接するサブタイムスロットであり、前記第１のサブタイムスロットが前記第２のサブタイムスロットの前に位置し、前記第１の基準信号が前記第１のアップリンクデータを復調するためのものであり、
決定ユニットは、アップリンクチャネルの優先度に基づき、前記第１のサブタイムスロットで前記第１のアップリンクチャネルを送信するかどうかを決定することに用いられ、そのうち、前記アップリンクチャネルの優先度は、低いレベルから高いレベルへ、サブフレームでハイブリッド自動再伝送要求−応答ＨＡＲＱ−ＡＣＫが含まれていないアップリンクチャネルと、タイムスロットでＨＡＲＱ−ＡＣＫが含まれていないアップリンクチャネルと、サブタイムスロットでＨＡＲＱ−ＡＣＫが含まれておらず且つ基準信号が含まれていないアップリンクチャネルと、サブタイムスロットでＨＡＲＱ−ＡＣＫが含まれておらず且つ基準信号が含まれているアップリンクチャネルと、サブフレームでＨＡＲＱ−ＡＣＫが含まれているアップリンクチャネルと、タイムスロットでＨＡＲＱ−ＡＣＫが含まれているアップリンクチャネルと、サブタイムスロットでＨＡＲＱ−ＡＣＫが含まれているアップリンクチャネルと、を含む。
【０１７０】
したがって、同じ時間内に、異なるアップリンクチャネルを送信するための総送信電力が端末機器の最大送信電力を上回るとき、端末機器はアップリンクチャネルの優先度に基づいて該時間内にアップリンクチャネルを伝送する。ＨＡＲＱ−ＡＣＫが含まれていないアップリンクチャネルの優先度がＨＡＲＱ−ＡＣＫが含まれているアップリンクチャネルの優先度より低いため、重要なＨＡＲＱ−ＡＣＫの通常通りの伝送は優先して保証されるようになる。次に、使用されたＴＴＩの長さが短ければ短いほど伝送されるアップリンクチャネルの優先度が高いため、これにより比較的に緊急度の高いアップリンクチャネルが優先して伝送されることが保証できる。
【０１７１】
一実施形態において、前記第１のアップリンクチャネルにＨＡＲＱ−ＡＣＫが含まれていない場合、前記第１のアップリンクチャネルの優先度は、サブタイムスロットでＨＡＲＱ−ＡＣＫが含まれておらず且つ基準信号が含まれているアップリンクチャネルの優先度に等しく、または、サブタイムスロットでＨＡＲＱ−ＡＣＫが含まれておらず且つ基準信号が含まれていないアップリンクチャネルの優先度に等しい。
【０１７２】
一実施形態において、前記端末機器が前記アップリンクチャネルの優先度に基づき、前記第１のサブタイムスロットで前記第１のアップリンクチャネルを送信すると決定した場合、前記決定ユニットはまた、前記アップリンクチャネルの優先度に基づき、前記第２のサブタイムスロットで前記第２のアップリンクチャネルを送信するかどうかを決定するために使用され、そのうち、前記第１のアップリンクチャネルにＨＡＲＱ−ＡＣＫが含まれている場合、前記第２のアップリンクチャネルの優先度は、サブタイムスロットでＨＡＲＱ−ＡＣＫが含まれているアップリンクチャネルの優先度に等しい。
【０１７３】
一実施形態において、前記端末機器が前記アップリンクチャネルの優先度に基づき、前記第１のサブタイムスロットで前記第１のアップリンクチャネルを送信すると決定した場合、前記決定ユニットはさらに、前記アップリンクチャネルの優先度に基づき、前記第２のサブタイムスロットで前記第２のアップリンクチャネルを送信するかどうかを決定するために使用され、そのうち、前記第１のアップリンクチャネルにＨＡＲＱ−ＡＣＫが含まれていない場合、前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【０１７４】
一実施形態において、前記端末機器が前記アップリンクチャネルの優先度に基づき、前記第１のサブタイムスロットで前記第１のアップリンクチャネルを送信すると決定した場合、前記決定ユニットはさらに、前記アップリンクチャネルの優先度に基づき、前記第２のサブタイムスロットで前記第２のアップリンクチャネルを送信するかどうかを決定するために使用される。
【０１７５】
前記第２のアップリンクチャネルの優先度は、サブタイムスロットでＨＡＲＱ−ＡＣＫが含まれておらず且つ基準信号が含まれているアップリンクチャネルの優先度に等しい、または、前記第２のアップリンクチャネルの優先度は、サブタイムスロットでＨＡＲＱ−ＡＣＫが含まれておらず且つ基準信号が含まれていないアップリンクチャネルの優先度と、サブタイムスロットでＨＡＲＱ−ＡＣＫが含まれておらず且つ基準信号が含まれているアップリンクチャネルの優先度との間にある。
【０１７６】
一実施形態において、前記端末機器が前記アップリンクチャネルの優先度に基づき、前記第１のサブタイムスロットで前記第１のアップリンクチャネルを送信しないと決定した場合、前記決定ユニットはさらに、前記第２のサブタイムスロットで前記第２のアップリンクチャネルを送信しないと決定するために使用される。
【０１７７】
一実施形態において、前記端末機器が前記アップリンクチャネルの優先度に基づき、前記第１のサブタイムスロットで前記第１のアップリンクチャネルを送信しないと決定した場合、前記決定ユニットはさらに、前記アップリンクチャネルの優先度に基づき、前記第２のサブタイムスロットで前記第２のアップリンクチャネルを送信するかどうかを決定するために使用され、そのうち、前記第２のアップリンクチャネルの優先度が最も低い。
【０１７８】
一実施形態において、アップリンクチャネルにＨＡＲＱ−ＡＣＫが含まれるかどうかは基準信号が含まれるかどうかと状況が同じである場合、第２のキャリアで送信されたアップリンクチャネルの優先度は、第１のキャリアで送信されたアップリンクチャネルの優先度より低い。
【０１７９】
前記第１のキャリアが前記端末機器の設定されたプライマリ物理アップリンク制御チャネルＰＵＣＣＨグループ内のキャリアであり、前記第２のキャリアが前記端末機器の設定されたセカンダリＰＵＣＣＨグループ内のキャリアである。
【０１８０】
一実施形態において、前記端末機器は異なる時間長さを持つアップリンクチャネルを同時伝送する能力があり且つ異なる時間長さを持つアップリンクチャネルを同時伝送できるように構成されている。
【０１８１】
該通信機器５００は上記方法３００では端末機器によって実行される相応の操作を実行することができると理解すべきであり、簡潔のために、ここでは繰り返して説明しない。
【０１８２】
図６は、本願の実施例による端末機器６００の概略ブロック図である。図６に示すように、該端末機器６００は受信ユニット６１０と送信ユニット６２０とを含む。
受信ユニットは、ネットワーク機器によって送信されたアップリンク認証情報を受信することに用いられ、前記アップリンク認証情報は、前記端末機器が第１のサブタイムスロットで第１のアップリンクデータを送信し、および、第２のサブタイムスロットで第１の基準信号を送信し且つアップリンクデータを送信しないように指示するためのものであり、そのうち、前記第１のサブタイムスロットと前記第２のサブタイムスロットが隣接するサブタイムスロットであり、前記第１のサブタイムスロットが前記第２のサブタイムスロットの前に位置し、前記第１の基準信号が前記第１のアップリンクデータを復調するためのものであり、前記第２のサブタイムスロットがまた、第１のアップリンク制御チャネルＰＵＣＣＨを送信するためのものであり、前記第１のＰＵＣＣＨに第１のアップリンク制御情報ＵＣＩが含まれている。
送信ユニットは、前記第１のアップリンクデータを送信するための第１の物理アップリンク共有チャネルＰＵＳＣＨ及び／又は前記第１のＵＣＩに含まれる情報内容に基づき、前記第２のサブタイムスロットで前記第１の基準信号と前記第１のＰＵＣＣＨのうちの１つを送信するために使用される。
【０１８３】
したがって、同じ時間内に、基準信号とＰＵＣＣＨを送信するための総送信電力が端末機器の最大送信電力を上回るとき、端末機器は、重要なアップリンク制御情報の伝送と復調を確保するように、該基準信号が復調したＰＵＳＣＨに含まれた情報内容と該ＰＵＣＣＨに含まれた情報内容に基づき、該時間内にアップリンクチャネルを伝送する。
【０１８４】
一実施形態において、前記第１のＰＵＳＣＨにＵＣＩが含まれておらず、又は、前記第１のＰＵＳＣＨに第２のＵＣＩが含まれており且つ前記第２のＵＣＩにハイブリッド自動再伝送要求−応答ＨＡＲＱ−ＡＣＫ情報が含まれておらず、前記送信ユニットは、具体的に、前記端末機器が前記第２のサブタイムスロットで前記第１のＰＵＣＣＨを送信するために使用される。
【０１８５】
一実施形態において、前記第１のＰＵＳＣＨに第２のＵＣＩが含まれており且つ前記第２のＵＣＩにＨＡＲＱ−ＡＣＫ情報が含まれており、前記送信ユニットは、具体的に、前記端末機器が前記第２のサブタイムスロットで前記第１の基準信号を送信するために使用される。
【０１８６】
一実施形態において、前記第１のＵＣＩにＨＡＲＱ−ＡＣＫ情報が含まれており、前記送信ユニットはまた、前記第１のサブタイムスロットで前記第１のＵＣＩ内のＨＡＲＱ−ＡＣＫ情報を送信するために使用される。
【０１８７】
一実施形態において、前記第１のＵＣＩにＨＡＲＱ−ＡＣＫ情報が含まれており、前記送信ユニットはさらに、前記第２のサブタイムスロットで前記第１のＰＵＣＣＨを送信するために使用される。
【０１８８】
一実施形態において、前記第１のＵＣＩにＨＡＲＱ−ＡＣＫ情報が含まれておらず、前記送信ユニットはさらに、前記第１のＰＵＳＣＨに第２のＵＣＩが含まれており且つ前記第２のＵＣＩにＨＡＲＱ−ＡＣＫ情報が含まれている場合、前記第２のサブタイムスロットで前記第１の基準信号を送信するために使用される、及び／又は、前記第１のＰＵＳＣＨにＵＣＩが含まれておらず、又は、前記第１のＰＵＳＣＨに第２のＵＣＩが含まれており且つ前記第２のＵＣＩにＨＡＲＱ−ＡＣＫ情報が含まれていない場合、前記第２のサブタイムスロットで前記第１のＰＵＣＣＨを送信するために使用される。
【０１８９】
一実施形態において、前記端末機器はアップリンクチャネルを同時伝送する能力がない、または、前記端末機器はアップリンクチャネルを同時伝送する能力があるが、アップリンクチャネルを同時伝送しないように構成されている。
【０１９０】
該通信機器６００は上記方法４００では端末機器によって実行される相応の操作を実行することができると理解すべきであり、簡潔のために、ここでは繰り返して説明しない。
【０１９１】
図７は、本願の実施例による端末機器７００の概略構造図である。図７に示すように、該端末機器はプロセッサ７１０を含み、プロセッサ７１０は、本願の実施例による各方法では端末機器によって実現される相応のフローを実現するよう、メモリからコンピュータプログラムを開始して実行させることができ、簡潔のために、ここでは繰り返して説明しない。
【０１９２】
一実施形態において、図７に示すように、端末機器７００はまた、メモリ７２０を含み得る。そのうち、該プロセッサ７１０は、本願の実施例における方法を実現するよう、メモリ７２０からコンピュータプログラムを開始して実行させることができる。
【０１９３】
メモリ７２０は、プロセッサ７１０から独立した１つの単独なデバイスであってもよいが、プロセッサ７１０に集積されてもよい。
【０１９４】
一実施形態において、図７に示すように、端末機器７００はさらに、トランシーバ７３０を含み得る。プロセッサ７１０は、該トランシーバ７３０が他の機器と通信するように制御することができ、具体的に、他の機器に情報又はデータを送信し、又は他の機器によって送信された情報又はデータを受信することができる。
【０１９５】
トランシーバ７３０は発信機と受信機とを含み得る。トランシーバ７３０はさらにアンテナを含むことができ、アンテナは１つ又は複数であってもよい。
【０１９６】
図８は、本願の実施例によるチップの１つの概略構造図である。図８に示すようなチップ８００はプロセッサ８１０を含み、プロセッサ８１０は、本願の実施例における方法を実現するよう、メモリからコンピュータプログラムを開始して実行させることができる。
【０１９７】
メモリ８２０はプロセッサ８１０から独立した１つの単独なデバイスであってもよいが、プロセッサ８１０に集積されてもよい。
【０１９８】
一実施形態において、該チップ８００はまた、入力インタフェース８３０を含み得る。そのうち、プロセッサ８１０は、該入力インタフェース８３０が他の機器又はチップと通信するように制御することができ、具体的に、他の機器又はチップによって送信された情報又はデータを取得することができる。
【０１９９】
一実施形態において、該チップ８００はさらに、出力インタフェース８４０を含み得る。そのうち、プロセッサ８１０は該出力インタフェース８４０が他の機器又はチップと通信するように制御することができ、具体的に、他の機器又はチップに情報又はデータを出力することができる。
【０２００】
一実施形態において、該チップは、本願の実施例における端末機器に適用されることができ、かつ、該チップは、本願の実施例による各方法では端末機器によって実現される相応のフローを実現することができ、簡潔のために、ここでは繰り返して説明しない。
【０２０１】
本願の実施例で言及したチップはまた、システムレベルチップ、システムチップ、チップシステム又はシステムオンチップなどと称されてもよいと理解すべきである。
【０２０２】
上記で言及したプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）または他のプログラマブルロジックデバイス、トランジスタロジックデバイス、離散ハードウェアコンポーネントなどであってもよい。そのうち、上記で言及した汎用プロセッサは、マイクロプロセッサであってもよいが、または、任意の従来のプロセッサなどであってもよい。
【０２０３】
上記で言及したメモリは揮発性メモリ又は不揮発性メモリ、又は揮発性メモリと不揮発性メモリの両者を含み得ると理解できる。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ＲＯＭ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリがランダムアクセスメモリ（ｒａｎｄｏｍ  ａｃｃｅｓｓ  ｍｅｍｏｒｙ、ＲＡＭ）であってもよい。
【０２０４】
上記メモリは限定的ではなく例示的なものであると理解すべきであり、本願の実施例におけるメモリはまた、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本願の実施例におけるメモリは、これら及び他の任意の適切なタイプのメモリを含むが、これらに限定されないことを意図している。
【０２０５】
本発明の実施例において、「Ａと相応の（に対応する）Ｂ」は、ＢがＡと関連し、Ａに基づいてＢを決定することができると表すと理解すべきであるが、また、Ａに基づいてＢを決定することは、Ａのみに基づいてＢを決定することを意味するのではなく、Ａ及び／又は他の情報に基づいてＢを決定することもできると理解すべきである。
【０２０６】
当業者であれば、本明細書で開示される実施例に合わせて説明される各例のユニット及びアルゴリズムステップは、電子ハードウェア、またはコンピュータソフトウェアと電子ハードウェアの組み合わせによって実現されることができると認識するであろう。これらの機能がハードウェアで実行されるか、ソフトウェアで実行されるかは、技術的解決手段の特定のアプリケーションと設計上の制約条件に依存する。専門の技術者は、説明した機能を実現させるために特定のアプリケーションごとに異なる方法を使用できるが、この種の実現は、本願の範囲を超えると見なされるべきではない。
【０２０７】
当業者であれば、説明の便宜と簡潔のために、上記説明されるシステム、装置、及びユニットの具体的な作業プロセスは、前述方法の実施例における対応するプロセスを参照することができると明確に理解することができ、ここでは繰り返して説明しない。
【０２０８】
本願で提供されるいくつかの実施例において、開示されたシステム、装置、及び方法は、他の方式で実施されることができると理解すべきである。例えば、以上説明した装置の実施例は概略的なものにすぎず、例えば、該ユニットの分割は論理機能上の分割にすぎず、実際に実現する際に別の形態で分割してもよく、例えば、複数のユニット又はコンポーネントを別のシステムに組み合わせもしくは集積させたり、又は一部の特徴を反映させなかったり、実行しなかったりしてもよい。また、表示又は検討した互いの結合又は直接的な結合又は通信接続は、いくつかのインタフェース、装置又はユニットを介した間接的結合又は通信接続であってもよく、電気的形態、機械的形態又はその他の形態であってもよい。
【０２０９】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、ユニットの一部またはすべてを選択して本実施例の解決手段の目的を達成することができる。
【０２１０】
なお、本願の各実施例における各機能ユニットが１つの処理ユニットに集積されてもよいが、各ユニットが単独で物理的な部品として存在するか、又は２つ以上のユニットが１つのユニットに集積されてもよい。
【０２１１】
前記機能はソフトウェア機能ユニットの形で実現され、独立した製品として販売又は使用される場合、１つのコンピュータ読み取り可能な記憶媒体に記憶されることができる。このような理解に基づき、本願の技術的解決手段は、本質的に、或いは従来の技術に寄与する部分であるか、または該技術的解決手段の部分は、ソフトウェア製品の形で具現化されることができ、該コンピュータソフトウェア製品は、１つの記憶媒体に記憶され、コンピューターデバイス（パーソナルコンピューター、サーバ、又はネットワークデバイスなどであってもよい）に、本願の各実施例で説明した方法のステップのすべて又は一部を実行させるためのいくつかの命令を含む。前述した記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、またはコンパクトディスクなどのプログラムコードを記憶できるさまざまな媒体を含む。
【０２１２】
以上の内容は、本願の具体的な実施形態にすぎず、本願の保護範囲はこれらに限定されず、当業者であれば、本願で開示される技術的範囲内に、容易に想像しうる全ての変更又は置換は、いずれも本願の保護範囲内に含まれるべきである。したがって、本願の保護範囲は、特許請求の範囲の保護範囲に従うものとする。
【国際調査報告】
2021529443.tif 000042
2021529443.tif 000043
2021529443.tif 000044
2021529443.tif 000045